(57)【要約】  情報を送信または受信するための方法および装置が提供される。本方法は、端末デバイスによって、ネットワークデバイスからの指示情報を受信することであって、指示情報は、タイミング調整パラメータを示し、タイミング調整パラメータは、端末デバイスによって、第１の上りリンクキャリアおよび第２の上りリンクキャリア上での送信タイミングを決定するために使用されるものであり、第１の上りリンクキャリアは、第１の無線アクセス技術の上りリンクキャリアであり、第２の上りリンクキャリアは、第２の無線アクセス技術の上りリンクキャリアである、受信することと、端末デバイスによって、指示情報に基づいて、タイミング調整パラメータを決定することと、を含む。端末デバイスは、ネットワークデバイスによって送信された１つのタイミング調整パラメータに基づいて、複数の上りリンクキャリア上での送信タイミングを決定する。したがって、端末デバイスは、複数の上りリンクキャリア上で同じ送信タイミングを維持し、上りリンクリソースを効果的に利用することができ、上りリンクリソースの無駄を回避することが保証される。
2021503786.tif 000002
【特許請求の範囲】
【請求項１】
情報を受信するための方法であって、
端末デバイスによって、ネットワークデバイスによって送信された指示情報を受信することであって、前記指示情報は、タイミング調整パラメータを含み、前記タイミング調整パラメータは、前記端末デバイスによって、第１の上りリンクキャリアおよび第２の上りリンクキャリア上での送信タイミングを決定するために使用されるものであり、前記第１の上りリンクキャリアおよび前記第２の上りリンクキャリアは、同一セル内の上りリンクキャリアである、受信することと、
前記端末デバイスによって、前記指示情報に基づいて前記タイミング調整パラメータを決定することと、を含む方法。
【請求項２】
前記第１の上りリンクキャリアに対して使用される第１のサブキャリア間隔が、前記第２の上りリンクキャリアに対して使用される第２のサブキャリア間隔と異なる場合、前記タイミング調整パラメータに対応するタイミング調整粒度は、第１のサブキャリア間隔および第２のサブキャリア間隔のより大きなものに対応するタイミング調整粒度であり、前記前記第１の上りリンクキャリアは、時分割複信ＴＤＤキャリアである、請求項１に記載の方法。
【請求項３】
前記第２の上りリンクサブキャリアは、補助上りリンクＳＵＬキャリアである、請求項２に記載の方法。
【請求項４】
第１のタイミングオフセットは、第２のタイミングオフセットに等しく、
前記第１のオフセットは、前記端末デバイスによって、前記第１の上りリンクキャリア上でランダムアクセス信号を前記ネットワークデバイスに送信するための第１のタイミングと、前記ネットワークデバイスから第１の下りリンクキャリア上で下りリンク信号を受信するための第３のタイミングとの間のオフセットであり、
前記第２のオフセットは、前記端末デバイスによって、前記第２の上りリンクキャリア上でランダムアクセス信号を前記ネットワークデバイスに送信するための第２のタイミングと、前記ネットワークデバイスから前記第１の下りリンクキャリア上で前記下りリンク信号を受信するための前記第３のタイミングとの間のオフセットである、請求項１〜３のいずれか一項に記載の方法。
【請求項５】
前記第１の下りリンクキャリアおよび前記第１の上りリンクキャリアは、関連する時分割複信ＴＤＤキャリアであり、前記第２の上りリンクキャリアは、補助上りリンクＳＵＬキャリアである、請求項４に記載の方法。
【請求項６】
情報を送信するための方法であって、
ネットワークデバイスによって、指示情報を決定することであって、前記指示情報は、タイミング調整パラメータを含み、前記タイミング調整パラメータは、端末デバイスによって、第１の上りリンクキャリアおよび第２の上りリンクキャリア上での送信タイミングを決定するために使用されるものであり、前記第１の上りリンクキャリアおよび前記第２の上りリンクキャリアは、同一セル内の上りリンクキャリアである、決定することと、
前記ネットワークデバイスによって、前記端末デバイスへ前記指示情報を送信することと、を含む方法。
【請求項７】
前記第１の上りリンクキャリアに対して使用される第１のサブキャリア間隔が、前記第２の上りリンクキャリアに対して使用される第２のサブキャリア間隔と異なる場合、前記タイミング調整パラメータに対応するタイミング調整粒度は、前記第１のサブキャリア間隔および前記第２のサブキャリア間隔のうちのより大きなものに対応するタイミング調整粒度であり、前記第１の上りリンクキャリアは、時分割複信ＴＤＤキャリアである、請求項６に記載の方法。
【請求項８】
前記第２の上りリンクサブキャリアは、補助上りリンクＳＵＬキャリアである、請求項７に記載の方法。
【請求項９】
第１のタイミングオフセットは、第２のタイミングオフセットに等しく、
前記第１のタイミングオフセットは、前記端末デバイスによって、前記第１の上りリンクキャリア上でランダムアクセス信号を前記ネットワークデバイスに送信するための第１のタイミングと、前記ネットワークデバイスから第１の下りリンクキャリア上で下りリンク信号を受信するための第３のタイミングとの間のオフセットであり、前記第２のタイミングオフセットは、前記端末デバイスによって、前記第２の上りリンクキャリア上でランダムアクセス信号を前記ネットワークデバイスに送信するための第２のタイミングと、前記ネットワークデバイスから前記第１の下りリンクキャリア上で前記下りリンク信号を受信するための前記第３のタイミングとの間のオフセットである、請求項６〜８のいずれか一項に記載の方法。
【請求項１０】
前記第１の下りリンクキャリアおよび前記第１の上りリンクキャリアは、関連する時分割複信ＴＤＤキャリアであり、前記第２の上りリンクキャリアは、補助上りリンクＳＵＬキャリアである、請求項９に記載の方法。
【請求項１１】
情報を受信するための装置であって、
ネットワークデバイスによって送信された指示情報を受信するように構成された通信ユニットであって、前記指示情報は、タイミング調整パラメータを含み、前記タイミング調整パラメータは、前記端末デバイスによって、第１の上りリンクキャリアおよび第２の上りリンクキャリア上での送信タイミングを決定するために使用されるものであり、前記第１の上りリンクキャリアおよび前記第２の上りリンクキャリアは、同一セル内の上りリンクキャリアである、通信ユニットと、
前記指示情報に基づいて、前記タイミング調整パラメータを決定するように構成された処理ユニットと、を含む装置。
【請求項１２】
前記第１の上りリンクキャリアに対して使用される第１のサブキャリア間隔が、前記第２の上りリンクキャリアに対して使用される第２のサブキャリア間隔と異なる場合、前記タイミング調整パラメータに対応するタイミング調整粒度は、前記第１のサブキャリア間隔および前記第２のサブキャリア間隔のうちのより大きなものに対応するタイミング調整粒度であり、前記第１の上りリンクキャリアは、時分割複信ＴＤＤキャリアである、請求項１１に記載の装置。
【請求項１３】
前記第２の上りリンクサブキャリアは、補助上りリンクＳＵＬキャリアである、請求項１２に記載の装置。
【請求項１４】
第１のタイミングオフセットは、第２のタイミングオフセットに等しく、
前記第１のタイミングオフセットは、前記端末デバイスによって、前記第１の上りリンクキャリア上でランダムアクセス信号を前記ネットワークデバイスに送信するための第１のタイミングと、前記ネットワークデバイスから第１の下りリンクキャリア上で下りリンク信号を受信するための第３のタイミングとの間のオフセットであり、前記第２のタイミングオフセットは、前記端末デバイスによって、前記第２の上りリンクキャリア上でランダムアクセス信号を前記ネットワークデバイスに送信するための第２のタイミングと、前記ネットワークデバイスから前記第１の下りリンクキャリア上で前記下りリンク信号を受信するための前記第３のタイミングとの間のオフセットである、請求項１１〜１３のいずれか一項に記載の装置。
【請求項１５】
前記第１の下りリンクキャリアおよび前記第１の上りリンクキャリアは、関連する時分割複信ＴＤＤキャリアであり、前記第２の上りリンクキャリアは、補助上りリンクＳＵＬキャリアである、請求項１４に記載の装置。
【請求項１６】
情報を送信するための装置であって、
指示情報を決定するように構成された処理ユニットであって、前記指示情報は、タイミング調整パラメータを含み、前記タイミング調整パラメータは、端末デバイスによって、第１の上りリンクキャリアおよび第２の上りリンクキャリア上での送信タイミングを決定するために使用されるものであり、前記第１の上りリンクキャリアおよび前記第２の上りリンクキャリアは、同一セル内の上りリンクキャリアである、処理ユニットと、
前記端末デバイスに前記指示情報を送信するように構成された通信ユニットと、を含む装置。
【請求項１７】
前記第１の上りリンクキャリアに対して使用される第１のサブキャリア間隔が、前記第２の上りリンクキャリアに対して使用される第２のサブキャリア間隔と異なる場合、前記タイミング調整パラメータに対応するタイミング調整粒度は、第１のサブキャリア間隔および第２のサブキャリア間隔のより大きなものに対応するタイミング調整粒度であり、前記前記第１の上りリンクキャリアは、時分割複信ＴＤＤキャリアである、請求項１６に記載の装置。
【請求項１８】
前記第２の上りリンクサブキャリアは、補助上りリンクＳＵＬキャリアである、請求項１７に記載の装置。
【請求項１９】
第１のタイミングオフセットは、第２のタイミングオフセットに等しく
前記第１のタイミングオフセットは、前記端末デバイスによって、前記第１の上りリンクキャリア上でランダムアクセス信号を前記ネットワークデバイスに送信するための第１のタイミングと、前記ネットワークデバイスから第１の下りリンクキャリア上で下りリンク信号を受信するための第３のタイミングとの間のオフセットであり、前記第２のタイミングオフセットは、前記端末デバイスによって、前記第２の上りリンクキャリア上でランダムアクセス信号を前記ネットワークデバイスに送信するための第２のタイミングと、前記ネットワークデバイスから前記第１の下りリンクキャリア上で前記下りリンク信号を受信するための前記第３のタイミングとの間のオフセットである、請求項１６〜１８のいずれか一項に記載の装置。
【請求項２０】
前記第１の下りリンクキャリアおよび前記第１の上りリンクキャリアは、関連する時分割複信ＴＤＤキャリアであり、前記第２の上りリンクキャリアは、補助上りリンクＳＵＬキャリアである、請求項１９に記載の装置。
【請求項２１】
情報を受信するための方法であって、
端末デバイスによって、ネットワークデバイスからの指示情報を受信することであって、前記指示情報は、タイミング調整パラメータを示し、前記タイミング調整パラメータは、前記端末デバイスによって、第１の上りリンクキャリアおよび第２の上りリンクキャリア上での送信タイミングを決定するために使用されるものであり、前記第１の上りリンクキャリアは、第１の無線アクセス技術の上りリンクキャリアであり、前記第２の上りリンクキャリアは、第２の無線アクセス技術の上りリンクキャリアである、受信することと、
前記端末デバイスによって、前記指示情報に基づいて、前記タイミング調整パラメータを決定することと、を含む方法。
【請求項２２】
前記第２の上りリンクキャリアは、少なくとも２つの第２の上りリンクキャリアを含み、前記少なくとも２つの第２の上りリンクキャリアは、同一セルに属し、
前記タイミング調整パラメータは、前記端末デバイスによって、前記第１の上りリンクキャリアおよび前記少なくとも２つの第２の上りリンクキャリア上での送信タイミングを決定するために使用される、請求項２１に記載の方法。
【請求項２３】
前記少なくとも２つの第２の上りリンクキャリアは、少なくとも１つの時分割複信ＴＤＤキャリアと、少なくとも１つの補助上りリンクＳＵＬキャリアとを含む、請求項２２に記載の方法。
【請求項２４】
前記第１の上りリンクキャリアは、一次セル内のキャリアであり、前記第２の上りリンクキャリアは、二次セル内のキャリアであり、
前記端末デバイスにより、前記ネットワークデバイスからの指示情報を受信することは、
前記端末デバイスにより、前記ネットワークデバイスから第１の下りリンクキャリア上で前記指示情報を受信し、前記第１の下りリンクキャリアおよび前記第１の上りリンクキャリアは、同一セルに属するか、または前記第１の下りリンクキャリアおよび前記第１の上りリンクキャリアは、同じ無線アクセス技術に属する、受信することを含む、請求項２１〜２３のいずれか一項に記載の方法。
【請求項２５】
前記第１の無線アクセス技術は、ロング・ターム・エボリューションＬＴＥであり、前記第２の無線アクセス技術は、ニューラジオＮＲである、請求項２１〜２４のいずれか一項に記載の方法。
【請求項２６】
前記第１の上りリンクキャリアは、前記一次セル内の上りリンクキャリアであり、前記第２の上りリンクキャリアは、前記二次セル内の上りリンクキャリアであり、当該方法は、
前記端末デバイスによって、前記ネットワークデバイスから第１の下りリンクキャリア上で下りリンク基準信号を受信することであって、前記第１の下りリンクキャリアおよび前記第１の上りリンクキャリアは、同一セルに属する、受信することと、
前記端末デバイスによって、前記下りリンク基準信号に基づいて、前記第２の上りリンクキャリア上で上りリンク信号を前記ネットワークデバイスに送信するための電力を決定することと、をさらに含む、請求項２１〜２５のいずれか一項に記載の方法。
【請求項２７】
前記端末デバイスによって、前記ネットワークデバイスから第１の下りリンクキャリア上で下りリンク基準信号を受信することであって、前記第１の下りリンクキャリアは、前記第１の無線アクセス技術の下りリンクキャリアであり、前記第１の下りリンクキャリアおよび前記第１の上りリンクキャリアは、同一セルに属する、受信することと、
前記端末デバイスによって、前記下りリンク基準信号に基づいて、前記第２の上りリンクキャリア上で上りリンク信号を前記ネットワークデバイスに送信するための電力を決定することと、をさらに含む、請求項２６に記載の方法。
【請求項２８】
前記端末デバイスによって、前記ネットワークデバイスから第１の下りリンクキャリア上で下りリンク基準信号を受信することであって、前記第１の下りリンクキャリアは、前記第１の無線アクセス技術の下りリンクキャリアであり、前記第１の下りリンクキャリアおよび前記第１の上りリンクキャリアは、異なるセルに属する、受信することと、
前記端末デバイスによって、前記下りリンク基準信号に基づいて、前記第２の上りリンクキャリア上で上りリンク信号を前記ネットワークデバイスに送信するための電力を決定することと、をさらに含む、請求項２１〜２５のいずれか一項に記載の方法。
【請求項２９】
情報を送信するための方法であって、
ネットワークデバイスによって、指示情報を決定することであって、前記指示情報は、タイミング調整パラメータを示し、前記タイミング調整パラメータは、端末デバイスによって、第１の上りリンクキャリアおよび第２の上りリンクキャリア上での送信タイミングを決定するために使用されるものであり、前記第１の上りリンクキャリアは、第１の無線アクセス技術の上りリンクキャリアであり、前記第２の上りリンクキャリアは、第２の無線アクセス技術の上りリンクキャリアである、決定することと、
前記ネットワークデバイスによって、前記端末デバイスに前記指示情報を送信することと、を含む方法。
【請求項３０】
前記第２の上りリンクキャリアは、少なくとも２つの第２の上りリンクキャリアを含み、前記少なくとも２つの第２の上りリンクキャリアは、同一セルに属し、
前記タイミング調整パラメータは、前記端末デバイスによって、前記第１の上りリンクキャリアおよび前記少なくとも２つの第２の上りリンクキャリア上での送信タイミングを決定するために使用される、請求項２９に記載の方法。
【請求項３１】
前記少なくとも２つの第２の上りリンクキャリアは、少なくとも１つの時分割複信ＴＤＤキャリアと、少なくとも１つの補助上りリンクＳＵＬキャリアとを含む、請求項３０に記載の方法。
【請求項３２】
前記第１の上りリンクキャリアは、一次セル内のキャリアであり、前記第２の上りリンクキャリアは、二次セル内のキャリアであり、
前記ネットワークデバイスにより、前記端末デバイスに前記指示情報を送信することは、
前記ネットワークデバイスにより、前記端末デバイスに第１の下りリンクキャリア上で前記指示情報を送信し、前記第１の下りリンクキャリアおよび前記第１の上りリンクキャリアは、同一セルに属するか、または前記第１の下りリンクキャリアおよび前記第１の上りリンクキャリアは、同じ無線アクセス技術に属する、送信することを含む、を請求項２９〜３１のいずれか一項に記載の方法。
【請求項３３】
前記第１の無線アクセス技術は、ロング・ターム・エボリューションＬＴＥであり、前記第２の無線アクセス技術は、ニューラジオＮＲである、請求項２９〜３２のいずれか一項に記載の方法。
【請求項３４】
前記第１の上りリンクキャリアは、前記一次セル内の上りリンクキャリアであり、前記第２の上りリンクキャリアは、前記二次セル内の上りリンクキャリアであり、当該方法は、
前記ネットワークデバイスによって、前記端末デバイスに第１の下りリンクキャリア上で下りリンク基準信号を送信することであって、前記第１の下りリンクキャリアおよび前記第１の上りリンクキャリアは、同一セルに属する、送信することをさらに含む、請求項２９〜３３のいずれか一項に記載の方法。
【請求項３５】
前記ネットワークデバイスによって、前記端末デバイスに第１の下りリンクキャリア上で下りリンク基準信号を送信することであって、前記第１の下りリンクキャリアは、前記第１の無線アクセス技術の下りリンクキャリアであり、前記第１の下りリンクキャリアおよび前記第１の上りリンクキャリアは同一セルに属する、請求項３４に記載の方法。
【請求項３６】
前記ネットワークデバイスによって、前記端末デバイスに第１の下りリンクキャリア上で下りリンク基準信号を送信し、前記第１の下りリンクキャリアは、前記第１の無線アクセス技術の下りリンクキャリアであり、前記第１の下りリンクキャリアおよび前記第１の上りリンクキャリアは、異なるセルに属する、送信すること、をさらに含む、請求項２９〜３３のいずれか一項に記載の方法。
【請求項３７】
情報を受信するための装置であって、通信ユニットと、処理ユニットとを含み、
前記通信ユニットは、ネットワークデバイスからの指示情報を受信するように構成され、前記指示情報は、タイミング調整パラメータを示し、前記タイミング調整パラメータは、第１の上りリンクキャリアおよび第２の上りリンクキャリア上での送信タイミングを決定するために使用されるものであり、前記第１の上りリンクキャリアは、第１の無線アクセス技術の上りリンクキャリアであり、前記第２の上りリンクキャリアは、第２の無線アクセス技術の上りリンクキャリアであり、
前記処理ユニットは、前記通信ユニットによって受信された前記指示情報に基づいて、前記タイミング調整パラメータを決定するように構成された、装置。
【請求項３８】
前記第２の上りリンクキャリアは、少なくとも２つの第２の上りリンクキャリアを含み、前記少なくとも２つの第２の上りリンクキャリアは、同一セルに属し、
前記タイミング調整パラメータは、前記処理ユニットによって、前記第１の上りリンクキャリアおよび前記少なくとも２つの第２の上りリンクキャリア上での送信タイミングを決定するために使用される、請求項３７に記載の装置。
【請求項３９】
前記少なくとも２つの第２の上りリンクキャリアは、少なくとも１つの時分割複信ＴＤＤキャリアと、少なくとも１つの補助上りリンクＳＵＬキャリアとを含む、請求項３８に記載の装置。
【請求項４０】
前記第１の上りリンクキャリアは、一次セル内のキャリアであり、前記第２の上りリンクキャリアは、二次セル内のキャリアであり、
前記ネットワークデバイスからの前記指示情報を受信するときに、前記通信ユニットは、具体的には、
前記ネットワークデバイスから第１の下りリンクキャリア上で前記指示情報を受信するように構成され、前記第１の下りリンクキャリアおよび前記第１の上りリンクキャリアは、同一セルに属するか、または前記第１の下りリンクキャリアおよび前記第１の上りリンクキャリアは、同じ無線アクセス技術に属する、請求項３７〜３９のいずれか一項に記載の装置。
【請求項４１】
前記第１の無線アクセス技術は、ロング・ターム・エボリューションＬＴＥであり、前記第２の無線アクセス技術は、ニューラジオＮＲである、請求項３７〜４０のいずれか一項に記載の装置。
【請求項４２】
前記第１の上りリンクキャリアは、前記一次セル内の上りリンクキャリアであり、前記第２の上りリンクキャリアは、前記二次セル内の上りリンクキャリアであり、
前記処理ユニットはさらに、
前記通信ユニットが、前記ネットワークデバイスから第１の下りリンクキャリア上の下りリンク基準信号を受信することであって、前記第１の下りリンクキャリアおよび前記第１の上りリンクキャリアは、同一セルに属する、受信することをするように制御し、
前記通信ユニットによって受信した前記下りリンク基準信号に基づいて、前記第２の上りリンクキャリア上で上りリンク信号を前記ネットワークデバイスに送信するための電力を決定するように構成された、請求項３７〜４１のいずれか一項に記載の装置。
【請求項４３】
前記処理ユニットはさらに、
前記通信ユニットが、前記ネットワークデバイスから第１の下りリンクキャリア上で下りリンク基準信号を受信することであって、前記第１の下りリンクキャリアは、前記第１の無線アクセス技術の下りリンクキャリアであり、前記第１の下りリンクキャリアおよび前記第１の上りリンクキャリアは、同一セルに属する、受信することをするように制御し、
前記通信ユニットが受信した前記下りリンク基準信号に基づいて、前記第２の上りリンクキャリア上で上りリンク信号を前記ネットワークデバイスに送信するための電力を決定するように構成された、請求項４２に記載の装置。
【請求項４４】
前記処理ユニットはさらに、
前記通信ユニットが、前記ネットワークデバイスから第１の下りリンクキャリア上で下りリンク基準信号を受信することであって、前記第１の下りリンクキャリアは、前記第１の無線アクセス技術の下りリンクキャリアであり、前記第１の下りリンクキャリアおよび前記第１の上りリンクキャリアは、異なるセルに属する、受信することをするように制御し、
前記通信ユニットが受信した前記下りリンク基準信号に基づいて、前記第２の上りリンクキャリア上で上りリンク信号を前記ネットワークデバイスに送信するための電力を決定するように構成された、請求項３７〜４１のいずれか一項に記載の装置。
【請求項４５】
情報を送信するための装置であって、処理ユニットと、通信ユニットとを含み、
前記処理ユニットは、指示情報を決定するように構成され、前記指示情報は、タイミング調整パラメータを示し、前記タイミング調整パラメータは、端末デバイスによって、第１の上りリンクキャリアおよび第２の上りリンクキャリア上での送信タイミングを決定するために使用されるものであり、前記第１の上りリンクキャリアは、第１の無線アクセス技術の上りリンクキャリアであり、前記第２の上りリンクキャリアは、第２の無線アクセス技術の上りリンクキャリアであり、
前記通信ユニットは、前記処理ユニットによって決定された前記指示情報を前記端末デバイスに送信するように構成された、装置。
【請求項４６】
前記第２の上りリンクキャリアは、少なくとも２つの第２の上りリンクキャリアを含み、前記少なくとも２つの第２の上りリンクキャリアは、同一セルに属し、
前記タイミング調整パラメータは、前記端末デバイスによって、前記第１の上りリンクキャリアおよび前記少なくとも２つの第２の上りリンクキャリア上での送信タイミングを決定するために使用される、請求項４５に記載の装置。
【請求項４７】
前記少なくとも２つの第２の上りリンクキャリアは、少なくとも１つの時分割複信ＴＤＤキャリアと、少なくとも１つの補助上りリンクＳＵＬキャリアとを含む、請求項４６に記載の装置。
【請求項４８】
前記第１の上りリンクキャリアは、一次セル内のキャリアであり、前記第２の上りリンクキャリアは、二次セル内のキャリアであり、
前記端末デバイスに前記指示情報を送信するときに、前記通信ユニットは、具体的には、
前記端末デバイスに第１の下りリンクキャリア上で前記指示情報を送信するように構成され、前記第１の下りリンクキャリアおよび前記第１の上りリンクキャリアは、同一セルに属するか、または前記第１の下りリンクキャリアおよび前記第１の上りリンクキャリアは、同じ無線アクセス技術に属する、請求項４５〜４７のいずれか一項に記載の装置。
【請求項４９】
前記第１の無線アクセス技術は、ロング・ターム・エボリューションＬＴＥであり、前記第２の無線アクセス技術は、ニューラジオＮＲである、請求項４５〜４８のいずれか一項に記載の装置。
【請求項５０】
前記第１の上りリンクキャリアは、前記一次セル内の上りリンクキャリアであり、前記第２の上りリンクキャリアは、前記二次セル内の上りリンクキャリアであり、
前記処理ユニットはさらに、
前記通信ユニットが、第１の下りリンクキャリア上で下りリンク基準信号を前記端末デバイスに送信することであって、前記第１の下りリンクキャリアおよび前記第１の上りリンクキャリアは同一セルに属する、送信することをするように構成された、請求項４５〜４９のいずれか一項に記載の装置。
【請求項５１】
前記処理ユニットはさらに、
前記通信ユニットが、前記端末デバイスに第１の下りリンクキャリア上で下りリンク基準信号を送信することであって、前記第１の下りリンクキャリアは、前記第１の無線アクセス技術の下りリンクキャリアであり、前記第１の下りリンクキャリアおよび前記第１の上りリンクキャリアは、同一セルに属する、送信することをするように制御するように構成された、請求項５０に記載の装置。
【請求項５２】
前記処理ユニットは、
前記通信ユニットが、前記端末デバイスに第１の下りリンクキャリア上で下りリンク基準信号を送信することであって、前記第１の下りリンクキャリアは、前記第１の無線アクセス技術の下りリンクキャリアであり、前記第１の下りリンクキャリアおよび前記第１の上りリンクキャリアは、異なるセルに属する、送信することをするように構成された、請求項４５〜４９のいずれか一項に記載の装置。
【請求項５３】
メモリに接続され、前記メモリに記憶されたソフトウェアプログラムを読み出して実行するように構成され、請求項１〜１０または２１〜３６のいずれか一項に記載の方法を実装する、チップ。
【請求項５４】
コンピュータ読み出し可能な命令を含むコンピュータ記憶媒体であって、コンピュータが前記コンピュータ読み出し可能な命令を読み取り実行するとき、前記コンピュータは、請求項１〜１０または２１〜３６のいずれか一項に記載の方法を実行することを可能にされる、コンピュータ記憶媒体。
【請求項５５】
命令を含むコンピュータプログラム製品であって、前記命令がコンピュータ上で実行されるときに、前記コンピュータは、請求項１〜１０または２１〜３６のいずれか一項に記載の方法を実行することを可能にされる、コンピュータプログラム製品。
【請求項５６】
情報を受信するための装置であって、プロセッサと、トランシーバと、メモリとを含み、前記メモリは、命令を記憶し、前記プロセッサが前記命令を読み出して実行するときに、前記プロセッサは、請求項１〜５または２１〜２８のいずれか一項に記載の方法を実行する、装置。
【請求項５７】
情報を送信するための装置であって、プロセッサと、トランシーバと、メモリとを含み、前記メモリは、命令を記憶し、前記プロセッサが前記命令を読み出して実行するときに、前記プロセッサは、請求項６〜１０または２９〜３６のいずれか一項に記載の方法を実行する、装置。
【請求項５８】
請求項１７〜２４のいずれか一項による、情報を受信するための装置と、請求項２５〜３２のいずれか一項による、情報を送信するための装置と、含む通信ネットワークシステム。
【発明の詳細な説明】
【技術分野】
【０００１】
この出願は、「METHOD  AND  APPARATUS  FOR  TRANSMITTING  OR  RECEIVING  INFORMATION」と題する、２０１７年１１月１７日に中国国家知的所有権局に出願された中国特許出願第２０１７１１４８３８８．Ｘ号に対する優先権を主張し、その全体が参照により本明細書に組み込まれ、「METHOD  AND  APPARATUS  FOR  TRANSMITTING  OR  RECEIVING  INFORMATION」と題する、２０１８年１月１２日に中国国家知的所有権局に出願された中国特許出願第２０１８１００３２２９．８号に対する優先権を主張し、その全体が参照により本明細書に組み込まれる。
【０００２】
この出願は、無線通信技術の分野に関し、特に、情報を送信または受信するための方法および装置に関する。
【背景技術】
【０００３】
無線通信システムにおいて、通信は、異なるタイプの送信ノードおよび受信ノードに基づいて異なるタイプに分類され得る。一般に、ネットワークデバイスから端末デバイスへの情報送信は、下りリンク通信、端末デバイスからネットワークデバイスへの情報送信は、上りリンク通信と呼ばれる。ロング・ターム・エボリューション（long  term  evolution、ＬＴＥ）またはロング・ターム・エボリューション・アドバンスト（long  term  evolution  advanced、ＬＴＥ-Ａ）通信システムにおいて、異なる複信モードは主に周波数分割複信（frequency  division  duplex、ＦＤＤ）モードと時分割複信（time  division  duplex、ＴＤＤ）モードに分類される。
【０００４】
ＴＤＤモードで動作する無線通信システムの場合、下りリンクキャリアと上りリンクキャリアは同じキャリア周波数のキャリアである。第５世代（the  5th  generation、５Ｇ）移動通信システムのニューラジオ（new  RAT、ＮＲ）移動通信システムでは、上りリンク−下りリンクデカップリング技術が適用され得る。具体的には、上りリンクまたは下りリンク通信を行うために使用されるＴＤＤキャリアに加えて、上りリンク通信を行うために追加の上りリンクキャリアが使用されてもよく、追加の上りリンクキャリアは、一般に、補助上りリンク（supplementary  uplink、ＳＵＬ）キャリアと呼ばれる。具体的には、ＮＲ端末デバイスは、上りリンク通信を行うために、２つの上りリンクキャリアを同時に有してもよい。
【０００５】
現在、ＬＴＥ−ＮＲデュアル・コネクティビティ（dual  connectivity、ＤＣ）モードの端末デバイスの場合、ＮＲ  ＴＤＤキャリアとＳＵＬキャリアの両方がＮＲシステムに配備されている場合、ＬＴＥ上りリンクキャリア、ＮＲ  ＴＤＤキャリア、およびＮＲ  ＳＵＬキャリアを含む少なくとも３つの上りリンクキャリアが、端末デバイスのために構成されている。端末デバイスの上りリンクスペクトル効率を最大限に確保するために、端末デバイスによる上りリンク信号を３つの上りリンクキャリア上で送信するためのタイミングは等しくする必要があり、そうでなければ、上りリンクリソースの無駄が生じる。端末デバイスによって上りリンク信号を３つの上りリンクキャリア上で送信するタイミングが等しくない場合、いくつかの時間セグメントにおいて、端末デバイスは上りリンク信号を送信できず、上りリンクリソースの無駄を生じる。
【発明の概要】
【０００６】
この出願は、情報を送信または受信するための方法および装置を提供して、複数の上りリンクキャリア上の端末デバイスの不均等な送信タイミングによって生じる上りリンクリソースの無駄を回避する。
【０００７】
第１の態様によれば、この出願は、情報を送信するための方法を提供し、本方法は、
端末デバイスによって、ネットワークデバイスからの指示情報を受信することであって、指示情報はタイミング調整パラメータを示し、端末デバイスは、タイミング調整パラメータは、端末デバイスによって第１の上りリンクキャリアおよび第２の上りリンクキャリア上での送信タイミングを決定するために使用され、第１の上りリンクキャリアは、第１の無線アクセス技術の上りリンクキャリアであり、第２の上りリンクキャリアは、第２の無線アクセス技術の上りリンクキャリアである、受信することと、端末デバイスによって、指示情報に基づいて、タイミング調整パラメータを決定することと、を含む。
【０００８】
端末デバイスは、ネットワークデバイスによって送信される１つのタイミング調整パラメータに基づいて、複数の上りリンクキャリア上での送信タイミングを決定する。従って、端末デバイスは、複数の上りリンクキャリア上で同じ送信タイミングを維持し、上りリンクリソースを効果的に利用することができ、かつ、上りリンクリソースの無駄を回避することが保証される。
【０００９】
可能な設計では、第２の上りリンクキャリアは、少なくとも２つの第２の上りリンクキャリアを含み、少なくとも２つの第２の上りリンクキャリアは、同一セルに属し、タイミング調整パラメータは、端末デバイスによって第１の上りリンクキャリアおよび少なくとも２つの第２の上りリンクキャリア上での送信タイミングを決定するために使用される。
【００１０】
端末デバイスは、ネットワークデバイスによって１つのメッセージで送信される指示情報に基づいて、同一セル内の同一の無線アクセス技術の複数の上りリンクキャリアに対応するタイミングを送信し、上りリンクリソースを有効に利用できるようにする。
【００１１】
可能な設計では、少なくとも２つの第２の上りリンクキャリアは、少なくとも１つのＴＤＤキャリアおよび少なくとも１つのＳＵＬキャリアを含む。
【００１２】
可能な設計では、第１の上りリンクキャリアは、一次セル内のキャリアであり、第２の上りリンクキャリアは、二次セル内のキャリアであり、端末デバイスによって、ネットワークデバイスからの指示情報を受信することは、端末デバイスによって、ネットワークデバイスから第１の下りリンクキャリア上で指示情報を受信することを含み、第１の下りリンクキャリアと第１の上りリンクキャリアは、同一セルに属し、第１の下りリンクキャリアと第１の上りリンクキャリアは、同一の無線アクセス技術に属する。
【００１３】
端末デバイスは、一次セル内の下りリンクキャリアを使用することにより、ネットワークデバイスによって送信された指示情報を受信する。従って、同一の無線アクセス技術に属する複数の上りリンクキャリア上での送信タイミングは、１つの指示情報に基づいて決定され得る。
【００１４】
可能な設計では、第１の無線アクセス技術はＬＴＥであり、第２の無線アクセス技術はＮＲである。
【００１５】
可能な設計では、第１の上りリンクキャリアは、一次セル内の上りリンクキャリアであり、第２の上りリンクキャリアは、二次セル内の上りリンクキャリアであり、本方法は、さらに、端末デバイスによって、ネットワークデバイスから第１の下りリンクキャリア上の下りリンク基準信号を受信することであって、第１の下りリンクキャリアと第１の上りリンクキャリアは、同一セルに属する、受信することと、端末デバイスによって、下りリンク基準信号に基づいて、第２の上りリンクキャリア上で上りリンク信号をネットワークデバイスに送信するための電力を決定することを含む。
【００１６】
端末デバイスは、一次セル内の下りリンクキャリアを使用することによって、ネットワークデバイスによって送信された下りリンク基準信号を受信する。したがって、二次セル内の上りリンクキャリア上で上りリンク信号をネットワークデバイスに送信するための電力は、一次セルの下りリンク基準信号に基づいて決定することができ、端末デバイスが、二次セルの下りリンク基準信号に基づいて、二次セル内の上りリンクキャリア上で上りリンク信号をネットワークデバイスに送信するための電力を決定できない場合が回避される。
【００１７】
可能な設計では、本方法は、さらに、端末デバイスによって、ネットワークデバイスから第１の下りリンクキャリア上で下りリンク基準信号を受信することであって、第１の下りリンクキャリアが第１の無線アクセス技術の下りリンクキャリアであり、第１の下りリンクキャリアと第１の上りリンクキャリアが同一セルに属する、受信することと、端末デバイスによって、下りリンク基準信号に基づいて、第２の上りリンクキャリア上で上りリンク信号をネットワークデバイスに送信するための電力を決定することと、を含む。
【００１８】
端末デバイスは、第１の無線アクセス技術の下りリンクキャリアを使用することによって、ネットワークデバイスによって送信された下りリンク基準信号を受信する。従って、第２の第１の無線アクセス技術の上りリンクキャリア上で上りリンク信号を送信するための電力は、第１の無線アクセス技術の下りリンク基準信号に基づいて決定することができ、端末デバイスが、第２の無線アクセス技術の下りリンク基準信号に基づいて、第２の無線アクセス技術の上りリンクキャリア上で上りリンク信号をネットワークデバイスに送信するための電力を決定できない場合が回避される。
【００１９】
可能な設計では、本方法は、さらに、端末デバイスによって、ネットワークデバイスから第１の下りリンクキャリア上で下りリンク基準信号を受信することであって、第１の下りリンクキャリアは、第１の無線アクセス技術の下りリンクキャリアであり、第１の下りリンクキャリアおよび第１の上りリンクキャリアが異なるセルに属する、受信することと、端末デバイスによって、下りリンク基準信号に基づいて、第２の上りリンクキャリア上で上りリンク信号をネットワークデバイスに送信するための電力を決定することと、を含む。
【００２０】
第２の態様によれば、この出願は、情報を送信するための方法を提供し、本方法は、
ネットワークデバイスによって、指示情報を決定することであって、指示情報がタイミング調整パラメータを示し、タイミング調整パラメータは、端末デバイスによって、第１の上りリンクキャリアおよび第２の上りリンクキャリア上での送信タイミングを決定するために使用されるものであり、第１の上りリンクキャリアが第１の無線アクセス技術の上りリンクキャリアであり、第２の上りリンクキャリアが第２の無線アクセス技術の上りリンクキャリアである、決定することと、
ネットワークデバイスによって、端末デバイスへ指示情報を送信することと、を含む。
【００２１】
可能な設計では、第２の上りリンクキャリアは、少なくとも２つの第２の上りリンクキャリアを含み、
少なくとも２つの第２の上りリンクキャリアは、同一セルに属し、タイミング調整パラメータは、端末デバイスによって、第１の上りリンクキャリアおよび少なくとも２つの第２の上りリンクキャリア上での送信タイミングを決定するために使用されるものである。
【００２２】
可能な設計では、少なくとも２つの第２の上りリンクキャリアは、少なくとも１つのＴＤＤキャリアおよび少なくとも１つのＳＵＬキャリアを含む。
【００２３】
可能な設計では、第１の上りリンクキャリアは、一次セル内のキャリアであり、
第２の上りリンクキャリアは、二次セル内のキャリアである。ネットワークデバイスによって、端末デバイスに指示情報を送信することは、
ネットワークデバイスによって、第１の下りリンクキャリア上の指示情報を端末デバイスに送信することであって、第１の下りリンクキャリアおよび第１の上りリンクキャリアは、同一セルに属するか、または第１の下りリンクキャリアおよび第１の上りリンクキャリアは、同一の無線アクセス技術に属する、送信することを含む。
【００２４】
可能な設計では、第１の無線アクセス技術はＬＴＥであり、第２の無線アクセス技術はＮＲである。
【００２５】
可能な設計では、第１の上りリンクキャリアは、一次セル内の上りリンクキャリアであり、第２の上りリンクキャリアは、二次セル内の上りリンクキャリアであり、本方法は、さらに、
ネットワークデバイスによって、第１の下りリンクキャリア上で下りリンク基準信号を端末デバイスに送信することであって、第１の下りリンクキャリアおよび第１の上りリンクキャリアは同一セルに属する、送信することと、を含む。
【００２６】
可能な設計では、本方法は、さらに、
ネットワークデバイスによって、第１の下りリンクキャリア上で下りリンク基準信号を端末デバイスに送信することであって、第１の下りリンクキャリアは、第１の無線アクセス技術の下りリンクキャリアであり、第１の下りリンクキャリアと第１の上りリンクキャリアは同一セルに属する、送信することを含む。
【００２７】
可能な設計では、本方法は、さらに、
ネットワークデバイスによって、第１の下りリンクキャリア上で下りリンク基準信号をネットワークデバイスに送信することであって、第１の下りリンクキャリアは、第１の無線アクセス技術の下りリンクキャリアであり、第１の下りリンクキャリアと第１の上りリンクキャリアは異なるセルに属する、送信することを含む。
【００２８】
第３の態様によれば、この出願は、情報を送信するための方法を提供し、本方法は、
ネットワークデバイスによって、下りリンク基準信号を決定することであって、下りリンク基準信号が、端末デバイスによって、第１の上りリンクキャリア上で上りリンク信号をネットワークデバイスに送信するための電力を決定するために使用される、決定することと、
ネットワークデバイスによって、第１の下りリンクキャリア上で下りリンク基準信号を端末デバイスに送信することであって、第１の下りリンクキャリアおよび第１の上りリンクキャリアは異なるセルに属する、送信することと、を含む。
【００２９】
可能な設計では、第１の下りリンクキャリアは、一次セル内の下りリンクキャリアであり、第１の上りリンクキャリアは、二次セル内の上りリンクキャリアである。
【００３０】
可能な設計では、第１の下りリンクキャリアは、第１の無線アクセス技術の下りリンクキャリアであり、第１の上りリンクキャリアは、第２の無線アクセス技術の上りリンクキャリアである。
【００３１】
可能な設計では、第１の無線アクセス技術はＬＴＥであり、第２の無線アクセス技術はＮＲである。
【００３２】
可能な設計では、第１の上りリンクキャリア、第２の上りリンクキャリア、および第２の下りリンクキャリアは、同一セルに属する。
【００３３】
可能な設計では、ネットワークデバイスは、端末デバイスに指示情報を送信し、指示情報は、端末デバイスが、下りリンク基準信号に基づいて、第１の上りリンクキャリア上で上りリンク信号をネットワークデバイスに送信するための電力を決定することを示すか、指示情報は、端末デバイスが、下りリンク基準信号に基づいて、第１の上りリンクキャリア上で上りリンク信号をネットワークデバイスに送信するための電力を決定しないことを示す。
【００３４】
可能な設計では、ネットワークデバイスは、第２の指示情報を端末デバイスに送信し、第２の指示情報は、端末デバイスによって下りリンク基準信号を決定するために使用される。
【００３５】
可能な設計では、第２の指示情報は、下りリンク基準信号に対応するリソース情報、シーケンス情報、および電力情報のうちの少なくとも１つを含む。
【００３６】
第４の態様によれば、この出願は、情報を受信するための方法を提供し、本方法は、
端末デバイスによって、ネットワークデバイスから第１の下りリンクキャリア上で下りリンク基準信号を受信することであって、下りリンク基準信号は、端末デバイスによって第１の上りリンクキャリア上で上りリンク信号をネットワークデバイスに送信するための電力を決定するために使用される、受信することと、
端末デバイスによって、下りリンク基準信号に基づいて第１の上りリンクキャリア上で上りリンク信号をネットワークデバイスに送信するための電力を決定することと、を含む。
【００３７】
可能な設計では、第１の下りリンクキャリアおよび第１の上りリンクキャリアは、異なるセルに属する。
【００３８】
可能な設計では、第１の下りリンクキャリアは、一次セル内の下りリンクキャリアであり、第１の上りリンクキャリアは、二次セル内の上りリンクキャリアである。
【００３９】
可能な設計では、第１の下りリンクキャリアは、第１の無線アクセス技術の下りリンクキャリアであり、第１の上りリンクキャリアは、第２の無線アクセス技術の上りリンクキャリアである。
【００４０】
可能な設計では、第１の無線アクセス技術はＬＴＥであり、第２の無線アクセス技術はＮＲである。
【００４１】
可能な設計では、第１の上りリンクキャリア、第２の上りリンクキャリア、および第２の下りリンクキャリアは、同一セルに属する。
【００４２】
可能な設計では、端末デバイスは、ネットワークデバイスから第１の指示情報を受信し、第１の指示情報は、端末デバイスが、下りリンク基準信号に基づいて、第１の上りリンクキャリア上で上りリンク信号をネットワークデバイスに送信するための電力を決定することを示すか、または第１の指示情報は、端末デバイスが、下りリンク基準信号に基づいて、第１の上りリンクキャリア上で上りリンク信号をネットワークデバイスに送信するための電力を決定しないことを示す。
【００４３】
可能な設計では、端末デバイスは、ネットワークデバイスから第２の指示情報を受信し、第２の指示情報は、端末デバイスによって下りリンク基準信号を決定するために使用される。
【００４４】
可能な設計では、第２の指示情報は、下りリンク基準信号に対応するリソース情報、シーケンス情報、または電力情報のうちの少なくとも１つを含む。
【００４５】
第５の態様によれば、この出願は、情報を受信するための方法を提供し、本方法は、
端末デバイスによって、ネットワークデバイスによって送信された指示情報を受信することであって、指示情報は、タイミング調整パラメータを含み、タイミング調整パラメータは、端末デバイスによって、第１の上りリンクキャリアおよび第２の上りリンクキャリア上での送信タイミングを決定するために使用されるものである、受信することと、
端末デバイスによって、指示情報に基づいてタイミング調整パラメータを決定することと、を含む。
【００４６】
可能な設計では、第１の上りリンクキャリアおよび第２の上りリンクキャリアは、同一セル内の上りリンクキャリアである。
【００４７】
可能な設計では、第１の上りリンクキャリアはＴＤＤキャリアであり、第２の上りリンクキャリアはＳＵＬキャリアであり、
タイミング調整パラメータは、端末デバイスによってＴＤＤキャリアおよびＳＵＬキャリア上での送信タイミングを決定するために使用される。
【００４８】
可能な設計では、端末デバイスによって、第１の上りリンクキャリア上でランダムアクセス信号をネットワークデバイスに送信するための第１のタイミングは、端末デバイスによって、第２の上りリンクキャリア上でランダムアクセス信号をネットワークデバイスに送信するための第２のタイミングと等しい。
【００４９】
可能な設計では、端末デバイスによって、第１の上りリンクキャリア上でランダムアクセス信号をネットワークデバイスに送信するための第１のタイミングと、ネットワークデバイスから第１の下りリンクキャリア上で下りリンク信号を受信するための第３のタイミングとの間の第１のタイミングオフセットは、端末デバイスによって、第２の上りリンクキャリア上でランダムアクセス信号をネットワークデバイスに送信するための第２のタイミングと、ネットワークデバイスから第１の下りリンクキャリア上で下りリンク信号を受信するための第３のタイミングとの間の第２のタイミングオフセットに等しく、第１の下りリンクキャリアおよび第１の上りリンクキャリアはＴＤＤキャリアであり、第１の下りリンクキャリアおよび第１の上りリンクキャリアは関連付けられる。
【００５０】
可能な設計では、端末デバイスによって、第１の上りリンクキャリア上でランダムアクセス信号をネットワークデバイスに送信するための第１のタイミングは、端末デバイスによって、第２の上りリンクキャリア上でランダムアクセス信号をネットワークデバイスに送信するための第２のタイミングと等しくない。
【００５１】
可能な設計では、端末デバイスによって、第１の上りリンクキャリア上でランダムアクセス信号をネットワークデバイスに送信するための第１のタイミングと、ネットワークデバイスから第１の下りリンクキャリア上で下りリンク信号を受信するための第３のタイミングとの間の第１のタイミングオフセットは、端末デバイスによって、第２の上りリンクキャリア上でランダムアクセス信号をネットワークデバイスに送信するための第２のタイミングと、ネットワークデバイスから第１の下りリンクキャリア上で下りリンク信号を受信するための第３のタイミングとの間の第２のタイミングオフセットと等しくなく、第１の下りリンクキャリアおよび第１の上りリンクキャリアはＴＤＤキャリアであり、第１の下りリンクキャリアおよび第１の上りリンクキャリアは関連付けられる。
【００５２】
可能な設計では、第１のオフセットは０より大きく、第２のオフセットは０に等しい。
【００５３】
第６の態様によれば、この出願は、情報を送信するための方法を提供し、本方法は、
ネットワークデバイスによって、指示情報を決定することであって、指示情報は、タイミング調整パラメータを含み、タイミング調整パラメータは、端末デバイスによって、第１の上りリンクキャリアおよび第２の上りリンクキャリア上での送信タイミングを決定するために使用されるものである、決定することと、
ネットワークデバイスによって、端末デバイスに指示情報を送信することと、を含む。
【００５４】
可能な設計では、第１の上りリンクキャリアおよび第２の上りリンクキャリアは、同一セル内の上りリンクキャリアである。
【００５５】
可能な設計では、第１の上りリンクキャリアはＴＤＤキャリアであり、第２の上りリンクキャリアはＳＵＬキャリアであり、
タイミング調整パラメータは、端末デバイスが、ＴＤＤキャリアおよびＳＵＬキャリア上での送信タイミングを決定することを示すために使用される。
【００５６】
第７の態様によれば、この出願は、情報を送信するための方法を提供し、本方法は、
端末デバイスによって、ターゲット上りリンクキャリアに対応する電力情報を決定することであって、ターゲット上りリンクキャリアは、第１の上りリンクキャリアまたは第２の上りリンクキャリアのうちの１つである、決定することと、
端末デバイスによって、電力情報および指示情報をネットワークデバイスに送信することであって、指示情報は、ターゲット上りリンクキャリアを示す、送信することと、を含む。
【００５７】
可能な設計では、電力情報は、第１の電力と第２の電力との間の差を含み、第１の電力は、端末デバイスの最大送信電力を含み、第２の電力は、端末デバイスによって推定される上りリンク信号送信電力を含む。
【００５８】
可能な設計では、第１の上りリンクキャリアと第２の上りリンクキャリアは同一セルに属する。
【００５９】
可能な設計では、端末デバイスは、電力情報および指示情報を同一のメッセージに追加し、そのメッセージをネットワークデバイスに送信する。
【００６０】
可能な設計では、指示情報は、１ビットを含み、ビットが０である場合、指示情報は、第１の上りリンクキャリアを示し、ビットが１である場合、指示情報は、第２の上りリンクキャリアを示す。
【００６１】
可能な設計では、指示情報は暗黙的に電力情報に含まれる。
【００６２】
第８の態様によれば、この出願は、情報を受信するための方法を提供し、本方法は、
ネットワークデバイスによって、電力情報および指示情報を受信することであって、指示情報は、ターゲット上りリンクキャリアを示し、ターゲット上りリンクキャリアは、第１の上りリンクキャリアまたは第２上りリンクキャリアのうちの１つである、受信することと、
ネットワークデバイスによって、指示情報に基づいて、電力情報に対応するターゲット上りリンクキャリアを決定することと、を含む。
【００６３】
可能な設計では、電力情報は、第１の電力と第２の電力との間の差を含み、第１の電力は、端末デバイスの最大送信電力を含み、第２の電力は、端末デバイスによって推定される上りリンク信号送信電力を含む。
【００６４】
可能な設計では、第１の電力は、ターゲット上りリンクキャリアに対応する端末デバイスの最大送信電力を含み、第２の電力は、ターゲット上りリンクキャリア上にあり、端末デバイスによって推定される信号送信電力を含む。
【００６５】
可能な設計では、第１の上りリンクキャリアと第２の上りリンクキャリアは同一セルに属する。
【００６６】
可能な設計では、ネットワークデバイスは、ネットワークデバイスからの同一メッセージ内の電力情報および指示情報を受信する。
【００６７】
可能な設計では、指示情報は、１ビットを含み、ビットが０である場合、指示情報は、第１の上りリンクキャリアを示し、ビットが１である場合、指示情報は、第２の上りリンクキャリアを示す。
【００６８】
可能な設計では、指示情報は暗黙的に電力情報に含まれる。
【００６９】
第９の態様によれば、この出願は、情報を送信するための方法を提供し、本方法は、
ネットワークデバイスによって、第１の端末デバイスに対応する電力制御情報および第１の端末デバイスに対応する指示情報を決定することであって、電力制御情報は、端末デバイスによって、上りリンク送信電力を決定するために使用され、指示情報は、ターゲット上りリンクキャリアを示し、ターゲット上りリンクキャリアは、第１の上りリンクキャリアまたは第２の上りリンクキャリアのうちの１つである、決定することと、
ネットワークデバイスによって、電力制御情報および指示情報を下りリンク制御情報に追加することと、下りリンク制御情報を第１の端末デバイスに送信することと、を含む。
【００７０】
可能な設計では、下りリンク制御情報は、第２の端末デバイスに対応する電力制御情報をさらに含み、ネットワークデバイスは、下りリンク制御情報を第２の端末デバイスに送信する。
【００７１】
第１０の態様によれば、この出願は、情報を受信するための方法を提供し、本方法は、
端末デバイスによって、ネットワークデバイスから電力制御情報および指示情報を受信することであって、電力制御情報は、端末デバイスによって、ターゲット上りリンクキャリア上での送信電力を決定するために使用され、ターゲット上りリンクキャリアは、第１上りリンクキャリアまたは第２上りリンクキャリアのうちの１つであり、指示情報はターゲット上りリンクキャリアを示す、受信することと、
端末デバイスによって、指示情報に基づいて、電力制御情報に対応するターゲット上りリンクキャリアを決定することと、を含む。
【００７２】
第１１の態様によれば、この出願の実施形態は、情報を受信するための装置を提供し、本装置は、端末デバイスであってもよく、端末デバイス内のチップであってもよい。装置は、第１の態様、第４の態様、第５の態様、第７の態様、および第１０の態様の各実施形態を実装するための機能を有する。この機能は、ハードウェアによって実装されてもよく、ハードウェアによって実行される対応するソフトウェアによって実装されてもよい。ハードウェアまたはソフトウェアは、前述の機能に対応する１つ以上のモジュールを含む。
【００７３】
可能な設計では、装置が端末デバイスである場合、端末デバイスは、処理ユニットおよび通信ユニットを含み、処理ユニットは、例えば、プロセッサであってもよく、通信ユニットは、例えば、トランシーバであってもよく、トランシーバは、無線周波数回路を含む。任意に、端末デバイスは、記憶ユニットをさらに含み、記憶ユニットは、例えばメモリであってもよい。端末デバイスが記憶ユニットを有する場合、記憶ユニットは、コンピュータ実行可能命令を記憶し、処理ユニットが記憶ユニットに接続され、処理ユニットは、記憶ユニットに記憶されたコンピュータ実行可能命令を実行して、端末デバイスが、第１の態様、第４の態様、第５の態様、第７の態様、および第１０の態様のいずれか１つによる情報を受信するための方法を行うようにする。
【００７４】
別の可能な設計では、装置が端末デバイス内のチップである場合、チップは、処理ユニットおよび通信ユニットを含み、処理ユニットは、例えば、プロセッサであってもよく、通信ユニットは、例えば、入出力インターフェース、ピン、または回路であってもよい。処理ユニットは、記憶ユニットに記憶されたコンピュータ実行可能命令を実行することができ、第１の態様、第４の態様、第５の態様、第７の態様、および第１０の態様のいずれか１つによる情報を受信するための方法が行われ得るようにする。任意に、記憶ユニットは、チップ内の記憶ユニット、例えば、レジスタもしくはキャッシュであるか、または記憶ユニットは、端末デバイス内のチップ外に配置された記憶ユニット、例えば、読み出し専用メモリ、もしくは静的情報および命令を記憶することができる他のタイプの静的記憶デバイス、もしくはランダムアクセスメモリであってもよい。
【００７５】
第１２の態様によれば、この出願は、情報を送信するための装置を提供し、装置はネットワークデバイスであってもよく、またはネットワークデバイス内のチップであってもよい。装置は、第２の態様、第３の態様、第６の態様、第８の態様、および第９の態様の各実施形態を実装するための機能を有する。本機能は、ハードウェアによって実現されてもよく、ハードウェアによって実行される対応するソフトウェアによって実現されてもよい。ハードウェアまたはソフトウェアは、前述の機能に対応する１つ以上のモジュールを含む。
【００７６】
可能な設計では、装置がネットワークデバイスである場合、ネットワークデバイスは、処理ユニットおよび通信ユニットを含み、処理ユニットは、例えば、プロセッサであってもよく、通信ユニットは、例えば、トランシーバであってもよく、トランシーバは、無線周波数回路を含む。任意に、ネットワークデバイスは、記憶ユニットをさらに含み、記憶ユニットは、例えばメモリであってもよい。ネットワークデバイスが記憶ユニットを有する場合、記憶ユニットは、コンピュータ実行可能命令を記憶し、処理ユニットが記憶ユニットに接続され、処理ユニットは、記憶ユニットに記憶されたコンピュータ実行可能命令を実行して、端末デバイスが、第２の態様、第３の態様、第６の態様、第８の態様、および第９の態様のいずれかによる情報を送信するための方法を実行するようにする。
【００７７】
別の可能な設計では、装置がネットワークデバイス内のチップである場合、チップは、処理ユニットおよび通信ユニットを含み、処理ユニットは、例えばプロセッサであってもよく、通信ユニットは、例えば、入出力インターフェース、ピン、または回路であってもよい。処理ユニットは、記憶ユニットに記憶されたコンピュータ実行可能命令を実行して、第２の態様、第３の態様、第６の態様、第８の態様、および第９の態様のいずれか１つによる情報を送信するための方法が実行され得るようにする。任意に、記憶ユニットは、チップ内の記憶ユニット、例えば、レジスタもしくはキャッシュであるか、または記憶ユニットは、ネットワークデバイス内のチップ外に配置された記憶ユニット、例えば、読み出し専用メモリ（read-only  memory、ＲＯＭ）もしくは静的情報および命令を記憶することができる別のタイプの静的記憶デバイス、もしくはランダムアクセスメモリ（random  access  memory、ＲＡＭ）であってもよい。
【００７８】
前述のプロセッサのうちのいずれか１つは、第１の態様、第４の態様、第５の態様、第７の態様、および第１０の態様における情報を受信するための方法の手順実行を制御するように構成されている汎用中央処理装置（central  processing  unit、ＣＰＵ）、マイクロプロセッサ、特定用途向け集積回路（(application-specific  integrated  circuit、ＡＳＩＣ）、または１つ以上の集積回路であってもよい。
【００７９】
前述のプロセッサのうちのいずれか１つは、第２の態様、第３の態様、第６の態様、第８の態様、および第９の態様における情報を送信するための方法の手順実行を制御するように構成されている汎用中央処理装置、マイクロプロセッサ、特定用途向け集積回路、または１つ以上の集積回路であってもよい。
【００８０】
第１３の態様によれば、この出願の一実施形態は、さらに、コンピュータ読取可能記憶媒体を提供し、コンピュータ読取可能記憶媒体は命令を記憶し、命令がコンピュータ上で実行されると、コンピュータが前述の態様の各々における方法を行うことを可能にされる。
【００８１】
第１４の態様によれば、この出願の一実施形態は、さらに、命令を含むコンピュータプログラム製品をさらに提供し、命令がコンピュータ上で実行されると、コンピュータが前述の態様の各々における方法を行うことを可能にされる。
【図面の簡単な説明】
【００８２】
【図１】この出願による通信ネットワークシステムの概略構造図である。
【図２ａ】この出願による情報を送信および受信するための方法の適用シナリオの概略図である。
【図２ｂ】この出願による情報を送信および受信するための方法の適用シナリオの概略図である。
【図２ｃ】この出願による情報を送信および受信するための方法の適用シナリオの概略図である。
【図２ｄ】この出願による情報を送信および受信するための方法の適用シナリオの概略図である。
【図３】この出願による下りリンク送信に使用される無線フレームと上りリンク受信に使用される無線フレームの概略図である。
【図４】この出願による送信タイミングが整列されるシナリオの概略図である。
【図５】この出願による送信タイミングが整列されていないシナリオの概略図である。
【図６】この出願による情報を送信および受信するための方法の概略フローチャートである。
【図７】この出願による情報を送信および受信するための方法の概略フローチャートである。
【図８】この出願による電力制御方法の概略フローチャートである。
【図９】この出願による電力制御方法の概略フローチャートである。
【図１０】この出願による電力制御方法の概略フローチャートである。
【図１１】この出願による電力制御方法の概略フローチャートである。
【図１２】この出願による電力制御方法の概略フローチャートである。
【図１３】この出願による情報を送信するための装置の概略構造図である。
【図１４】この出願による情報を送信するための装置の概略構造図である。
【図１５】この出願による情報を受信するための装置の概略構造図である。
【図１６】この出願による情報を受信するための装置の概略構造図である。
【発明を実施するための形態】
【００８３】
この出願は、情報を送新および受信するための方法を提供し、この方法は通信ネットワークシステムに適用され得る。図１は、この出願の実施形態による可能な通信ネットワークシステムの構造図である。図１に示すように、通信ネットワークシステムは、ネットワークデバイス１０１および複数の端末デバイス１０２を含む。ネットワークデバイス１０１は、エア・インターフェース・プロトコルを使用して複数の端末デバイス１０２と通信し得る。
【００８４】
この出願で言及されるネットワークデバイス１０１は、端末を無線ネットワークに接続する装置である。ネットワークデバイスは、発展型ノードＢ（evolved  node  B、ｅＮＢ）、無線ネットワークコントローラ（radio  network  controller、ＲＮＣ）、ノードＢ（node  B、ＮＢ）、基地局コントローラ（base  station  controller、ＢＳＣ）、ベーストランシーバステーション（base  transceiver  station、ＢＴＳ）、ホームノードＢ（例えば、home  evolved  nodeB、またはhome  node  B、ＨＮＢ）、ベースバンドユニット（baseband  unit、ＢＢＵ）、ｇノードＢ（g  nodeB、ｇＮＢ）、送信ポイント（transmitting  and  receiving  point、ＴＲＰ）、送信ポイント（transmitting  point、ＴＰ）、および移動交換センタを含むが、これらに限定されない。さらに、ネットワークデバイスは、Ｗｉ−Ｆｉアクセスポイント（access  point、ＡＰ）などをさらに含み得る。
【００８５】
この出願で言及される端末デバイス１０２は、無線送受信機能を有するデバイスであり得る。端末デバイスは、陸上、例えば、屋内、屋外、ハンドヘルド、ウェアラブル、または車両搭載に配備されてもよく、水上（例えば、船上）に配備されてもよく、または空中（例えば、飛行機、風船、および衛星）に配備されてもよい。端末デバイスは、携帯電話（mobile  phone）、モノのインターネット（IoT）端末デバイス、タブレットコンピュータ（Pad）、無線の送信および受信機能を有するコンピュータ、仮想現実（virtual  Reality、ＶＲ）端末デバイス、拡張現実（augmented  Reality、ＡＲ）、産業用制御無線端末（industrial  control）、自走（self  driving）無線端末、遠隔医療無線端末（remote  medical）、スマートグリッド（smart  grid）無線端末、輸送安全（transportation  safety）無線端末、スマートシティ（smart  city）無線端末、スマートホーム（smart  home）無線端末等であり得る。適用シナリオは、この出願のこの実施形態では限定されない。ときどき、端末デバイスはまた、ユーザ機器（user  equipment、ＵＥ）、アクセス端末デバイス、ＵＥユニット、ＵＥステーション、移動局、移動局、遠隔局、遠隔端末デバイス、移動デバイス、ＵＥ端末デバイス、端末デバイス、無線通信デバイス、ＵＥエージェント、ＵＥ装置などと呼ばれることがある。言い換えると、ネットワークデバイスとのデータ通信を行うことができる任意のデバイスが、この出願における端末デバイスとして使用され得る。説明を容易にするために、ＵＥが説明のために使用され得る。
【００８６】
この出願においては、図１に示すシステムアーキテクチャが主に説明のための例として使用されるが、本願はこれに限定されない。例えば、この出願はまた、マクロ基地局とマイクロ基地局が通信を行うシステムアーキテクチャにも適用可能であり得る。これは特に限定されない。
【００８７】
システムアーキテクチャが適用可能な通信システムは、ロング・ターム・エボリューション時分割複信（time  division  duplexing-long  term  evolution、ＴＤＤ  ＬＴＥ）システム、ロング・ターム・エボリューション周波数複信（frequency  division  duplexing-long  term  evolution、ＦＤＤ  ＬＴＥ）システム、ロング・ターム・エボリューション・アドバンスト（long  term  evolution-advanced、ＬＴＥ−Ａ）システム、および将来進化する様々な無線通信システム（例えば、ニューラジオ（new  rat、ＮＲ）システム）を含むが、これらに限定されない。
【００８８】
例として、ＮＲシステムを使用すると、端末デバイスは、補助上りリンク（supplementary  uplink、ＳＵＬ）キャリアを使用して、上りリンク信号をネットワークデバイスに送信し得る。ＳＵＬキャリアは、現在の無線アクセス技術において、上りリンクリソースのみが送信に使用されるキャリアである。例えば、ＮＲシステムでは、キャリアＡはＮＲ上りリンク送信のみに使用され、そのキャリアは下りリンク送信に使用されないか、キャリアＡはＬＴＥ通信システムにおいて上りリンク送信に使用されてもよいが、ＮＲ下りリンク送信には使用されない。この場合、キャリアＡはＳＵＬキャリアである。
【００８９】
可能なシナリオでは、図２ａを参照すると、ネットワークデバイス１０１は、ＮＲネットワークデバイスである。ネットワークデバイス１０１に信号を送信するために端末デバイス１０２によって使用される２つの上りリンクキャリア、すなわち、ＴＤＤキャリア（キャリアｂ１）およびＳＵＬキャリア（キャリアｂ２）が、ネットワークデバイス１０１のために配備される。２つのキャリアの両方とも、端末デバイスとネットワークデバイスとの間の上りリンク通信に使用され得る。この場合、ＴＤＤキャリアとＳＵＬキャリアは同一セルに属する。
【００９０】
別の可能なシナリオでは、図２ｂを参照すると、ネットワークデバイス１０１ａおよびネットワークデバイス１０１ｂは、２つの異なる無線アクセス技術のネットワークデバイスであり、ネットワークデバイス１０１ａおよびネットワークデバイス１０１ｂは、共存する。端末デバイス１０２は、２つのネットワークデバイスに同時にアクセスし得る。上りリンクキャリア（ａ１）は、ネットワークデバイス１０１に対して配備され、上りリンクキャリア（ａ２）は、ネットワークデバイス１０１ｂに対して配備される。例えば、ＮＲネットワークデバイスとＬＴＥネットワークデバイスが共存する。端末デバイス１０２は、ＮＲネットワークデバイスとＬＴＥネットワークデバイスに同時にアクセスすることができる。端末デバイス１０２は、ＮＲ上りリンクキャリアを使用して上りリンク信号をＮＲネットワークデバイスに送信し、ＬＴＥ上りリンクキャリアを使用してＬＴＥネットワークデバイスに上りリンク信号を送信する。可能な実装は、端末デバイスが時分割複信モードでＮＲネットワークデバイスにアクセスし、周波数分割複信モードでＬＴＥネットワークデバイスにアクセスすることである。端末デバイスは、デュアル・コネクティビティＤＣモードでＮＲネットワークデバイスおよびＬＴＥネットワークデバイスにアクセスしてもよく、キャリアアグリゲーションＣＡモードでＮＲネットワークデバイスおよびＬＴＥネットワークデバイスにアクセスしてもよいことに留意されたい。従来技術におけるＤＣとＣＡの大きな違いは、端末デバイスがＤＣモードを使用するときには、端末デバイスがアクセスする複数のキャリアはそれぞれ独立したメディアアクセス制御ＭＡＣ層プロトコルスタックを有しているが、端末デバイスがＣＡモードを使用するときには、端末デバイスの複数のキャリアは、固有のＭＡＣ層プロトコルスタックを共有することである。無線通信技術の進化に伴い、ＤＣおよびＣＡの定義および相違は、従来技術のものと同じであってもよく、または異なってもよい。
【００９１】
別の可能なシナリオでは、図２ｃを参照すると、ネットワークデバイス１０１ａおよびネットワークデバイス１０１ｂは、２つの異なる無線アクセス技術のネットワークデバイスであり、ネットワークデバイス１０１ａおよびネットワークデバイス１０１ｂは、共存する。端末デバイス１０２は、２つのネットワークデバイスに同時にアクセスすることができる。１つの上りリンクキャリアがネットワークデバイス１０１ａのために配備され、２つの上りリンクキャリアがネットワークデバイス１０１ｂのために配備される。例えば、ネットワークデバイス１０１ａはＬＴＥネットワークデバイスであってもよく、ネットワークデバイス１０１ｂはＮＲネットワークデバイスであってもよい。ＬＴＥ  ＵＬキャリア（ｃ１）がＬＴＥネットワークデバイスに配備され、ＴＤＤキャリア（ｃ２）とＳＵＬキャリア（ｃ３）がＮＲネットワークデバイスに配備される。このシナリオでは、ＮＲ  ＳＵＬキャリアおよびＬＴＥ  ＵＬキャリアは、同じ周波数の上りリンクキャリアであってもよいことに留意されたい。具体的には、ＮＲ  ＳＵＬキャリアとＬＴＥ  ＵＬキャリアは同じ周波数を共有する。例えば、ＮＲ  ＵＬキャリアとＮＲ  ＤＬキャリアの周波数は３．５ＧＨｚ、ＬＴＥ  ＵＬキャリアの周波数は１．７５ＧＨｚ、ＬＴＥ  ＤＬキャリアの周波数は１．８５ＧＨｚ、ＮＲ  ＳＵＬキャリアの周波数は１．７５ＧＨｚである。確かに、ＮＲ  ＳＵＬキャリアおよびＬＴＥ  ＵＬキャリアは、異なる周波数の上りリンクキャリアであってもよい。例えば、ＮＲ  ＳＵＬキャリアの周波数は７００ＭＨｚであり、ＬＴＥ  ＵＬキャリアの周波数は１．８ＧＨｚである。
【００９２】
別の可能なシナリオでは、図２ｄを参照すると、ネットワークデバイス１０１ａおよびネットワークデバイス１０１ｂは、異なる無線アクセス技術のネットワークデバイスであり、ネットワークデバイス１０１ａおよびネットワークデバイス１０１ｂは、共存しない。具体的には、ネットワークデバイス１０１ａはＬＴＥネットワークデバイスであってもよく、ネットワークデバイス１０１ｂはＮＲネットワークデバイスであってもよい。ＬＴＥネットワークデバイスとＮＲネットワークデバイスは、物理的位置の異なる２つのネットワークデバイスであり、ＮＲネットワークデバイスは、上りリンク送信に使用されるＮＲ  ＵＬキャリア（ｄ１）とＮＲ  ＳＵＬキャリア（ｄ２）を配備しているが、ＬＴＥとＮＲ  ＳＵＬキャリアは共存しており、ＮＲ  ＵＬキャリアとＮＲ  ＳＵＬキャリアまたはＬＴＥは共存していない。このシナリオでは、ＮＲ  ＳＵＬキャリアおよびＬＴＥ  ＵＬキャリアは、同じ周波数の上りリンクキャリアであってもよいことに留意されたい。具体的には、ＮＲ  ＳＵＬキャリアとＬＴＥ  ＵＬキャリアは同じ周波数である。例えば、ＮＲ  ＵＬキャリアとＮＲ  ＤＬキャリアの周波数は３．５ＧＨｚ、ＬＴＥ  ＵＬキャリアの周波数は１．７５ＧＨｚ、ＬＴＥ  ＤＬキャリアの周波数は１．８５ＧＨｚ、ＮＲ  ＳＵＬキャリアの周波数は１．７５ＧＨｚである。確かに、ＮＲ  ＳＵＬキャリアおよびＬＴＥ  ＵＬキャリアは、代替的には、異なる周波数の上りリンクキャリアであってもよい。例えば、ＮＲ  ＳＵＬキャリアの周波数は７００ＭＨｚであり、ＬＴＥ  ＵＬキャリアの周波数は１．７５ＧＨｚである。
【００９３】
この出願におけるタイミングは、送信デバイスによって信号を送信するための開始モーメント（または終了モーメント）または受信デバイスによって信号を受信するための開始モーメント（または終了モーメント）として理解され得る。説明を簡単にするために、以下では例として無線フレームを使用する。確かに、スロットまたはシンボルのような別のタイプの時間単位を使用してもよい。
【００９４】
信号送信のために使用されるタイミングは、一般に絶対モーメントとして理解され得る。端末デバイスが上りリンク信号を送信する場合、端末デバイスは、受信した同期信号に基づいて、下りリンク受信に使用される無線フレームの開始モーメントを決定し、下りリンク受信に使用される無線フレームの開始モーメントを基準点としてもよいし、端末デバイスはさらに、上りリンク送信に使用される無線フレームの開始モーメントを無線フレームの開始モーメントに基づいて決定する。この場合、上りリンク送信に使用される無線フレームの開始モーメントは、タイミングと見なされてもよく、タイミングは絶対モーメントである。次いで、端末デバイスは、タイミングに基づいて上りリンク信号を送信する。
【００９５】
タイミングは、複数の時点として理解され得ると理解されたい。言い換えると、１つのタイミングは、複数の時点（複数のモーメント）を含み得る。複数のモーメントが少なくとも３つのモーメントを含む場合、少なくとも３つのモーメントは等間隔に配置される。例えば、端末デバイスによって下りリンク受信に使用される無線フレームの開始モーメントを基準モーメントとし、０ミリ秒（millisecond、ｍｓ）と示され、１つの無線フレームの継続時間が１０ミリ秒と示されると仮定すると、端末デバイスによって下りリンク受信に使用される無線フレームのタイミングは、０ｍｓ、１０ｍｓ、２０ｍｓ、・・・などの複数のモーメントを含み得る。具体的には、端末デバイスは、０ｍｓ、１０ｍｓ、２０ｍｓ、・・・などの複数の時点のいくつかまたは全てにおいて下りリンク信号を受信することができる。端末デバイスによって上りリンク送信に使用される無線フレームの開始モーメントは、下りリンク受信に使用される無線フレームの開始モーメントと比較してｘ  ｍｓだけ進み、端末デバイスによって上りリンク送信に使用されるタイミングは、（０−ｘ）ｍｓ、（１０−ｘ）ｍｓ、（２０−ｘ）ｍｓ、・・・などの複数のモーメントを含み得る。確かに、複数のモーメントは、不均等な間隔で交互に配置されてもよい。これは、本明細書に限定されない。
【００９６】
タイミングアドバンスは、相対的モーメントの観点から理解され得る。通信プロトコルで特定される各タイミングは相対モーメントである。一般に、通信プロトコルでは時間基準点が定義されており、通信プロトコルのタイミングと時間基準点との間には、通常、特定のオフセットが存在する。図３は、下りリンク送信に使用される無線フレームと上りリンク受信に使用される無線フレームの概略図である。プロトコルでは、下りリンク受信に使用される無線フレームの開始モーメントが、一般的に時間基準点として使用される。図３に示すように、端末デバイスによって上りリンク送信に使用される無線フレームの開始モーメントは、下りリンク受信に使用される無線フレームの開始モーメントと比べてｘ  ｍｓだけ進むことが特定されており、ｘ  ｍｓは、タイミングアドバンスとみなすことができる。２つの無線フレームの数は同じであってもよい。
【００９７】
従来技術では、ネットワークデバイスがタイミング調整指示情報を端末デバイスに送信し、タイミング調整指示情報はタイミング調整パラメータを搬送し、タイミング調整パラメータはＴＡ値である。例えば、ＴＡ値は１０に等しくてもよい。この場合、端末デバイスは、端末デバイスの上りリンク送信タイミングが下りリンク受信タイミングに比べて１０×Ｔｓ秒進むことを理解すべきであり、Ｔｓはタイミング調整粒度である。
【００９８】
ＮＲシステムは、ＬＴＥ−ＮＲデュアル・コネクティビティ（dual  connectivity、ＤＣ）モードで動作する端末をサポートする。具体的には、端末がＬＴＥシステムとＮＲシステムで同時に動作することがある。図２ｃに示されたシナリオを参照すると、ＴＤＤキャリアおよびＳＵＬキャリアは、ＮＲネットワークデバイスのために配備されてもよく、ＦＤＤキャリアは、ＬＴＥネットワークデバイスのために配備されてもよい。ＬＴＥ−ＮＲ  ＤＣモードの端末デバイスの場合、ＬＴＥ上りリンクキャリア、ＮＲ  ＴＤＤキャリア、およびＮＲ  ＳＵＬキャリアを含む少なくとも３つの上りリンクキャリアが端末デバイスのために構成される。端末デバイスの上りリンクスペクトル効率を最大限に確保するために、３つの上りリンクキャリア上の端末デバイスによる上りリンク信号を送信するためのタイミングが等しくなければならない。そうでなければ、上りリンクリソースの無駄が生じる。図４にタイミングが整列したシナリオで示されているように、端末デバイスが異なる上りリンクキャリア間でスイッチングすることにより上りリンク信号を送信する場合、各上りリンク時間において信号が送信される。
【００９９】
現在、ＬＴＥタイミング調整パラメータとＮＲタイミング調整パラメータは別々に送信されるため、異なる上りリンクキャリア上での端末デバイスのタイミングが等しくならないケースが発生している。３つの上りリンクキャリア上で端末デバイスによって上りリンク信号を送信するタイミングが等しくない場合、いくつかの時間セグメントにおいて、図５に示すように、端末デバイスは上りリンク信号を送信することができず、上りリンクリソースの無駄を生じる。
【０１００】
技術的問題を解決するために、例えば、図６は、本出願による情報を送信および受信するプロセスを示す。以下は、情報を送信および受信するプロセスを説明するために、ネットワークデバイスと基地局との間の対話の方法を使用する。
【０１０１】
図６に示すように、このプロセスは以下のステップを含む。
【０１０２】
ステップ６０１：ネットワークデバイスが、指示情報を決定する。
【０１０３】
この出願では、指示情報はタイミング調整パラメータを示す。タイミング調整パラメータは、端末デバイスによって第１の上りリンクキャリアおよび第２の上りリンクキャリア上での送信タイミングを決定するために使用され、第１の上りリンクキャリアは第１の無線アクセス技術の上りリンクキャリアであり、第２の上りリンクキャリアは第２の無線アクセス技術の上りリンクキャリアである。
【０１０４】
第１の無線アクセス技術はＬＴＥであってもよく、第２の無線アクセス技術はＮＲであってもよいことに留意されたい。これに対応して、ネットワークデバイスは、ＬＴＥネットワークデバイスであってもよく、またはＮＲネットワークデバイスであってもよい。ＬＴＥネットワークデバイスとＮＲネットワークデバイスは、同じサイトに配備されてもよいことを理解されたい。この場合、ＬＴＥネットワークデバイスとＮＲネットワークデバイスは、物理的には同一のネットワークデバイスであるが、論理的には、１つのＬＴＥネットワークデバイスと１つのＮＲネットワークデバイスの２つのネットワークデバイスが存在すると理解されてもよく、または、１つのＬＴＥセルと１つのＮＲセルの２つのサービングセルが存在するものと理解され得る。ＬＴＥセルとＮＲセルは、同じタイミング調整グループに属すると理解されたい。
【０１０５】
ＮＲ上りリンクキャリアは、ＳＵＬキャリアをさらに含むことができるので、第２上りリンクキャリアは、少なくとも２つの上りリンクキャリアを含むことができ、少なくとも２つの上りリンクキャリアは、同一セルに属する。この場合、タイミング調整パラメータは、第１の上りリンクキャリアおよび少なくとも２つの第２の上りリンクキャリア上の送信タイミングを決定するために、端末デバイスによって使用されるものである。確かに、第２の上りリンクキャリアがＮＲ上りリンクキャリアである場合、少なくとも２つの第２の上りリンクキャリアは、少なくとも１つのＴＤＤキャリアおよび少なくとも１つのＳＵＬキャリアを含むことができ、ＴＤＤキャリアはまた、ＮＲ  ＵＬキャリアと呼ばれてもよく、または直接的にＵＬキャリアと呼ばれてもよく、または確かに別の名称を有してもよい。これは、本明細書に限定されない。例えば、３つの第２の上りリンクキャリアが存在する場合、第２の上りリンクキャリアは、２つのＴＤＤキャリアと１つのＳＵＬキャリアの組み合わせであってもよく、１つのＴＤＤキャリアと２つのＳＵＬキャリアの組み合わせであってもよい。この場合、対応して、タイミング調整パラメータは、端末デバイスによって、第１の上りリンクキャリア、少なくとも１つのＴＤＤキャリア、および少なくとも１つのＳＵＬキャリア上での送信タイミングを決定するために使用されるものである。第１の上りリンクキャリア、少なくとも１つのＴＤＤキャリア、および少なくとも１つのＳＵＬキャリアは、同じタイミング調整グループに属すると理解されたい。
【０１０６】
ステップ６０２：ネットワークデバイスが、指示情報を端末デバイスに送信する。
【０１０７】
ネットワークデバイスのカバー範囲内には、２つのサービングセルが存在し、一方はＬＴＥセルであり、他方はＮＲセルであり、指示情報は、ＬＴＥセルによって端末デバイスに送信されてもよく、またはＮＲセルによって端末デバイスに送信されてもよい。１つのタイミング調整パラメータの指示情報を送信することによって、ネットワークデバイスは、端末デバイスが複数の上りリンクキャリア上で同じ送信タイミングを維持できることを保証するために、複数の上りリンクキャリアを決定するために使用されるタイミング調整パラメータを端末デバイスに指示することができる。
【０１０８】
第１の上りリンクキャリアは、一次セル内のキャリアであってもよく、第２の上りリンクキャリアは、二次セル内のキャリアであってもよいことに留意されたい。言い換えると、第１の上りリンクキャリアはＬＴＥキャリアであってもよく、第２の上りリンクキャリアはＮＲキャリアであってもよく、ＬＴＥセルは一次セルであって、ＮＲセルは二次セルであってもよい。ネットワークデバイスは、第１の下りリンクキャリア上の指示情報を端末デバイスに送信することができ、端末デバイスは、ネットワークデバイスから第１の下りリンクキャリア上の指示情報を受信することができる。第１の下りリンクキャリアおよび第１の上りリンクキャリアは、同一セルに属してもよい。例えば、第１の下りリンクキャリアおよび第１の上りリンクキャリアは、同一のＬＴＥセルに属する。
【０１０９】
ステップ６０３：端末デバイスが、ネットワークデバイスからの指示情報を受信し、指示情報に基づいてタイミング調整パラメータを決定する。
【０１１０】
端末デバイスは、指示情報を受信した後、指示情報に基づいてタイミング調整パラメータを決定してもよい。この場合、端末デバイスは、タイミング調整パラメータに基づいて、第１の上りリンクキャリアおよび第２の上りリンクキャリア上の送信タイミングを決定することができる。具体的には、同じタイミング調整パラメータを使用して端末デバイスにＬＴＥ  ＵＬキャリアおよびＮＲ  ＵＬキャリア上でのタイミング調整を行うように指示する場合、端末デバイスは、タイミング調整パラメータに基づいてＬＴＥ  ＵＬキャリアおよびＮＲ  ＵＬキャリア上での送信タイミングを決定する。ネットワークデバイスが、同じタイミング調整パラメータを使用して端末デバイスに、ＬＴＥ  ＵＬキャリア、ＮＲ  ＵＬキャリア、ＮＲ  ＳＵＬキャリア上でのタイミング調整を行うように指示する場合、端末デバイスは、タイミング調整パラメータに基づいて、ＬＴＥ  ＵＬキャリア、ＮＲ  ＵＬキャリア、ＮＲ  ＳＵＬキャリア上での送信タイミングを決定する。ネットワークデバイスが、同じタイミング調整パラメータを使用して端末デバイスに、ＬＴＥ  ＵＬキャリアおよびＮＲ  ＳＵＬキャリア上でのタイミング調整を行うように指示する場合、端末デバイスは、タイミング調整パラメータに基づいて、ＬＴＥ  ＵＬキャリアおよびＮＲ  ＳＵＬキャリア上での送信タイミングを決定する。
【０１１１】
ネットワークデバイスによって端末デバイスに送信されるタイミング調整パラメータは、正の数又は０でもよいし、負の数でもよいことに留意されたい。具体的には、ネットワークデバイスによって端末デバイスに送信されるタイミング調整パラメータが負の数である場合、端末デバイスは、端末デバイスの上りリンク送信タイミングが下りリンク受信タイミングより遅いと決定する。例えば、タイミング調整パラメータＴＡの値が−２０である場合、端末デバイスは、上りリンク送信タイミングが下りリンク受信タイミングよりも２０×Ｔｓ遅いと決定し、Ｔｓはタイミング調整粒度である。別の例では、タイミング調整パラメータＴＡの値が１０である場合、端末デバイスは、上りリンク送信タイミングが下りリンク受信タイミングより１０×Ｔｓ早いと決定する。別の例では、タイミング調整パラメータＴＡの値が０である場合、端末デバイスは、上りリンク送信タイミングが下りリンク受信タイミングと比べて変化しないままであると決定する。この出願のこの実施態様は、単なる一例に過ぎず、これに限定されるものではない。
【０１１２】
この出願は、さらに、情報を送信および受信するプロセスを提供し、このプロセスは、図２ａに示されたシナリオに適用され得る。
【０１１３】
図７に示すように、このプロセスは以下のステップを含む。
【０１１４】
ステップ７０１：ネットワークデバイスが、指示情報を決定する。
【０１１５】
指示情報は、タイミング調整パラメータを含み、タイミング調整パラメータは、端末デバイスによって第１の上りリンクキャリアおよび第２の上りリンクキャリア上での送信タイミングを決定するために使用される。第１の上りリンクキャリアおよび第２の上りリンクキャリアは、同一セル内の上りリンクキャリアである。例えば、第１の上りリンクキャリアおよび第２の上りリンクキャリアは２つのＮＲ上りリンクキャリアであり、第１の上りリンクキャリアはＴＤＤキャリアであり、第２の上りリンクキャリアはＳＵＬキャリアである。タイミング調整パラメータは、ＴＤＤキャリアおよびＳＵＬキャリア上での送信タイミングを決定するために端末デバイスによって使用されるものである。
【０１１６】
ステップ７０２：ネットワークデバイスが、指示情報を端末デバイスに送信する。
【０１１７】
ステップ７０３：端末デバイスが、ネットワークデバイスから送信された指示情報を受信し、指示情報に基づいて、タイミング調整パラメータを決定する。
【０１１８】
端末デバイスは、ネットワークデバイスによって送信された指示情報を受信した後、指示情報に基づいてタイミング調整パラメータを決定してもよい。これに対応して、端末デバイスによってＮＲ  ＴＤＤキャリア上で上りリンク送信を行うための第１のサブキャリア間隔は、端末デバイスによってＮＲ  ＳＵＬキャリア上で上りリンク送信を行うための第２のサブキャリア間隔と同じか、または異なっていてもよい。
【０１１９】
第１のサブキャリア間隔が第２のサブキャリア間隔と異なる場合、タイミング調整パラメータに対応するタイミング調整粒度は、端末デバイスによる上りリンク送信を行うためのサブキャリア間隔に関連する。例えば、１５ＫＨｚサブキャリア間隔に対応するタイミング調整粒度Ｔ１は０．２５Ｔｓであり、３０ＫＨｚサブキャリア間隔に対応するタイミング調整粒度Ｔ２は０．５Ｔｓである。具体的には、異なるサブキャリア間隔に対応するタイミング調整粒度は異なる。したがって、ネットワークデバイスによって端末デバイスに送信されるタイミング調整パラメータがＴＡである場合、端末デバイスは、タイミング調整パラメータＴＡに対応するタイミング調整の粒度を決定する必要がある。
【０１２０】
可能な方法で、端末デバイスは、タイミング調整粒度が、第１のサブキャリア間隔および第２のサブキャリア間隔ののうちのより大きなものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度がＴｓであると決定することができる。
【０１２１】
別の可能な方法では、端末デバイスは、タイミング調整粒度が、第１のサブキャリア間隔および第２のサブキャリア間隔のうちのより小さいものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．２５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。
【０１２２】
さらに別の可能な方法では、端末デバイスは、タイミング調整粒度がＮＲ  ＵＬキャリアの第１サブキャリア間隔に対応するタイミング調整粒度であると決定する。例えば、ＮＲ  ＵＬキャリアの第１サブキャリア間隔に対応するタイミング調整粒度が０．４Ｔｓである場合、端末デバイスは、タイミング調整粒度が０．４Ｔｓであると決定する。
【０１２３】
さらに、別の可能な方法では、ネットワークデバイスは、タイミング調整パラメータを搬送するメッセージにタイミング調整粒度を示す指示情報を追加し、端末デバイスは、その指示情報に基づいて対応するタイミング調整粒度を決定する。例えば、ネットワークデバイスは、明示的な指示方法、すなわち、指示情報が、タイミング調整粒度値またはインデックスを直接示すことを使用してもよい。例えば、指示情報は、状態０が調整粒度値Ｔｓを示し、状態１が調整粒度値０．５Ｔｓを示す１ビット情報であってもよく、詳細は表１に示される。代替的には、ネットワークデバイスは、暗黙的な指示方法、すなわち、指示情報は、上りリンクキャリアのインデックス、値、またはサブキャリア間隔のインデックスを示し得ることを使用してもよい。この場合、端末デバイスは、まず、指示情報に基づいて対応する上りリンクキャリアまたはサブキャリア間隔を決定し、次いで、上りリンクキャリアまたはサブキャリア間隔に基づいて対応するタイミング調整粒度値を決定する。本出願のこの実施態様は、単なる一例に過ぎず、これに限定されるものではない。
【表１】
2021503786.tif 000003
【０１２４】
端末デバイスが、ネットワークデバイスによって送信された指示情報を受信する前に、端末デバイスは、ネットワークデバイスにランダムアクセス信号を送信する必要があり、ネットワークデバイスがタイミング調整パラメータを決定するようにする。端末デバイスは、第１の上りリンクキャリア上でランダムアクセス信号をネットワークデバイスに送信してもよく、または、第２の上りリンクキャリア上でランダムアクセス信号をネットワークデバイスに送信してもよく、ランダムアクセス信号はランダム・アクセス・プリアンブル（Preamble）であってもよい。
【０１２５】
任意に、第１のタイミングオフセットは、端末デバイスによって第１の上りリンクキャリア上でランダムアクセス信号をネットワークデバイスに送信するための第１のタイミングと、端末デバイスによってネットワークデバイスから第１の下りリンクキャリア上で下りリンク信号を受信するための受信タイミングとの間に存在し、第１のタイミングオフセットは、端末デバイスによって第２の上りリンクキャリア上でランダムアクセス信号をネットワークデバイスに送信する第２のタイミングと、端末デバイスによってネットワークデバイスから第１の下りリンクキャリア上で下りリンク信号を受信する第１のタイミングとの間にも存在する。例えば、第１のタイミングオフセットは、プロトコルにおいて予め決定されたパラメータであってもよい。例えば、第１のタイミングオフセットは、ＬＴＥまたはＮＲにおけるＮＴＡｏｆｆｓｅｔであってもよい。具体的には、端末デバイスが第１の上りリンクキャリア上でランダムアクセス信号を送信するときに使用されるＮＴＡｏｆｆｓｅｔの値と、端末デバイスが第２の上りリンクキャリア上でランダムアクセス信号を送信するときに使用されるＮＴＡｏｆｆｓｅｔの値は、等しいか、または同じＮＴＡｏｆｆｓｅｔが使用されると理解され得る。別の例では、第１のタイミングオフセットは、ネットワークデバイスによって端末デバイスに送信されてもよい。具体的には、第１のタイミングオフセットは、第１の値または第２の値であってもよい。この場合、ネットワークデバイスは、端末デバイスに、第１のタイミングオフセットが第１の値または第２の値であることを示すために使用される指示情報を送信する。第１の上りリンクキャリアはＴＤＤキャリアであってもよく、第２の上りリンクキャリアはＳＵＬキャリアであってもよく、第１の下りリンクキャリアは第１の上りリンクキャリアに関連するＴＤＤキャリアであってもよい。第１の下りリンクキャリアおよび第２の上りリンクキャリアは、それぞれＴＤＤキャリアの上りリンクキャリアおよび下りリンクキャリアであると理解されたい。端末デバイスによって第１の上りリンクキャリア上でランダムアクセス信号をネットワークデバイスに送信するための第１のタイミングは、第２の上りリンクキャリア上でランダムアクセス信号をネットワークデバイスに送信するための第２のタイミングと等しい。従って、端末デバイスは、第１の上りリンクキャリアおよび第２の上りリンクキャリアのための１つのタイミングまたは１つのタイミングオフセットのみを決定する必要がある。これは、第１の上りリンクキャリアおよび第２の上りリンクキャリアのための２つの異なるタイミングまたは２つの異なるタイミングオフセットを決定するよりも単純であり、端末デバイスの複雑さを低減することができる。
【０１２６】
前述の実施形態では、第１の上りリンクキャリアおよび第２の上りリンクキャリアは、同じ第１のタイミング調整グループに属する。第３の上りリンクキャリアおよび第４の上りリンクキャリアは、端末デバイスのためにさらに構成されてもよく、第３の上りリンクキャリアおよび第４の上りリンクキャリアは、第１のタイミング調整グループとは異なる第２のタイミング調整グループに属している。この場合、ネットワークデバイスは、２つの指示情報を端末デバイスに送信することができ、一方の指示情報は、第１のタイミング調整グループにおける端末デバイスの第１のタイミングオフセットを示し、他方の指示情報は、第２のタイミング調整グループにおける端末デバイスの第２のタイミングオフセットを示す。具体的には、端末デバイスは、ネットワークデバイスから第１の指示情報を受信し、第１の指示情報は、第１のタイミング調整グループに対応する端末デバイスの第１のタイミングオフセットを示す。任意に、端末デバイスは、さらに、ネットワークデバイスから第２の指示情報を受信し、第２の指示情報は、第２のタイミング調整グループに対応する端末デバイスの第２のタイミングオフセットを示し、第１のタイミングオフセットと第２のタイミングオフセットは、同じであってもよく、または異なってもよい。具体的には、異なるタイミング調整グループに対して、ネットワークデバイスは、各タイミング調整グループに対して別々にタイミングオフセットを設定することができ、異なるタイミング調整グループに対応するタイミングオフセットは、同一であってもよく、または異なってもよい。例えば、異なるタイミング調整グループに対して例としてタイミングオフセットＮＴＡｏｆｆｓｅｔを使用することにより、ネットワークデバイスは、端末デバイスの各タイミング調整グループに対して別々にＮＴＡｏｆｆｓｅｔを設定することができ、異なるタイミング調整グループに対応するＮＴＡｏｆｆｓｅｔは、同一であってもよく、または異なってもよい。任意に、同じタイミング調整グループ内の上りリンクキャリアは、同じ周波数帯域に属していてもよく、または異なる周波数帯域に属していてもよい。例えば、第１のタイミング調整グループの第１の上りリンクキャリアは第１の周波数帯域に属し、第１のタイミング調整グループの第２の上りリンクキャリアは第２の周波数帯域に属する。任意に、第１の周波数帯域は６ＧＨｚより低い周波数帯域であり、第２の周波数帯域は６ＧＨｚより高い周波数帯域である。本方法は、前述の実施形態のものに限定されるものではなく、他のシナリオにも適用することができることに留意されたい。タイミング調整グループ内の上りリンクキャリアの数は、２つに限定されず、１つまたは３つ以上であってもよい。追加的に、端末デバイスの複数の上りリンクキャリアが属することができるタイミング調整の数は、１つまたは２つのいずれかに限定されるものではなく、確かに３つ以上であってもよい。
【０１２７】
任意に、第１のタイミングオフセットは、端末デバイスによって第１の上りリンクキャリア上でランダムアクセス信号をネットワークデバイスに送信するための第１のタイミングと、端末デバイスによってネットワークデバイスから第１の下りリンクキャリア上で下りリンク信号を受信するための受信タイミングとの間に存在し、第２のタイミングオフセットは、端末デバイスによって第２の上りリンクキャリア上でランダムアクセス信号をネットワークデバイスに送信するための第２のタイミングと、端末デバイスによってネットワークデバイスから第１の下りリンクキャリア上で下りリンク信号を受信するための受信タイミングとの間にも存在し、第１のタイミングオフセットと第２のタイミングオフセットとは等しくない。具体的には、第１／第２タイミングオフセットは、プロトコルにおいて予め決定されたパラメータであってもよい。例えば、第１のタイミングオフセットは、ＬＴＥまたはＮＲにおけるＮＴＡｏｆｆｓｅｔであってもよい。具体的には、端末デバイスが第１の上りリンクキャリア上でランダムアクセス信号を送信するときに使用されるＮＴＡｏｆｆｓｅｔ１の値は、端末デバイスが第２の上りリンクキャリア上でランダムアクセス信号を送信するときに使用されるＮＴＡｏｆｆｓｅｔ２の値と等しくない。第１の上りリンクキャリアはＴＤＤキャリアであってもよく、第２の上りリンクキャリアはＳＵＬキャリアであってもよく、第１の下りリンクキャリアは第１の上りリンクキャリアに関連するＴＤＤキャリアであってもよい。好ましくは、ＮＴＡｏｆｆｓｅｔ２は０に等しく、ＮＴＡｏｆｆｓｅｔ１は０より大きい。これは、ＳＵＬキャリアがＬＴＥおよびＮＲによって共有される場合、ネットワークデバイスによって端末デバイスからのランダムアクセス信号を受信する性能を向上させるのに役立ち、ＬＴＥ端末デバイスおよびＮＲ端末デバイスによって送信されるランダムアクセス信号間の干渉を回避することができる。
【０１２８】
任意に、第１のタイミングオフセットは、端末デバイスによって第１の上りリンクキャリア上でランダムアクセス信号をネットワークデバイスに送信するための第１のタイミングと、端末デバイスによってネットワークデバイスから第１の下りリンクキャリア上で下りリンク信号を受信するための受信タイミングとの間に存在し、第２のタイミングオフセットは、端末デバイスによって第２の上りリンクキャリア上でランダムアクセス信号をネットワークデバイスに送信するための第２のタイミングと、端末デバイスによって第１の下りリンクキャリア上でネットワークデバイスから下りリンク信号を受信するための第２のタイミングとの間にも存在し、第１のタイミングオフセットと第２のタイミングオフセットとは等しくてもよく、または等しくなくてもよい。具体的には、第１／第２タイミングオフセットは、プロトコルにおいて予め決定されたパラメータであってもよい。例えば、第１のタイミングオフセットは、ＬＴＥまたはＮＲにおけるＮＴＡｏｆｆｓｅｔであってもよい。例えば、少なくとも２つの値、例えば、第１の値と第２の値が、プロトコルで事前に定義されている。この場合、端末デバイスは、第１のタイミングオフセットが第１の値に等しいと決定する。端末デバイスは、ネットワークデバイスから、第２のタイミングオフセットが第１の値または第２の値であることを示すために使用される指示情報を受信し、指示情報に基づいて、第２のタイミングオフセットが第１の値または第２の値と等しいと決定する。別の例では、少なくとも２つの値、例えば、第１の値および第２の値が、プロトコルで事前に定義されている。この場合、端末デバイスは、第１のタイミングオフセットが第１の値に等しいと決定し、端末デバイスは、事前に定義された規則に従って、第２のオフセットが第１の値または第２の値に等しいと決定する。第１の上りリンクキャリアはＴＤＤキャリアであってもよく、第２の上りリンクキャリアはＳＵＬキャリアであってもよく、第１の下りリンクキャリアは第１の上りリンクキャリアに関連するＴＤＤキャリアであってもよい。好ましくは、第２の値は０に等しくてもよく、第１の値は０より大きい。端末デバイスによってランダムアクセス信号を送信するためのタイミングオフセットは、指示情報を用いて通知されるため、端末デバイスの送信タイミングが柔軟に調整され得る。
【０１２９】
端末デバイスによってランダムアクセス信号を送信するためのタイミングおよびタイミングオフセットを決定するための上述の方法は、この出願のこの実施形態に限定されるものではなく、他の場合にも適用可能であり、確かに独立した方法としても使用され得ると留意されたい。これは、本明細書に限定されない。
【０１３０】
任意に、図２ｂに示されたシナリオを参照すると、この出願では、端末デバイスによってＮＲ  ＵＬキャリア上で上りリンク送信を行うための第１のサブキャリア間隔は、端末デバイスによってＬＴＥ  ＵＬキャリア上で上りリンク送信を行うための第２のサブキャリア間隔と同じか、または異なってもよい。第１のサブキャリア間隔が第２のサブキャリア間隔と異なり、ネットワークデバイスによって端末デバイスに送信されるタイミング調整パラメータがＴＡである場合、端末デバイスは、タイミング調整パラメータＴＡに対応するタイミング調整粒度を決定する必要がある。端末デバイスは、タイミング調整粒度が、第１のサブキャリア間隔および第２のサブキャリア間隔のうちのより大きなものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度がＴｓであると決定することができる。
【０１３１】
別の可能な方法では、端末デバイスは、タイミング調整粒度が、第１のサブキャリア間隔および第２のサブキャリア間隔のうちのより小さいものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．２５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。
【０１３２】
さらに別の可能な方法では、端末デバイスは、タイミング調整粒度がＮＲ  ＵＬキャリアの第１サブキャリア間隔に対応するタイミング調整粒度であると決定する。例えば、ＮＲ  ＵＬキャリアの第１サブキャリア間隔に対応するタイミング調整粒度が０．４Ｔｓである場合、端末デバイスは、タイミング調整粒度が０．４Ｔｓであることを決定する。
【０１３３】
さらに別の可能な方法では、ネットワークデバイスは、タイミング調整パラメータを搬送するメッセージにタイミング調整粒度を示す指示情報を追加し、端末デバイスは、その指示情報に基づいて対応するタイミング調整粒度を決定する。例えば、ネットワークデバイスは、明示的な指示方法、すなわち、指示情報が、タイミング調整粒度値またはインデックスを直接示すことを使用してもよい。例えば、指示情報は、状態０が調整粒度値Ｔｓを示し、状態１が調整粒度値０．５Ｔｓを示す１ビット情報であってもよく、詳細は表１に示される。代替的には、ネットワークデバイスは、暗黙的な指示方法、すなわち、指示情報が、上りリンクのインデックス、値、またはサブキャリア間隔のインデックスを示し得ることを使用してもよい。したがって、端末デバイスは、まず、指示情報に基づいて対応する上りリンクキャリアまたはサブキャリアの間隔を決定し、次いで、上りリンクキャリアまたはサブキャリア間隔に基づいて対応するタイミング調整粒度値を決定する。
【０１３４】
別の実装では、端末デバイスがＣＡモードでＬＴＥおよびＮＲにアクセスする場合、ＬＴＥセルは一次セルであり、ＮＲセルは二次セルである。この場合、端末デバイスは、一次セル内のタイミング調整パラメータを受信し、端末デバイスは、タイミング調整粒度が一次セルに対応するタイミング調整粒度であると決定してもよい。この例の実装は、ＣＡモードにおける２つの異なる無線アクセス技術のネットワークデバイスへの端末デバイスのアクセスに限定されるものではなく、ＣＡモードにおける同一の無線アクセス技術の複数のネットワークデバイスへの端末デバイスのアクセスにも適用されると留意されたい。確かに、端末デバイスは、ＤＣモードでアクセスを行うこともできる。これは、本明細書に限定されない。
【０１３５】
この出願において、端末デバイスは、ネットワークデバイスによってＮＲ  ＤＬキャリア上で送信された下りリンク基準信号に基づいて測定を行い、測定結果を取得し、次いで、測定結果（パスロスを含む）に基づいて上りリンク送信中に電力制御を行うことができる。具体的には、端末デバイスは、パスロスに基づいて、ＮＲ  ＵＬキャリア上で信号を送信するための端末デバイスの電力を調整することができる。しかし、端末デバイスがＮＲ  ＳＵＬキャリア上で上りリンク送信を行うときに行われる電力制御には、パスロスは適用されない。ＮＲ  ＳＵＬキャリア上での上りリンク送信中に端末デバイスが電力制御を行うことを可能にするために、この出願は上りリンク送信中の電力制御のための方法を提案する。図８に示すように、このプロセスは、具体的には以下のステップを含む。
【０１３６】
ステップ８０１：ネットワークデバイスが、下りリンク基準信号を端末デバイスに送信する。
【０１３７】
この出願では、第１の上りリンクキャリアは、一次セル内のキャリアであってもよく、第２の上りリンクキャリアは、二次セル内のキャリアであってもよい。言い換えると、第１の上りリンクキャリアはＬＴＥキャリアであってもよく、第２の上りリンクキャリアはＮＲキャリアであってもよく、ＬＴＥセルは一次セルであって、ＮＲセルは二次セルである。
【０１３８】
この場合、ネットワークデバイスは、第１の下りリンクキャリア上で下りリンク基準信号を端末デバイスに送信することができ、第１の下りリンクキャリアおよび第１の上りリンクキャリアは、同一セルに属することができる。例えば、第１の下りリンクキャリアと第１の上りリンクキャリアは同じＬＴＥセルに属し、第１の下りリンクキャリアはＬＴＥ下りリンクキャリアであり、第１の上りリンクキャリアはＬＴＥ上りリンクキャリアである。任意に、第１の下りリンクキャリアおよび第１の上りリンクキャリアは、代替的には別のセルに属してもよい。例えば、第１の下りリンクキャリアはＬＴＥ下りリンクキャリアであり、第１の上りリンクキャリアはＮＲ上りリンクキャリアであってもよい。
【０１３９】
ステップ８０２：端末デバイスが、ネットワークデバイスから下りリンク基準信号を受信し、下りリンク基準信号に基づいて、第２の上りリンクキャリア上で上りリンク信号を送信するための電力を決定する。
【０１４０】
端末デバイスは、第１の下りリンクキャリアから下りリンク基準信号を受信することができ、第１の下りリンクキャリアはＬＴＥ下りリンクキャリアである。端末デバイスは、ＬＴＥ下りリンクキャリアで受信した下りリンク基準信号に基づいて、ＮＲ  ＳＵＬキャリア上で上りリンク信号をネットワークデバイスに送信するための電力を決定することができる。
【０１４１】
任意に、この出願は、電力制御のための別の方法をさらに提供する。図９に示すように、電力制御のプロセスは以下のステップを含む。
【０１４２】
ステップ９０１：ネットワークデバイスが、下りリンク基準信号を決定する。
【０１４３】
この出願では、下りリンク基準信号は、端末デバイスによって、第１の上りリンクキャリア上で上りリンク信号をネットワークデバイスに送信するための電力を決定するために使用されてもよい。
【０１４４】
ステップ９０２：ネットワークデバイスが、第１の下りリンクキャリア上で下りリンク基準信号を端末デバイスに送信する。
【０１４５】
第１の下りリンクキャリアおよび第１の上りリンクキャリアは、異なるセルに属してもよい。第１の下りリンクキャリアは、一次セル内の下りリンクキャリアであり、第１の上りリンクキャリアは、二次セル内の上りリンクキャリアである。代替的には、第１の下りリンクキャリアは、第１の無線アクセス技術の下りリンクキャリアであり、第１の上りリンクキャリアは、第２の無線アクセス技術の上りリンクキャリアである。第１の無線アクセス技術はＬＴＥであり、第２の無線アクセス技術はＮＲである。第１の上りリンクキャリア、第２の上りリンクキャリア、および第２の下りリンクキャリアは、同一セルに属する。
【０１４６】
任意に、ネットワークデバイスは、さらに、指示情報を端末デバイスに送信することができ、指示情報は、端末デバイスが、下りリンク基準信号に基づいて、第１の上りリンクキャリア上で上りリンク信号をネットワークデバイスに送信するための電力を決定することを示してもよく、または、指示情報は、端末デバイスが、下りリンク基準信号を使用することによって、第１の上りリンクキャリア上で上りリンク信号をネットワークデバイスに送信するための電力を決定しないことを示す。指示情報は、ネットワークデバイスから端末デバイスへ明示的に送信されてもよいことに留意されたい。例えば、指示情報は２つの状態を含んでもよく、第１の状態は、端末デバイスが、下りリンク基準信号に基づいて、第１の上りリンクキャリア上で上りリンク信号をネットワークデバイスに送信するための電力を決定することを示し、第２の状態は、端末デバイスが、下りリンク基準信号を使用することによって、第１の上りリンクキャリア上で上りリンク信号をネットワークデバイスに送信するための電力を決定しないことを示す。確かに、指示情報は、代替的には他の情報において暗黙的に搬送されてもよい。例えば、ネットワークデバイスは、第１の上りリンクキャリアの周波数を示す情報を端末デバイスに送信し、指示情報は、第１の上りリンクキャリアの周波数を示す情報内で搬送され得る。具体的には、ネットワークデバイスが、端末デバイスに対して、第１の上りリンクキャリアの周波数が第１の周波数であることを示す場合には、端末デバイスは、下りリンク基準信号に基づいて、第１の上りリンクキャリア上で上りリンク信号をネットワークデバイスに送信するための電力を決定することを暗黙的に指示されるか、または、ネットワークデバイスが、端末デバイスに対して、第１の上りリンクキャリアの周波数が第２の周波数であることを示す場合には、端末デバイスは、下りリンク基準信号に基づいて、第１の上りリンクキャリア上の上りリンク信号をネットワークデバイスに送信するための電力を決定しないことを暗黙的に指示される。第１の周波数および／または第２の周波数は、複数の周波数値を含み得る。
【０１４７】
任意に、ネットワークデバイスは、さらに、第２の指示情報を端末デバイスに送信してもよく、第２の指示情報は、端末デバイスによって下りリンク基準信号を決定するために使用される。第２の指示情報は、下りリンク基準信号に対応するリソース情報、シーケンス情報、および電力情報のうちの少なくとも１つを含む。
【０１４８】
ステップ９０３：端末デバイスが、ネットワークデバイスから第１の下りリンクキャリア上で下りリンク基準信号を受信し、下りリンク基準信号に基づいて、第１の上りリンクキャリア上で上りリンク信号をネットワークデバイスに送信するための電力を決定する。
【０１４９】
端末デバイスは、第１の下りリンクキャリア上で下りリンク基準信号を受信し、第１の下りリンクキャリアは、ＬＴＥ下りリンクキャリアであってもよい。端末デバイスは、ＬＴＥ下りリンクキャリアで受信した下りリンク基準信号に基づいて、第１上りリンクキャリア上で上りリンク信号をネットワークデバイスに送信するための電力を決定する。第１の上りリンクキャリア、第２の上りリンクキャリア、および第２の下りリンクキャリアは、同一セルに属する。端末デバイスがＬＴＥおよびＮＲに同時にアクセスすることができる場合には、端末デバイスは、下りリンク基準信号がＬＴＥ下りリンク基準信号であると決定してもよいと理解されたい。端末デバイスがＮＲのみにアクセスできる場合、端末デバイスは、ＬＴＥ下りリンクキャリア上で下りリンク基準信号を代替的に受信することができる。この場合、端末デバイスは、下りリンク基準信号が受信されたことのみを決定することができ、下りリンク基準信号がＬＴＥ下りリンク基準信号であると決定する必要はない。具体的には、ＬＴＥは端末デバイスに対して透過的である。言い換えると、端末デバイスはＬＴＥの存在を知らない。
【０１５０】
任意に、この出願は、電力制御のための別の方法をさらに提供する。図１０に示すように、電力制御のプロセスは以下のステップを含む。
【０１５１】
ステップ１００１：端末デバイスが、ターゲット上りリンクキャリアに対応する電力情報を決定する。
【０１５２】
例えば、ターゲット上りリンクキャリアは、第１の上りリンクキャリアまたは第２の上りリンクキャリアのうちの一方であってもよい。端末デバイスは、少なくともターゲット上りリンクキャリアの電力情報を決定すると理解されたい。端末デバイスは、ターゲット上りリンクキャリアよりも、第１の上りリンクキャリアおよび第２の上りリンクキャリアのうちの他方の電力情報を決定してもよく、他方の上りリンクキャリアの電力情報を決定しなくてもよい。これは、本明細書に限定されない。
【０１５３】
別の例では、ターゲット上りリンクキャリアは、第１の上りリンクキャリアと第２の上りリンクキャリアの両方を含むことができる。端末デバイスは、第１の上りリンクキャリアの電力情報と第２の上りリンクキャリアの電力情報の両方を決定すると理解されたい。
【０１５４】
例えば、電力情報は、第１電力と第２電力との間の差を含み得る。第１の電力は、端末デバイスの最大送信電力であってもよく、最大送信電力は、端末デバイスの公称／定格最大送信電力であってもよく、公称／定格最大送信電力は、公称（nominal）最大送信電力とも呼ばれることがある。代替的には、第１の電力は、端末デバイスの実際の最大送信電力であってもよい。最大送信電力のタイプは、本明細書では限定されない。第２の電力は、端末デバイスによって推定された（estimated）上りリンク信号送信電力であってもよく、推定された上りリンク信号送信電力は、事前に定義された規則に従って端末デバイスによって決定されてもよく、または別の方法によって端末デバイスによって決定されてもよい。端末デバイスによって電力を決定するための方法は、本明細書では限定されない。具体的には、推定された上りリンク信号送信電力は、上りリンクデータ／共有チャネルの推定送信電力であってもよく、上りリンク制御チャネルの推定送信電力であってもよく、上りリンク測定信号の推定送信電力であってもよく、上りリンクデータ／共有チャネルおよび上りリンク制御チャネルの推定送信電力であってもよく、または、確かに、別の上りリンク信号の推定送信電力であってもよい。
【０１５５】
別の例では、電力情報は、端末デバイスの最大送信電力をさらに含むことができる。最大送信電力は、端末デバイスの公称／定格最大送信電力であってもよく、公称／定格最大送信電力は、公称（nominal）最大送信電力とも呼ばれることがある。第１の電力は、代替的には端末デバイスの実際の最大送信電力であってもよい。最大送信電力のタイプは、本明細書では限定されない。
【０１５６】
ステップ１００２：端末デバイスは、電力情報および指示情報をネットワークデバイスに送信する。
【０１５７】
指示情報は、電力情報に対応する上りリンクキャリアを示す。
【０１５８】
例えば、ターゲット上りリンクキャリアが第１の上りリンクキャリアまたは第２の上りリンクキャリアのうちの１つである場合、ターゲット上りリンクキャリアは上りリンクキャリアであり、電力情報はターゲット上りリンクキャリアのみに対応し、指示情報はターゲット上りリンクキャリアを示す。
【０１５９】
任意に、指示情報は明示的な情報であってもよい。例えば、指示情報は、１ビットを含み、ビットが状態０である場合には、ターゲット上りリンクキャリアが第１の上りリンクキャリアであることを示すか、またはビットが状態１である場合には、ターゲット上りリンクキャリアが第２の上りリンクキャリアであることを示す。なお、指示情報と電力情報とは、同一のメッセージで搬送され、端末デバイスによってネットワークデバイスに送信されると理解されたい。
【０１６０】
任意に、指示情報は、代替的には暗黙的な情報であってもよい。例えば、ターゲット上りリンクキャリアが第１の上りリンクキャリアである場合、端末デバイスは、第１の上りリンクキャリア上で、電力情報を搬送するメッセージをネットワークデバイスに送信するか、ターゲット上りリンクキャリアが第２の上りリンクキャリアである場合、端末デバイスは、第２の上りリンクキャリア上で、電力情報を搬送するメッセージをネットワークデバイスに送信する。指示情報は、電力情報を搬送するメッセージを搬送し、端末デバイスによってネットワークデバイスに送信される上りリンクキャリア内で暗黙的に搬送されると理解されたい。
【０１６１】
別の例では、ターゲット上りリンクキャリアが第１の上りリンクキャリアおよび第２の上りリンクキャリアを含む場合、すなわち、ターゲット上りリンクキャリアが２つの上りリンクキャリアを含む場合、電力情報は、第１の上りリンクキャリアに対応する第１の電力情報および第２の上りリンクキャリアに対応する第２の電力情報を含む。第１の電力情報および第２の電力情報は、同一のメッセージ内で搬送され、端末デバイスによってネットワークデバイスに送信されてもよく、または異なるメッセージ内で搬送され、端末デバイスによってネットワークデバイスに送信されてもよい。
【０１６２】
任意に、指示情報は明示的な情報であってもよい。例えば、指示情報は２ビットを含み、２ビットのうちの一方のビットは第１の電力情報を示し、他方のビットは第２の電力情報を示す。具体的には、一方のビットが０の場合、指示情報は、第１の電力情報を含まないか、一方のビットが１の場合、指示情報は、第１の電力情報を含む。なお、指示情報のビット数および状態とビットの意味との対応は、上記の例に限定されるものではない。
【０１６３】
任意で、指示情報は暗黙的な情報であってもよい。例えば、指示情報は、第１の電力情報および第２の電力情報が電力情報を搬送するメッセージ内で搬送される位置またはシーケンス内で搬送される。例えば、第１の電力情報はメッセージ内の第１のフィールドで搬送され、第２の電力情報はメッセージ内の第２のフィールドで搬送され、第１のフィールドは第１の電力情報に対応する第１の上りリンクキャリアに対応し、第２のフィールドは第２の電力情報に対応する第２の上りリンクキャリアに対応する。別の例では、第１の電力情報はメッセージ内の第１のフィールドで搬送され、第２の電力情報はメッセージ内の第２のフィールドで搬送され、メッセージ内の第１のフィールドの番号はメッセージ内の第２のフィールドの番号より小さい。より小さい番号を有する第１のフィールドは、第１の電力情報に対応する第１の上りリンクキャリアに対応し、より大きな番号を有する第２のフィールドは、第２の電力情報に対応する第２の上りリンクキャリアに対応すると理解されたい。上記の説明は全て特定の実装の例であり、本方法を限定するものではないことに留意されたい。
【０１６４】
ステップ１００３：ネットワークデバイスは、端末デバイスから電力情報および指示情報を受信し、指示情報に基づいて、電力情報に対応するターゲット上りリンクキャリアを決定する。
【０１６５】
ネットワークデバイスは、端末デバイスから電力情報および指示情報を受信することができる。ネットワークデバイスは、指示情報に基づいて、電力情報に対応するターゲット上りリンクキャリアを決定する。
【０１６６】
ターゲット上りリンクキャリアが第１の上りリンクキャリアまたは第２の上りリンクキャリアのうちの１つである場合、ネットワークデバイスによって受信される電力情報は、第１の上りリンクキャリアまたは第２の上りリンクキャリアの電力であってもよい。ネットワークデバイスによって受信される指示情報は、明示的な情報であってもよい。例えば、指示情報は、１ビットを含み、ビットが状態０である場合、指示情報は、ターゲット上りリンクキャリアが第１の上りリンクキャリアであることを示し、ネットワークデバイスは、指示情報に基づいて、第１の上りリンクキャリアの第１の電力情報に対応する第１の上りリンクキャリアを決定することができる。ビットが状態１である場合、指示情報は、ターゲット上りリンクキャリアが第２の上りリンクキャリアであることを示し、ネットワークデバイスは、指示情報に基づいて、第２の上りリンクキャリアの第２の電力情報に対応する第２の上りリンクキャリアを決定することができる。
【０１６７】
別の例では、指示情報が暗黙的な情報であり、ターゲット上りリンクキャリアが第１の上りリンクキャリアである場合、ネットワークデバイスは、第１の上りリンクキャリア上で、電力情報を搬送し端末デバイスによって送信されるメッセージを受信し、ネットワークデバイスは、電力情報が第１の上りリンクキャリアの電力情報であると決定する、すなわち、第１の上りリンクキャリアがターゲット上りリンクキャリアであると決定することができるようにする。これに対応して、ネットワークデバイスが、第２の上りリンクキャリア上で、電力情報を搬送し端末デバイスによって送信されるメッセージを受信する場合、ネットワークデバイスは、受信した電力情報が第２の上りリンクキャリアの電力情報であると決定する、すなわち、第２の上りリンクキャリアがターゲット上りリンクキャリアであると決定することができる。
【０１６８】
代替的には、ターゲット上りリンクキャリアは、第１の上りリンクキャリアおよび第２の上りリンクキャリアを含んでもよく、すなわち、ターゲット上りリンクキャリアは、２つの上りリンクキャリアを含み、電力情報は、第１の上りリンクキャリアに対応する第１の電力情報および第２の上りリンクキャリアに対応する第２の電力情報を含む。
【０１６９】
任意に、指示情報が明示的な情報である場合、例えば、指示情報が２ビットである場合、２ビットのうちの一方は第１の電力情報を示し、他方のビットは第２の電力情報を示す。一方のビットが０である場合、指示情報は、第１の電力情報を含まず、または、一方のビットが１である場合、指示情報は、第１の電力情報を含む。例えば、ネットワークデバイスによって受信された指示情報が０１である場合、受信された電力情報は第２の電力情報であり、第１の電力情報を含まないことを示す。従って、ネットワークデバイスは、第２の電力情報に対応する第２の上りリンクキャリアを決定することができる。具体的には、第２の上りリンクキャリアは、ターゲット上りリンクキャリアである。別の例では、ネットワークデバイスによって受信された指示情報が１０である場合、受信された電力情報は第１の電力情報であり、第２の電力情報を含まないことを示す。従って、ネットワークデバイスは、第１の電力情報に対応する第１の上りリンクキャリアを決定することができる。具体的には、第１の上りリンクキャリアは、ターゲット上りリンクキャリアである。別の例では、ネットワークデバイスによって受信された指示情報が１１である場合、受信された電力情報が第１の電力情報および第２の電力情報であることを示す。従って、ネットワークデバイスは、第１の電力情報に対応する第１の上りリンクキャリアと、第２の電力情報に対応する第２の上りリンクキャリアとを決定することができる。具体的には、第１の上りリンクキャリアおよび第２の上りリンクキャリアは、ターゲット上りリンクキャリアである。
【０１７０】
任意に、指示情報が暗黙的な情報である場合、例えば、第１の電力情報および第２の電力情報が、電力情報を搬送するメッセージ内で搬送される位置またはシーケンスで搬送される場合、例えば、第１の電力情報が、メッセージ内の第１のフィールドで搬送され、第２の電力情報が、メッセージ内の第２のフィールドで搬送される場合、第１のフィールドは、第１の電力情報に対応する第１の上りリンクキャリアに対応し、第２のフィールドは、第２の電力情報に対応する第２の上りリンクキャリアに対応する。例えば、ネットワークデバイスが受信されたメッセージ内の第１のフィールドで電力情報を受信した場合、ネットワークデバイスは、第１の電力情報に対応する第１の上りリンクキャリアを決定するために、電力情報が第１の上りリンクキャリアの第１の電力情報であると決定することができる。具体的には、第１の上りリンクキャリアは、ターゲット上りリンクキャリアである。別の例では、ネットワークデバイスが受信されたメッセージ内の第２のフィールドで電力情報を受信した場合、ネットワークデバイスは、第２の電力情報に対応する第２の上りリンクキャリアを決定するために、電力情報が第２の上りリンクキャリアの第２の電力情報であると決定することができる。具体的には、第２の上りリンクキャリアは、ターゲット上りリンクキャリアである。
【０１７１】
別の例では、第１の電力情報はメッセージ内の第１のフィールドで搬送され、第２の電力情報はメッセージ内の第２のフィールドで搬送され、メッセージ内の第１のフィールドの番号はメッセージ内の第２のフィールドの番号より小さい。この場合、ネットワークデバイスがメッセージ内のより小さい番号を有する第１のフィールドで電力情報を受信する場合、電力情報が第１の上りリンクキャリアの第１の電力情報であることを示し、この場合、ネットワークデバイスは、第１の電力情報に対応する第１の上りリンクキャリアを決定することができる。具体的には、第１の上りリンクキャリアは、ターゲット上りリンクキャリアである。上記の説明は全て特定の実装の例であり、本方法を限定するものではないことに留意されたい。
【０１７２】
任意に、電力制御のプロセスが図１１に示され、このプロセスは具体的に以下のステップを含む。
【０１７３】
ステップ１１０１：端末デバイスは、電力ヘッドルームをネットワークデバイスに報告する。
【０１７４】
電力ヘッドルーム（power  headroom）は、端末デバイスの最大送信電力と、上りリンク信号を送信するために端末デバイスによって決定される電力との差であり、最大送信電力は、公称（nominal）最大送信電力であってもよく、または実際の最大送信電力であってもよい。上りリンク信号を送信するための端末デバイスによって決定される電力は、端末デバイスによって決定される電力の正確な値であってもよく、または端末デバイスによって推定される値であってもよい。
【０１７５】
電力ヘッドルームは、端末デバイスの最大送信電力と、端末デバイスによって推定されたデータ信号またはデータチャネルの送信電力との差であってもよく、端末デバイスの最大送信電力と、端末デバイスによって推定された測定信号の送信電力との差であってもよく、端末デバイスの最大送信電力と、端末デバイスによって推定された制御信号または制御チャネルの送信電力との差であってもよく、端末デバイスの最大送信電力と、端末デバイスによって推定されたデータ信号またはデータチャネルおよび制御信号または制御チャネルの送信電力との差であってもよい。
【０１７６】
端末デバイスが、第１の上りリンクキャリア上で上りリンク信号を送信することがあるか、第２の上りリンクキャリア上で上りリンク信号を送信することがあり、および、第１の上りリンクキャリア上での端末デバイスの最大送信電力が、第２の上りリンクキャリア上での端末デバイスの最大送信電力と異なることがあることを考慮すると、第１の上りリンクキャリア上で端末デバイスの上りリンク信号を送信するために決定された電力は、第２の上りリンクキャリア上で端末デバイスの上りリンク信号を送信するために決定された電力と異なることがある。従って、端末デバイスに対して、第１の上りリンクキャリアに対応する電力ヘッドルームの値は、第２の上りリンクキャリアに対応する電力ヘッドルームの値とは異なることがある。従って、端末デバイスは、第１の上りリンクキャリアの電力ヘッドルームと第２の上りリンクキャリアの電力ヘッドルームとを別々に報告する必要がある。
【０１７７】
ターゲット上りリンクキャリアは、第１の上りリンクキャリアまたは第２の上りリンクキャリアのうちの一方であってもよい。端末デバイスは、少なくともターゲット上りリンクキャリアの電力ヘッドルームを決定する。代替的には、ターゲット上りリンクキャリアよりも、第１の上りリンクキャリアおよび第２の上りリンクキャリアのうちの他方の電力ヘッドルームを決定してもよく、他方の上りリンクキャリアの電力ヘッドルームを決定しなくてもよい。これは、本明細書に限定されない。
【０１７８】
代替的には、ターゲット上りリンクキャリアは、第１の上りリンクキャリアおよび第２の上りリンクキャリアの両方を含み得る。具体的には、端末デバイスは、第１の上りリンクキャリアの電力ヘッドルームだけでなく、第２の上りリンクキャリアの電力ヘッドルームも決定する。
【０１７９】
ステップ１１０２：ネットワークデバイスは、端末デバイスから電力ヘッドルームを受信し、電力ヘッドルームに対応するターゲット上りリンクキャリアを決定する。
【０１８０】
端末デバイスが電力ヘッドルームをネットワークデバイスに報告する場合、端末デバイスは、電力ヘッドルームを搬送するメッセージに、電力ヘッドルームに対応する上りリンクキャリアを示すために使用される指示情報を追加する必要があり、指示情報は、第１の上りリンクキャリアまたは第２の上りリンクキャリアのうちの１つを示す。この場合、ネットワークデバイスは、指示情報に基づいて、受信した電力ヘッドルームに対応する上りリンクキャリアが第１の上りリンクキャリアであるのか、第２の上りリンクキャリアであるのかを決定することができる。そうでなければ、ネットワークデバイスは、電力ヘッドルームに対応する上りリンクキャリアを決定できない。
【０１８１】
指示情報は明示的な情報であってもよい。例えば、指示情報は、１ビットを含み、ビットが状態０である場合、指示情報は、ターゲット上りリンクキャリアが第１の上りリンクキャリアであることを示し、ビットが状態０である場合、指示情報は、ターゲット上りリンクキャリアが第２の上りリンクキャリアであることを示す。指示情報および電力ヘッドルームは、同じメッセージで搬送され、端末デバイスによってネットワークデバイスに送信されてもよいと理解されたい。
【０１８２】
任意に、指示情報は、代替的に、暗黙的な情報であってもよい。例えば、ターゲット上りリンクキャリアが第１の上りリンクキャリアである場合、端末デバイスは、第１の上りリンクキャリア上でネットワークデバイスに、電力ヘッドルームを搬送するメッセージを送信するか、またはターゲット上りリンクキャリアが第２の上りリンクキャリアである場合、端末デバイスは、第２の上りリンクキャリア上でネットワークデバイスに、電力ヘッドルームを搬送するメッセージを送信する。指示情報は、電力ヘッドルームを搬送するメッセージを搬送し、端末デバイスによってネットワークデバイスに送信される上りリンクキャリアで暗黙的に搬送されると理解されたい。
【０１８３】
別の例として、ターゲット上りリンクキャリアが第１の上りリンクキャリアおよび第２の上りリンクキャリアを含む場合、すなわち、ターゲット上りリンクキャリアが２つの上りリンクキャリアを含む場合、電力ヘッドルームは、第１の上りリンクキャリアの電力ヘッドルームおよび第２の上りリンクキャリアの電力ヘッドルームを含む。第１の上りリンクキャリアの電力ヘッドルームおよび第２の上りリンクキャリアの電力ヘッドルームは、同一のメッセージ内で搬送され、端末デバイスによってネットワークデバイスに送信されてもよく、異なるメッセージ内で搬送され、端末デバイスによってネットワークデバイスに送信されてもよい。
【０１８４】
任意に、指示情報は明示的な情報であってもよい。例えば、指示情報は２ビットを含み、２ビットうちの一方は第１の上りリンクキャリアの電力ヘッドルームを示し、他方のビットは第２の上りリンクキャリアの電力ヘッドルームを示す。具体的には、一方のビットが０である場合、指示情報は、第１の上りリンクキャリアの電力ヘッドルームを含まず、一方のビットが１である場合、指示情報は、第１の上りリンクキャリアの電力ヘッドルームを含む。指示情報のビット数および状態とビットの意味との対応は、上記の例に限定されない。
【０１８５】
任意で、指示情報は暗黙的な情報であってもよい。例えば、指示情報は、第１の上りリンクキャリアの電力ヘッドルームおよび第２の上りリンクキャリアの電力ヘッドルームが電力ヘッドルームを搬送するメッセージ内で搬送される位置またはシーケンスで搬送される。例えば、第１の上りリンクキャリアの電力ヘッドルームは、メッセージ内の第１のフィールドで搬送され、第２の上りリンクキャリアの電力ヘッドルームは、メッセージ内の第２のフィールドで搬送され、第１のフィールドは、第１の上りリンクキャリアの電力ヘッドルームに対応する第１の上りリンクキャリアに対応し、第２のフィールドは、第２の上りリンクキャリアの電力ヘッドルームに対応する第２の上りリンクキャリアに対応する。別の例では、第１の上りリンクキャリアの電力ヘッドルームは、メッセージ内の第１のフィールドで搬送され、第２の上りリンクキャリアの電力ヘッドルームは、メッセージ内の第２のフィールドで搬送され、メッセージ内の第１のフィールドの番号は、メッセージ内の第２のフィールドの番号より小さい。より小さい番号を有する第１のフィールドは、第１の上りリンクキャリアの電力ヘッドルームに対応する第１の上りリンクキャリアに対応し、より大きな番号を有する第２のフィールドは、第２の上りリンクキャリアの電力ヘッドルームに対応する第２の上りリンクキャリアに対応すると理解されたい。上記の説明は全て特定の実装の例であり、本方法を限定するものではないことに留意されたい。
【０１８６】
ターゲット上りリンクキャリアが第１の上りリンクキャリアまたは第２の上りリンクキャリアのうちの一方である場合、ネットワークデバイスによって受信される電力ヘッドルームは、第１の上りリンクキャリアまたは第２の上りリンクキャリアの電力ヘッドルームであってもよい。ネットワークデバイスによって受信される指示情報は、明示的な情報であってもよい。例えば、指示情報は、１ビットを含み、ビットが状態０である場合、指示情報は、ターゲット上りリンクキャリアが第１上りリンクキャリアであることを示し、ネットワークデバイスは、指示情報に基づいて、第１上りリンクキャリアの電力ヘッドルームに対応する第１上りリンクキャリアを決定することができる。ビットが状態１である場合、指示情報は、ターゲット上りリンクキャリアが第２の上りリンクキャリアであることを示し、ネットワークデバイスは、指示情報に基づいて、第２の上りリンクキャリアの電力ヘッドルームに対応する第２の上りリンクキャリアを決定することができる。
【０１８７】
別の例では、指示情報が暗黙的な情報であり、ターゲット上りリンクキャリアが第１の上りリンクキャリアである場合、ネットワークデバイスは、第１の上りリンクキャリア上で、電力ヘッドルームを搬送し、端末デバイスによって送信されるメッセージを受信する。この場合、ネットワークデバイスは、電力ヘッドルームが第１の上りリンクキャリアの電力ヘッドルームであると決定することができ、すなわち、第１の上りリンクキャリアがターゲット上りリンクキャリアであると決定することができる。従って、ネットワークデバイスが、第２の上りリンクキャリア上で、電力ヘッドルームを搬送し、端末デバイスによって送信されるメッセージを受信する場合、ネットワークデバイスは、受信した電力ヘッドルームが第２の上りリンクキャリアの電力ヘッドルームであると決定する、すなわち、第２の上りリンクキャリアがターゲット上りリンクキャリアであると決定することができる。
【０１８８】
代替的には、ターゲット上りリンクキャリアは、第１の上りリンクキャリアと第２の上りリンクキャリアとを含んでもよく、すなわち、ターゲット上りリンクキャリアは、２つの上りリンクキャリアを含み、電力ヘッドルームは、第１の上りリンクキャリアに対応する電力ヘッドルームと、第２の上りリンクキャリアに対応する電力ヘッドルームとを含む。
【０１８９】
任意に、指示情報が明示的な情報である場合、例えば、指示情報が２ビットである場合、２ビットの一方は第１の上りリンクキャリアの電力ヘッドルームを示し、他方のビットは第２の上りリンクキャリアの電力ヘッドルームを示す。一方のビットが０である場合、指示情報は、第１の上りリンクキャリアの電力ヘッドルームを含まず、または、一方のビットが１である場合、指示情報は、第１の上りリンクキャリアの電力ヘッドルームを含む。例えば、ネットワークデバイスによって受信された指示情報が０１である場合、受信された電力ヘッドルームは第２の上りリンクキャリアの電力ヘッドルームであり、第１の上りリンクキャリアの電力ヘッドルームを含まないことを示す。この場合、ネットワークデバイスは、第２の上りリンクキャリアの電力ヘッドルームに対応する第２の上りリンクキャリアを決定することができる。具体的には、第２の上りリンクキャリアは、ターゲット上りリンクキャリアである。別の例では、ネットワークデバイスによって受信された指示情報が１０の場合、受信された電力ヘッドルームは第１の上りリンクキャリアの電力ヘッドルームであり、第２の上りリンクキャリアの電力ヘッドルームを含まないことを示す。この場合、ネットワークデバイスは、第１の上りリンクキャリアの電力ヘッドルームに対応する第１の上りリンクキャリアを決定することができる。具体的には、第１の上りリンクキャリアは、ターゲット上りリンクキャリアである。別の例では、ネットワークデバイスによって受信された指示情報が１１の場合、受信された電力ヘッドルームは、第１の上りリンクキャリアの電力ヘッドルームおよび第２の上りリンクキャリアの電力ヘッドルームであることを示す。この場合、ネットワークデバイスは、第１の上りリンクキャリアの電力ヘッドルームに対応する第１の上りリンクキャリアおよび第２の上りリンクキャリアの電力ヘッドルームに対応する第２の上りリンクキャリアを決定することができる。具体的には、第１の上りリンクキャリアおよび第２の上りリンクキャリアは、ターゲット上りリンクキャリアである。
【０１９０】
任意に、指示情報が暗黙的な情報である場合、例えば、指示情報が、電力ヘッドルームを搬送するメッセージ内で第１の上りリンクキャリアの電力ヘッドルームおよび第２の上りリンクキャリアの電力ヘッドルームが搬送される位置またはシーケンスで搬送される場合、例えば、第１の上りリンクキャリアの電力ヘッドルームがメッセージ内の第１のフィールドで搬送され、第２の上りリンクキャリアの電力ヘッドルームがメッセージ内の第２のフィールドで搬送される場合、第１のフィールドは、第１の上りリンクキャリアの電力ヘッドルームに対応する第１の上りリンクキャリアに対応し、第２のフィールドは、第２の上りリンクキャリアの電力ヘッドルームに対応する第２の上りリンクキャリアに対応する。例えば、ネットワークデバイスが受信されたメッセージ内の第１のフィールドで電力ヘッドルームを受信した場合、ネットワークデバイスは、第１の上りリンクキャリアの電力ヘッドルームに対応する第１の上りリンクキャリアを決定するために、電力ヘッドルームが第１の上りリンクキャリアの電力ヘッドルームであると決定することができる。具体的には、第１の上りリンクキャリアは、ターゲット上りリンクキャリアである。別の例では、ネットワークデバイスが受信されたメッセージ内の第２のフィールドで電力ヘッドルームを受信した場合、ネットワークデバイスは、第２の上りリンクキャリアの電力ヘッドルームに対応する第２の上りリンクキャリアを決定するために、電力ヘッドルームが第２の上りリンクキャリアの電力ヘッドルームであると決定する。具体的には、第２の上りリンクキャリアは、ターゲット上りリンクキャリアである。
【０１９１】
別の例では、第１の上りリンクキャリアの電力ヘッドルームはメッセージ内の第１のフィールドで搬送され、第２の上りリンクキャリアの電力ヘッドルームはメッセージ内の第２のフィールドで搬送され、メッセージ内の第１のフィールドの番号はメッセージ内の第２のフィールドの番号よりも小さい。この場合、ネットワークデバイスが、メッセージ内のより小さい番号を有する第１のフィールドで電力ヘッドルームを受信した場合、電力ヘッドルームが第１の上りリンクキャリアの電力ヘッドルームであることを示し、ネットワークデバイスは、第１の上りリンクキャリアの電力ヘッドルームに対応する第１の上りリンクキャリアを決定することができる。具体的には、第１の上りリンクキャリアは、ターゲット上りリンクキャリアである。上記の説明は全て特定の実装の例であり、本方法を限定するものではないことに留意されたい。
【０１９２】
任意に、この出願は、電力制御の別のプロセスをさらに提供する。図１２のように、このプロセスは以下のステップを含む。
【０１９３】
ステップ１２０１：ネットワークデバイスが、電力制御情報および指示情報を決定し、電力制御情報は、第１の端末デバイスによって、ターゲット上りリンクキャリア上で上りリンク信号をネットワークデバイスに送信するための電力を決定するために使用され、指示情報は、電力制御情報に対応するターゲット上りリンクキャリアを示す。
【０１９４】
任意に、ターゲット上りリンクキャリアが第１の上りリンクキャリアまたは第２の上りリンクキャリアのうちの１つを含む場合、電力制御情報は、第１の端末デバイスによって、第１の上りリンクキャリアまたは第２の上りリンクキャリアのうちの１つで上りリンク信号をネットワークデバイスに送信するための電力を決定するために使用され、指示情報は、電力制御情報に対応する第１の上りリンクキャリアまたは第２の上りリンクキャリアのうちの１つを示す。
【０１９５】
任意に、ターゲット上りリンクキャリアが第１の上りリンクキャリアおよび第２の上りリンクキャリアを含む場合、電力制御情報は、第１の端末デバイスが第１の上りリンクキャリア上で上りリンク信号をネットワークデバイスに送信するための電力を決定することを示すために使用される第１の電力制御情報を含み、また第１の端末デバイスが第２の上りリンクキャリア上で上りリンク信号をネットワークデバイスに送信するための電力を決定することを示すために使用される第２の電力制御情報を含み、指示情報は、第１の電力制御情報に対応する第１の上りリンクキャリアを示すために使用される第１の指示情報と、第２の電力制御情報に対応する第２の上りリンクキャリアを示すために使用される第２の指示情報とを含む。
【０１９６】
ステップ１２０２：ネットワークデバイスは、電力制御情報および指示情報を第１の端末デバイスに送信する。
【０１９７】
任意に、ターゲット上りリンクキャリアが第１の上りリンクキャリアまたは第２の上りリンクキャリアのうちの１つを含む場合、ネットワークデバイスは、電力制御情報および指示情報を、同一の下りリンク制御情報（downlink  control  information、ＤＣＩ）に追加することができる。
【０１９８】
例えば、電力制御情報はＤＣＩ内の第１のフィールドに含まれ、指示情報はＤＣＩ内の第２のフィールドに含まれる。例えば、第１のフィールドは２ビットであってもよく、１ビットであってもよく、第２のフィールドは１ビットであってもよい。具体的には、第２のフィールドは、ＳＣ＿ＵＬ＿Ｉｎｄｅｘと呼ばれるキャリア・インジケータ・フィールドとして理解されてもよく、確かに、別の名前を有してもよい。これは本明細書では限定されない。第２のフィールドが０である場合、ＴＤＤキャリア（ＮＲ  ＵＬ）を示し、第２のフィールドが１である場合、ＳＵＬキャリアを示す。第２のフィールドの値と指示されたキャリアとの間の対応は、プロトコルにおいて事前に定義されてもよいことに留意されたい。具体的には、プロトコルにおいて、キャリア・インジケータ・フィールドが０である場合、ＴＤＤキャリア（ＮＲ  ＵＬ）を示し、キャリア・インジケータ・フィールドが１である場合、ＳＵＬキャリアを示すことが予め決められている。確かに、対応は、代替的に設定されてもよい。追加的に、第２フィールドの実装は、この出願のものに限定されず、特にＳＵＬキャリアが設定されているＮＲシステム、すなわち、１つのＴＤＤキャリアと１つのＳＵＬキャリアがＮＲのために設定されているシナリオにおいて、２つのキャリアのうちの少なくとも１つが示される必要がある別の場合にも適用可能であり得る。例えば、上りリンクスケジューリングに使用されるＤＣＩはまた、第２のフィールドを含んでもよく、上りリンクスケジューリングに使用されるＤＣＩは、バックオフＤＣＩであってもよく、端末デバイス専用のＤＣＩであってもよく、または確かに、別のタイプのＤＣＩであってもよい。
【０１９９】
別の例では、電力制御情報および指示情報は両方ともＤＣＩ内の第３のフィールドに含まれる。電力制御情報および指示情報は、結合符号化モードにおいて第３のフィールドに含まれ、第３のフィールドは３ビットであってもよく、２ビットであってもよいと理解されたい。ＤＣＩは、さらに、複数の３ビットの第３のフィールド、例えば、フィールド１、フィールド２、フィールド３、．．．を含み得る。各フィールドは、１つの端末デバイスに対応する電力制御情報および指示情報を含む。
【０２００】
ＤＣＩは、第１の端末デバイスに対応する電力制御情報および指示情報に加えて、第２の端末デバイスに対応する電力制御情報および／または指示情報をさらに含んでもよく、第２の端末デバイスは複数の第２の端末デバイスであってもよい。例えば、ＤＣＩは、任意の第２の端末デバイスの電力制御情報および指示情報を含み得る。ＤＣＩは第１のタイプのフィールドのみを含んでもよいと理解されたい。具体的には、各フィールドは、電力制御情報と指示情報の両方を含む。別の例では、ＤＣＩは２つのタイプのフィールドを含んでもよく、第１のタイプのフィールドは電力制御情報および指示情報を含むフィールドであり、第２のタイプのフィールドは電力制御情報のみを含むフィールドである。この場合、第１のタイプのフィールドと第２のタイプのフィールドのビット長は同じであってもよく、異なっていてもよい。例えば、第１のタイプのフィールドは３ビットを含み、第２のタイプのフィールドも３ビットを含むが、第２のタイプのフィールドでは２ビットのみが電力制御情報に使用され、残りの１ビットは予約ビットまたはパディングビットである。代替的には、第１のタイプのフィールドは３ビットを含み、３ビットは電力制御情報および指示情報を含み、第２のタイプのフィールドは２ビットを含み、２ビットは電力制御情報のみを含む。
【０２０１】
別の例では、ＤＣＩは、複数の電力制御情報を含み、各電力制御情報は、１つの端末デバイスに対応する。追加的に、ＤＣＩは、指示情報をさらに含み、指示情報は、複数の電力制御情報に対応するターゲット上りリンクキャリアを示す。この場合、ＤＣＩを受信する複数の端末デバイスに対して、指示情報に基づいて端末デバイスによって決定されるターゲット上りリンクキャリアは、同一の上りリンクキャリアである。
【０２０２】
別の例として、指示情報は、暗黙的にＤＣＩ内で搬送されてもよい。例えば、ネットワークデバイスは、２つの異なる識別子を使用することによってＤＣＩをスクランブルすることができ、２つの異なる識別子の第１の識別子は第１の上りリンクキャリアに対応し、２つの異なる識別子の第２の識別子は第２の上りリンクキャリアに対応する。この場合、端末デバイスは、ＤＣＩのスクランブル識別子に基づいてターゲットキャリアを決定することができる。具体的には、識別子は、無線ネットワーク一時識別子（radio  network  temporary  identity、ＲＮＴＩ）であってもよく、または別の識別子であってもよいが、これは本明細書では限定されない。
【０２０３】
任意に、ターゲット上りリンクキャリアが第１の上りリンクキャリアまたは第２の上りリンクキャリアのうちの１つを含む場合、ネットワークデバイスは、電力制御情報をＤＣＩに追加し、ＤＣＩを端末デバイスに送信し、指示情報を他のシグナリングに追加し、他のシグナリングを端末デバイスに送信することができる。他のシグナリングは、例えば、無線リソース制御ＲＲＣ層シグナリングである上位層シグナリングであってもよい。
【０２０４】
例えば、ネットワークデバイスは、電力制御情報をＤＣＩ内の第１のビットと第２のビットに追加する。この場合、ネットワークデバイスは、端末デバイスにＤＣＩを送信するだけでなく、指示情報を端末デバイスに送信し、指示情報は、ターゲットキャリアに対応する電力制御情報がＤＣＩ内に位置するビット位置を示す。この例では、指示情報はＤＣＩ内の第１のビットと第２のビットを示す。具体的には、指示情報は、第１のビットおよび第２のビットを直接示すことができ、または、指示情報は、第１のビットを示すことができる。追加的に、ネットワークデバイスおよび端末デバイスの両方は、電力制御情報がＤＣＩ内の連続した２ビットで搬送されることを予め学習する。
【０２０５】
例えば、ＤＣＩ内の第１のビットは第１の上りリンクキャリアの電力制御情報に対応し、ＤＣＩ内の第２のビットは第２の上りリンクキャリアの電力制御情報に対応する。指示情報がＤＣＩ内の第１ビットを示す場合、ネットワークデバイスは、ＤＣＩ内の第１ビットに第１上りリンクキャリアの電力制御情報を追加し、端末デバイスは、指示情報に基づいて、第１ビットで搬送される電力制御情報に対応するターゲット上りリンクキャリアが第１上りリンクキャリアであると決定することができる。
【０２０６】
任意に、ターゲット上りリンクキャリアが第１の上りリンクキャリアおよび第２の上りリンクキャリアを含む場合、ネットワークデバイスは、第１の電力制御情報および第２の電力制御情報を同じ部分のＤＣＩに追加し、ＤＣＩを端末デバイスに送信する。ネットワークデバイスは、第１の指示情報および第２の指示情報を他のシグナリングに追加し、他のシグナリングを端末デバイスに送信する。他のシグナリングは、例えば、無線リソース制御ＲＲＣ層シグナリングである上位層シグナリングであってもよい。
【０２０７】
例えば、ネットワークデバイスは、ＤＣＩ内の第１のビットおよび第２のビットに第１の電力制御情報を追加し、ＤＣＩ内の第３のビットおよび第４のビットに第２の電力制御情報を追加する。この場合、ネットワークデバイスは、端末デバイスにＤＣＩを送信するだけでなく、端末デバイスに第１の指示情報および第２の指示情報を送信し、第１の指示情報および第２の指示情報はそれぞれ、端末デバイスに、第１の上りリンクキャリアに対応する第１の電力制御情報および第２の上りリンクキャリアに対応する第２の電力制御情報がＤＣＩ内に位置するビット位置を示す。この例では、第１の指示情報はＤＣＩ内の第１のビットおよび第２のビットを示す。具体的には、指示情報は、第１のビットおよび第２のビットを直接示してもよく、指示情報は、第１のビットを示してもよい。追加的に、ネットワークデバイスと端末デバイスは、電力制御情報がＤＣＩ内の連続した２ビットで搬送されることを予め学習する。第２の指示情報は、ＤＣＩ内の第３のビットおよび第４のビットを示す。特定の指示方法は、第１の指示情報のものと同様であり、本明細書では再度説明しない。ＤＣＩ内の第１の電力制御情報および／または第２の電力制御情報のビット位置およびビット長は、この例に限定されず、代替的には別の値であってもよいことに留意されたい。
【０２０８】
例えば、指示情報が第１のビットおよび第２のビットを示す場合、ＤＣＩにネットワークデバイスによって追加された電力制御情報は、第１の上りリンクキャリアの第１の電力制御情報であり、端末デバイスは、指示情報に基づいて、第１の電力制御情報に対応するターゲット上りリンクキャリアが第１の上りリンクキャリアであると決定することができる。別の例では、指示情報が第３のビットおよび第４のビットを示す場合、ＤＣＩにネットワークデバイスによって追加された電力制御情報は、第２の上りリンクキャリアの第２の電力制御情報であり、端末デバイスは、指示情報に基づいて、第２の電力制御情報に対応するターゲット上りリンクキャリアが第２の上りリンクキャリアであると決定することができる。
【０２０９】
前述の実施形態において、ネットワークデバイスによって第１の端末デバイスに送信される下りリンク制御情報（downlink  control  information、ＤＣＩ）は、複数の端末デバイスに対して送信されるＤＣＩ、すなわち、グループ共通（group  common）ＤＣＩであってもよく、または、確かに、第１の端末デバイス専用のＤＣＩであってもよい。
【０２１０】
本明細書でのフィールドはＤＣＩ内の１つ以上のビットを説明するためにのみ使用され、ＤＣＩのいくつかのビットの名前を制限しないことに留意されたい。たとえば、ＤＣＩは合計３０ビットを含む。３０ビットは１つのフィールドとして理解されてもよく、確かに、３０ビットのうちの1つ以上が１つのフィールドとして理解されてもよい。これは、本明細書に限定されない。ＤＣＩは、予約ビットまたはパディングビットを含んでもよいことにも留意されたい。
【０２１１】
ステップ１２０３：端末デバイスは、ネットワークデバイスから電力制御情報および指示情報を受信する。端末デバイスは、指示情報に基づいて、電力制御情報に対応するターゲット上りリンクキャリアを決定することができる。
【０２１２】
指示情報は、端末デバイスが電力パラメータを決定することを示すため使用される。例えば、指示情報は、端末デバイスが電力パラメータを調整することを示す情報である。例えば、指示情報が−１ｄＢ（ｄＢはデシベルを示す）を示す場合、端末デバイスは、前の値に基づいて電力パラメータの値を１ｄＢだけ減少させることを決定する。別の例では、指示情報は、端末デバイスが電力パラメータを決定することを示す。例えば、指示情報が４ｄＢを示す場合、端末デバイスは電力パラメータの値が４ｄＢであると決定する。
【０２１３】
任意に、ターゲット上りリンクキャリアが第１の上りリンクキャリアまたは第２の上りリンクキャリアうちの一方を含む場合、端末デバイスは、ＤＣＩ内の電力制御情報および指示情報を受信する。指示情報は、暗黙的にＤＣＩ内で搬送されることがある。例えば、ＤＣＩは、２つの異なる識別子を使用することによってスクランブルされてもよく、第１の識別子は第１の上りリンクキャリアに対応し、第２の識別子は第２の上りリンクキャリアに対応する。例えば、端末デバイスが受信したＤＣＩ内の第１の識別子を取得した場合、端末デバイスは、受信した電力制御情報が第１の上りリンクキャリアの電力制御情報であると決定してもよく、この場合、端末デバイスは、第１の上りリンクキャリアの受信した電力制御情報に対応する第１の上りリンクキャリアを決定することができる。具体的には、第１の上りリンクキャリアは、ターゲット上りリンクキャリアである。別の例では、端末デバイスが、受信されたＤＣＩ内の第２の識別子を取得した場合、受信した電力制御情報が第２の上りリンクキャリアの電力制御情報であると決定してもよく、この場合、端末デバイスは、第２の上りリンクキャリアの受信した電力制御情報に対応する第２の上りリンクキャリアを決定することができる。具体的には、第２の上りリンクキャリアは、ターゲット上りリンクキャリアである。
【０２１４】
任意に、指示情報は、代替的には他のシグナリングにおいて搬送され、端末デバイスに送信されてもよく、他のシグナリングは、上位層シグナリング、例えば、無線リソース制御ＲＲＣ層シグナリングであってもよい。指示情報は、ターゲットキャリアに対応する電力制御情報がＤＣＩ内で位置するビット位置を端末デバイスに示すことができる。この場合、上位層シグナリングにおいて端末デバイスによって受信した指示情報がＤＣＩ内の第１のビットである場合、端末デバイスは、ＤＣＩ内で搬送される電力制御情報が第１の上りリンクキャリアの電力制御情報であると決定してもよく、この場合、端末デバイスは、第１の上りリンクキャリアの受信した電力制御情報に対応する第１の上りリンクキャリアを決定してもよい。具体的には、第１の上りリンクキャリアは、ターゲット上りリンクキャリアである。別の例では、上位層シグナリングにおいて端末デバイスによって受信した指示情報がＤＣＩ内の第２のビットである場合、端末デバイスは、ＤＣＩ内で搬送される電力制御情報が第２の上りリンクキャリアの電力制御情報であると決定してもよく、この場合、端末デバイスは、第２の上りリンクキャリアの受信した電力制御情報に対応する第２の上りリンクキャリアを決定してもよい。具体的には、第２の上りリンクキャリアは、ターゲット上りリンクキャリアである。
【０２１５】
任意に、ターゲット上りリンクキャリアは、代替的には第１上りリンクキャリアと第２上りリンクキャリアの両方を含み得る。第１の上りリンクキャリアの第１の電力制御情報と、第２の上りリンクキャリアの第２の電力制御情報とは、同じＤＣＩ内で搬送されてもよい。例えば、第１の電力制御情報は、ＤＣＩ内の第１のビットおよび第２のビットで搬送され、第２の電力制御情報は、ＤＣＩ内の第３のビットおよび第４のビットで搬送される。指示情報は、上位層シグナリングで搬送されてもよい。指示情報は、第１の上りリンクキャリアに対応する第１の指示情報と、第２の上りリンクキャリアに対応する第２の指示情報とを含む。第１の指示情報および第２の指示情報は、それぞれ、端末デバイスに対して、第１の上りリンクキャリアに対応する第１の電力制御情報および第２の上りリンクキャリアに対応する第２の電力制御情報がＤＣＩ内で位置するビット位置を示す。
【０２１６】
例えば、端末デバイスによって受信した指示情報が第１のビットである場合、端末デバイスは、ＤＣＩ内で搬送される電力制御情報が第１の電力制御情報であると決定してもよく、この場合、端末デバイスは、受信した第１の電力制御情報に対応する第１の上りリンクキャリアを決定してもよい。具体的には、第１の上りリンクキャリアは、ターゲット上りリンクキャリアである。別の例では、上位層の信号において端末デバイスが受信した指示情報がＤＣＩ内の第２のビットである場合、端末デバイスは、ＤＣＩ内で搬送される電力制御情報が第１の電力制御情報であると決定してもよく、この場合、端末デバイスは、受信した第１の電力制御情報に対応する第１の上りリンクキャリアを決定してもよい。具体的には、第１の上りリンクキャリアは、ターゲット上りリンクキャリアである。他の例では、上位層シグナリングにおいて端末デバイスが受信した指示情報がＤＣＩ内の第３のビットである場合、端末デバイスは、ＤＣＩ内で搬送される電力制御情報が第２の電力制御情報であると決定してもよく、この場合、端末デバイスは、受信した第２の電力制御情報に対応する第２の上りリンクキャリアを決定してもよい。具体的には、第２の上りリンクキャリアは、ターゲット上りリンクキャリアである。
【０２１７】
ＤＣＩ内の第１の電力制御情報および／または第２の電力制御情報のビット位置およびビット量は、この例に限定されず、代替的には別の値であってもよいことに留意されたい。
【０２１８】
図１３は、同じ発明の概念に基づいた、この出願による装置の概略図である。装置は、端末デバイスであってもよく、上記実施形態のいずれかにおいて端末デバイスによって行われる方法を行うことができる。
【０２１９】
端末デバイス１３００は、少なくとも１つのプロセッサ１３０１およびトランシーバ１３０２を含み、任意に、メモリ１３０３をさらに含む。プロセッサ１３０１、トランシーバ１３０２、およびメモリ１３０３は相互接続される。
【０２２０】
プロセッサ１３０１は、汎用中央処理装置、マイクロプロセッサ、特定用途向け集積回路、またはこの出願の実施形態においてプログラム実行を制御するための１つ以上の集積回路であってもよい。
【０２２１】
トランシーバ１３０２は、別の装置または通信ネットワークと通信するように構成されている。トランシーバは、無線周波数回路を含む。
【０２２２】
メモリ１３０３は、静的情報および命令を記憶することができる読取専用メモリもしくは別のタイプの静的記憶デバイス、もしくは情報および命令を記憶することができるランダムアクセスメモリもしくは別のタイプの動的記憶装置、もしくは電気的に消去可能な書込可能な読取専用メモリ、コンパクトディスク読取専用メモリもしくは別のコンパクトディスクストレージ、光ディスクストレージ（コンパクトディスク、レーザディスク、光ディスク、デジタル汎用ディスク、ブルーレイ（登録商標）ディスク等を含む）、磁気ディスク記憶媒体もしくは他の磁気記憶装置、または命令またはデータ構造の形態で予期されるプログラムコードを搬送または記憶するために使用することができ、コンピュータによってアクセスすることができる他の任意の媒体であってもよい。ただし、制限はそれには設定されない。メモリ１３０３は、独立して存在してもよく、プロセッサ１３０１に接続される。メモリ１３０３は、代替的にはプロセッサと一体化されてもよい。メモリ１３０３は、この出願の実施形態を実行するために使用されるアプリケーション・プログラム・コードを記憶するように構成されており、アプリケーション・プログラム・コードはプロセッサ１３０１の制御下で実行される。プロセッサ１３０１は、メモリ１３０３に記憶されたアプリケーション・プログラム・コードを実行するように構成されている。
【０２２３】
特定の実装では、実施形態においては、プロセッサ１３０１は、１つ以上のＣＰＵ、例えば、図１３のＣＰＵ０およびＣＰＵ１を含み得る。
【０２２４】
特定の実装では、一実施形態では、端末デバイス１３００は、複数のプロセッサ、例えば、図１３のプロセッサ１３０１およびプロセッサ１３０８を含み得る。各プロセッサは、シングルコア（single-CPU）プロセッサであってもよく、マルチコア（multi-CPU）プロセッサであってもよい。本明細書のプロセッサは、データ（例えば、コンピュータプログラム命令）を処理するように構成された１つ以上のデバイス、回路、および／または処理コアであってもよい。
【０２２５】
端末デバイスは、この出願による情報を送信および受信するための方法において、端末デバイスによって行われるステップを実装するように構成され得ると理解されたい。関連する機能については、前述の説明を参照のこと。詳細は、本明細書では再度説明しない。
【０２２６】
この出願では、前述の方法例に基づき、端末デバイスに対して機能モジュールが定義されてもよい。例えば、各関数モジュールは、各関数に対応して定義されてもよい。代替的には、２つ以上の機能が１つの処理モジュールに統合されてもよい。統合モジュールは、ハードウェアの形態で実装されてもよいし、ソフトウェア機能モジュールの形態で実装されてもよい。この出願においては、モジュール分割は一例であり、単なる論理関数分割に過ぎないことに留意されたい。実際の実装においては、別の分割方法が使用されてもよい。例えば、各機能モジュールが各機能に対応して定義される場合、図１４は、装置の概略図である。装置は、前述の実施形態では端末デバイスであってもよい。装置は、処理ユニット１４０１および通信ユニット１４０２を含む。
【０２２７】
通信ユニット１４０２は、ネットワークデバイスからの指示情報を受信するように構成されており、指示情報はタイミング調整パラメータを示し、タイミング調整パラメータは、第１の上りリンクキャリアおよび第２の上りリンクキャリア上での送信タイミングを決定するために使用され、第１の上りリンクキャリアは、第１の無線アクセス技術の上りリンクキャリアであり、第２の上りリンクキャリアは、第２の無線アクセス技術の上りリンクキャリアである。
【０２２８】
処理ユニット１４０１は、通信ユニット１４０２によって受信した指示情報に基づいてタイミング調整パラメータを決定するように構成されている。
【０２２９】
任意で、第２の上りリンクキャリアは、少なくとも２つの第２の上りリンクキャリアを含み、少なくとも２つの第２の上りリンクキャリアは、同一セルに属し、
タイミング調整パラメータは、処理ユニット１４０１によって、第１の上りリンクキャリアおよび少なくとも２つの第２の上りリンクキャリア上での送信タイミングを決定するために使用されるものである。
【０２３０】
任意に、少なくとも２つの第２の上りリンクキャリアは、少なくとも１つのＴＤＤキャリアおよび少なくとも１つのＳＵＬキャリアを含む。
【０２３１】
任意に、第１の上りリンクキャリアは、一次セル内のキャリアであり、第２の上りリンクキャリアは、二次セル内のキャリアであり、
通信ユニット１４０２は、ネットワークデバイスからの指示情報を受信する場合、具体的には、ネットワークデバイスから第１の下りリンクキャリア上で指示情報を受信するように構成されており、第１の下りリンクキャリアおよび第１の上りリンクキャリアは同一セルに属するか、または第１の下りリンクキャリアおよび第１の上りリンクキャリアは同一の無線アクセス技術に属する。
【０２３２】
任意に、第１の無線アクセス技術はＬＴＥであり、第２の無線アクセス技術はＮＲである。
【０２３３】
任意に、第１の上りリンクキャリアは、一次セル内の上りリンクキャリアであり、第２の上りリンクキャリアは、二次セル内の上りリンクキャリアであり、
処理ユニット１４０１は、さらに、通信ユニット１４０２が、ネットワークデバイスから第１の下りリンクキャリア上で下りリンク基準信号を受信するように制御することであって、第１の下りリンクキャリアおよび第１の上りリンクキャリアが同一セルに属する、制御することと、
通信ユニット１４０２によって受信した下りリンク基準信号に基づいて、第２の上りリンクキャリア上で上りリンク信号をネットワークデバイスに送信するための電力を決定することと、をするように構成されている。
【０２３４】
任意に、処理ユニット１４０１は、さらに、
通信ユニット１４０２が、ネットワークデバイスから第１の下りリンクキャリア上で下りリンク基準信号を受信するように制御することであって、第１の下りリンクキャリアが第１の無線アクセス技術の下りリンクキャリアであり、第１の下りリンクキャリアおよび第１の上りリンクキャリアが同一セルに属する、制御することと、
通信ユニット１４０２によって受信した下りリンク基準信号に基づいて、第２の上りリンクキャリア上で上りリンク信号をネットワークデバイスに送信するための電力を決定することと、をするように構成されている。
【０２３５】
任意に、処理ユニット１４０１は、さらに、
通信ユニット１４０２が、第１の下りリンクキャリア上で下りリンク基準信号を受信するように制御することであって、第１の下りリンクキャリアが第１の無線アクセス技術の下りリンクキャリアであり、第１の下りリンクキャリアおよび第１の上りリンクキャリアが異なるセルに属する、制御することと、
通信ユニット１４０２によって受信した下りリンク基準信号に基づいて、第２の上りリンクキャリア上で上りリンク信号をネットワークデバイスに送信するための電力を決定することと、をするように構成されている。
【０２３６】
端末デバイスは、この出願により情報を送信および受信方法において、端末デバイスにより行われるステップを実装するように構成されてもよいと理解されたい。関連する機能については、前述の説明を参照のこと。詳細は、本明細書では再度説明しない。
【０２３７】
同じ発明概念に基づいて、図１５は、この出願の一実施形態による装置の概略図である。装置は、ネットワークデバイスであってもよく、前述の実施形態のいずれかにおいてネットワークデバイスによって行われる方法を実行してもよい。
【０２３８】
ネットワークデバイス１５００は、少なくとも１つのプロセッサ１５０１およびトランシーバ１５０２を含み、任意にメモリ１５０３をさらに含む。
【０２３９】
プロセッサ１５０１、トランシーバ１５０２、およびメモリ１５０３は相互接続される。プロセッサ１５０１は、汎用中央処理装置、マイクロプロセッサ、特定用途向け集積回路（application-specific  integrated  circuit、ＡＳＩＣ）、またはこの出願の実施形態におけるプログラム実行を制御するための１つ以上の集積回路であってもよい。
【０２４０】
トランシーバ１５０２は、別の装置または通信ネットワークと通信するように構成される。トランシーバは、無線周波数回路を含む。
【０２４１】
メモリ１５０３は、静的情報および命令を記憶することができる読取専用メモリ（read-only  memory、ＲＯＭ）もしくは別のタイプの静的記憶デバイス、もしくは情報および命令を記憶することができるランダムアクセスメモリ（random  access  memory、ＲＡＭ）もしくは別のタイプの動的記憶装置、もしくは電気的に消去可能な書込可能な読取専用メモリ（electrically  erasable  programmable  read-only  memory、ＥＥＰＲＯＭ）、コンパクトディスク読取専用メモリ（compact  disc  read-only  memory、ＣＤ−ＲＯＭ）もしくは別のコンパクトディスクストレージ、光ディスクストレージ（コンパクトディスク、レーザディスク、光ディスク、デジタル汎用ディスク、ブルーレイディスク等を含む）、磁気ディスク記憶媒体もしくは他の磁気記憶装置、または命令またはデータ構造の形態で予期されるプログラムコードを搬送または記憶するために使用することができ、コンピュータによってアクセスすることができる他の任意の媒体であってもよい。ただし、制限はそれには設定されない。メモリ１５０３は、独立して存在してもよく、プロセッサ１５０１に接続される。メモリ１５０３は、代替的にはプロセッサと一体化されてもよい。メモリ１５０３は、この出願の実施形態を実行するために使用されるアプリケーション・プログラム・コードを記憶するように構成されており、アプリケーション・プログラム・コードはプロセッサ１５０１の制御下で実行される。プロセッサ１５０１は、メモリ１５０３に記憶されたアプリケーション・プログラム・コードを実行するように構成されている。
【０２４２】
特定の実装では、実施形態においては、プロセッサ１５０１は、１つ以上のＣＰＵ、例えば、図１５のＣＰＵ０およびＣＰＵ１を含み得る。
【０２４３】
特定の実装では、一実施形態では、ネットワークデバイス１５００は、複数のプロセッサ、例えば、図１５のプロセッサ１５０１およびプロセッサ１５０８を含み得る。各プロセッサは、シングルコア（single-CPU）プロセッサであってもよく、マルチコア（multi-CPU）プロセッサであってもよい。本明細書のプロセッサは、データ（例えば、コンピュータプログラム命令）を処理するように構成された１つ以上のデバイス、回路、および／または処理コアであってもよい。
【０２４４】
ネットワークデバイスは、この出願による情報を送信および受信するための方法において、ネットワークデバイスによって行われるステップを実装するように構成され得ると理解されたい。関連する機能については、前述の説明を参照のこと。詳細は、本明細書では再度説明しない。
【０２４５】
この出願では、前述の方法例に基づき、ネットワークデバイスに対して機能モジュールが定義されてもよい。例えば、各関数モジュールは、各関数に対応して定義されてもよい。代替的には、２つ以上の機能が１つの処理モジュールに統合されてもよい。統合モジュールは、ハードウェアの形態で実装されてもよいし、ソフトウェア機能モジュールの形態で実装されてもよい。この出願においては、モジュール分割は一例であり、単なる論理関数分割に過ぎないことに留意されたい。実際の実施においては、別の分割方法が使用されてもよい。例えば、各機能モジュールが各機能に対応して定義される場合、図１６は、装置の概略図である。装置は、前述の実施形態ではネットワークデバイスであってもよい。装置は、処理ユニット１６０１および通信ユニット１６０２を含む。
【０２４６】
処理ユニット１６０１は、指示情報を決定するように構成されており、指示情報は、タイミング調整パラメータを示し、タイミング調整パラメータは、端末デバイスによって、第１の上りリンクキャリアおよび第２の上りリンクキャリア上での送信タイミングを決定するために使用されるものであり、第１の上りリンクキャリアは、第１の無線アクセス技術の上りリンクキャリアであり、第２の上りリンクキャリアは、第２の無線アクセス技術の上りリンクキャリアである。
【０２４７】
通信ユニット１６０２は、処理ユニット１６０１によって決定された指示情報を端末デバイスに送信するように構成されている。
【０２４８】
任意で、第２の上りリンクキャリアは、少なくとも２つの第２の上りリンクキャリアを含み、少なくとも２つの第２の上りリンクキャリアは、同一セルに属し、タイミング調整パラメータは、端末デバイスによって、第１の上りリンクキャリアおよび少なくとも２つの第２の上りリンクキャリア上での送信タイミングを決定するために使用されるものである。
【０２４９】
任意に、少なくとも２つの第２の上りリンクキャリアは、少なくとも１つのＴＤＤキャリアおよび少なくとも１つのＳＵＬキャリアを含む。
【０２５０】
任意に、第１の上りリンクキャリアは、一次セル内のキャリアであり、第２の上りリンクキャリアは、二次セル内のキャリアであり、
通信ユニット１６０２は、端末デバイスへの指示情報の送信する場合、具体的には、
第１の下りリンクキャリア上で指示情報を端末デバイスに送信するように構成されており、第１の下りリンクキャリアおよび第１の上りリンクキャリアが同一セルに属するか、または第１の下りリンクキャリアおよび第１の上りリンクキャリアが同一の無線アクセス技術に属する。
【０２５１】
任意に、第１の無線アクセス技術はＬＴＥであり、第２の無線アクセス技術はＮＲである。
【０２５２】
任意に、第１の上りリンクキャリアは、一次セル内の上りリンクキャリアであり、第２の上りリンクキャリアは、二次セル内の上りリンクキャリアであり、
処理ユニット１６０１は、さらに、
通信ユニット１６０２が、第１の下りリンクキャリア上で下りリンク基準信号を端末デバイスに送信するように制御することであって、第１の下りリンクキャリアと第１の上りリンクキャリアは同一セルに属する、制御することとをするように構成されている。
【０２５３】
任意に、処理ユニット１６０１は、さらに、
通信ユニット１６０２が、第１の下りリンクキャリア上で下りリンク基準信号を端末デバイスに送信するように制御することであって、第１の下りリンクキャリアが第１の無線アクセス技術の下りリンクキャリアであり、第１の下りリンクキャリアおよび第１の上りリンクキャリアが同一セルに属する、制御することをするようにさらに構成されている。
【０２５４】
任意に、処理ユニット１６０１は、さらに、
通信ユニット１６０２が、第１の下りリンクキャリア上で下りリンク基準信号をネットワークデバイスに送信するように制御することであって、第１の下りリンクキャリアが第１の無線アクセス技術の下りリンクキャリアであり、第１の下りリンクキャリアおよび第１の上りリンクキャリアが異なるセルに属する、制御することをするように構成されている。
【０２５５】
ネットワークデバイスは、この出願の実施形態により情報を送信および受信するための方法において、ネットワークデバイスによって行われるステップを実装するように構成されてもよいと理解されたい。関連する機能については、前述の説明を参照のこと。詳細は、本明細書では再度説明しない。
【０２５６】
この出願の一実施形態は、さらに、ネットワークデバイスまたは端末デバイスによって使用されるコンピュータソフトウェア命令を記憶するように構成されているコンピュータ記憶媒体を提供する。コンピュータソフトウェア命令は、前述の方法の実施形態を行うために設計されたプログラムコードを含む。
【０２５７】
当業者は、この出願が方法、システムまたはコンピュータプログラム製品として提供され得ると理解すべきである。従って、この出願は、ハードウェアのみの実施形態、ソフトウェアのみの実施形態、またはソフトウェアとハードウェアの組み合わせを有する実施形態の形態を使用することができる。さらに、この出願は、コンピュータ使用可能プログラムコードを含む、１つ以上のコンピュータ使用可能記憶媒体（ディスクストレージ、ＣＤ−ＲＯＭ、光学ストレージなどを含むが、これらに限定されない）上に実装されるコンピュータプログラム製品の形態を使用することができる。
【０２５８】
この出願は、この出願による方法、デバイス（システム）およびコンピュータプログラム製品のフローチャートおよび／またはブロック図を参照して説明されている。コンピュータプログラム命令は、フローチャートおよび／またはブロック図の各プロセスおよび／または各ブロック、およびフローチャートおよび／またはブロック図のプロセスおよび／またはブロックの組み合わせを実施するために使用され得ると理解されたい。これらのコンピュータプログラム命令は、汎用コンピュータ、専用コンピュータ、埋め込みプロセッサ、またはマシンを生成するための他の任意のプログラマブルデータ処理デバイスのプロセッサに対して提供されてもよく、他の任意のプログラマブルデータ処理デバイスのコンピュータまたはプロセッサによって実行される命令は、フローチャートの１つ以上のプロセスおよび／またはブロック図の１つ以上のブロックにおいて、特定の機能を実装するための装置を生成するようにする。
【０２５９】
これらのコンピュータプログラム命令は、コンピュータまたは他の任意のプログラマブルデータ処理デバイスに特定の方法で動作するように命令することができるコンピュータ読取可能メモリに記憶されてもよく、コンピュータ読取可能メモリに記憶された命令は、命令装置を含むアーチファクトを生成する。命令装置は、フローチャート中の１つ以上のプロセスおよび／またはブロック図中の１つ以上のブロック中の特定の機能を実装する。
【０２６０】
これらのコンピュータプログラム命令は、コンピュータまたは別のプログラマブルデータ処理デバイスにロードされてもよく、一連の動作およびステップがコンピュータまたは別のプログラマブルデバイス上で行われ、それによって、コンピュータに実装された処理を生成する。従って、コンピュータまたは別のプログラマブルデバイス上で実行される命令は、フローチャートの１つ以上のプロセスおよび／またはブロック図の１つ以上のブロックにおける特定の機能を実装するためのステップを提供する。
【０２６１】
明らかに、当業者は、この出願の精神および範囲から逸脱することなく、この出願に種々の修正および変更を加えることができる。したがって、この出願は、この出願の以下の特許請求の範囲およびそれらの同等の技術によって定義される保護の範囲内にあることを条件として、この出願のこれらの修正および変形をカバーすることを意図している。
【図１】
2021503786.tif 000004
【図２ａ】
2021503786.tif 000005
【図２ｂ】
2021503786.tif 000006
【図２ｃ】
2021503786.tif 000007
【図２ｄ】
2021503786.tif 000008
【図３】
2021503786.tif 000009
【図４】
2021503786.tif 000010
【図５】
2021503786.tif 000011
【図６】
2021503786.tif 000012
【図７】
2021503786.tif 000013
【図８】
2021503786.tif 000014
【図９】
2021503786.tif 000015
【図１０】
2021503786.tif 000016
【図１１】
2021503786.tif 000017
【図１２】
2021503786.tif 000018
【図１３】
2021503786.tif 000019
【図１４】
2021503786.tif 000020
【図１５】
2021503786.tif 000021
【図１６】
2021503786.tif 000022
【手続補正書】
【提出日】令和2年6月26日(2020.6.26)
【手続補正１】
【補正対象書類名】明細書
【補正対象項目名】全文
【補正方法】変更
【補正の内容】
【発明の詳細な説明】
【技術分野】
【０００１】
この出願は、「METHOD  AND  APPARATUS  FOR  TRANSMITTING  OR  RECEIVING  INFORMATION」と題する、２０１７年１１月１７日に中国国家知的所有権局に出願された中国特許出願第２０１７１１４８３８８．Ｘ号に対する優先権を主張し、その全体が参照により本明細書に組み込まれ、「METHOD  AND  APPARATUS  FOR  TRANSMITTING  OR  RECEIVING  INFORMATION」と題する、２０１８年１月１２日に中国国家知的所有権局に出願された中国特許出願第２０１８１００３２２９．８号に対する優先権を主張し、その全体が参照により本明細書に組み込まれる。
【０００２】
この出願は、無線通信技術の分野に関し、特に、情報を送信または受信するための方法および装置に関する。
【背景技術】
【０００３】
無線通信システムにおいて、通信は、異なるタイプの送信ノードおよび受信ノードに基づいて異なるタイプに分類され得る。一般に、ネットワークデバイスから端末デバイスへの情報送信は、下りリンク通信、端末デバイスからネットワークデバイスへの情報送信は、上りリンク通信と呼ばれる。ロング・ターム・エボリューション（long  term  evolution、ＬＴＥ）またはロング・ターム・エボリューション・アドバンスト（long  term  evolution  advanced、ＬＴＥ-Ａ）通信システムにおいて、異なる複信モードは主に周波数分割複信（frequency  division  duplex、ＦＤＤ）モードと時分割複信（time  division  duplex、ＴＤＤ）モードに分類される。
【０００４】
ＴＤＤモードで動作する無線通信システムの場合、下りリンクキャリアと上りリンクキャリアは同じキャリア周波数のキャリアである。第５世代（the  5th  generation、５Ｇ）移動通信システムのニューラジオ（new  RAT、ＮＲ）移動通信システムでは、上りリンク−下りリンクデカップリング技術が適用され得る。具体的には、上りリンクまたは下りリンク通信を行うために使用されるＴＤＤキャリアに加えて、上りリンク通信を行うために追加の上りリンクキャリアが使用されてもよく、追加の上りリンクキャリアは、一般に、補助上りリンク（supplementary  uplink、ＳＵＬ）キャリアと呼ばれる。具体的には、ＮＲ端末デバイスは、上りリンク通信を行うために、２つの上りリンクキャリアを同時に有してもよい。
【０００５】
現在、ＬＴＥ−ＮＲデュアル・コネクティビティ（dual  connectivity、ＤＣ）モードの端末デバイスの場合、ＮＲ  ＴＤＤキャリアとＳＵＬキャリアの両方がＮＲシステムに配備されている場合、ＬＴＥ上りリンクキャリア、ＮＲ  ＴＤＤキャリア、およびＮＲ  ＳＵＬキャリアを含む少なくとも３つの上りリンクキャリアが、端末デバイスのために構成されている。端末デバイスの上りリンクスペクトル効率を最大限に確保するために、端末デバイスによる上りリンク信号を３つの上りリンクキャリア上で送信するためのタイミングは等しくする必要があり、そうでなければ、上りリンクリソースの無駄が生じる。端末デバイスによって上りリンク信号を３つの上りリンクキャリア上で送信するタイミングが等しくない場合、いくつかの時間セグメントにおいて、端末デバイスは上りリンク信号を送信できず、上りリンクリソースの無駄を生じる。
【発明の概要】
【０００６】
この出願は、情報を送信または受信するための方法および装置を提供して、複数の上りリンクキャリア上の端末デバイスの不均等な送信タイミングによって生じる上りリンクリソースの無駄を回避する。
【０００７】
第１の態様によれば、この出願は、情報を送信するための方法を提供し、本方法は、
端末デバイスによって、ネットワークデバイスからの指示情報を受信することであって、指示情報はタイミング調整パラメータを示し、端末デバイスは、タイミング調整パラメータは、端末デバイスによって第１の上りリンクキャリアおよび第２の上りリンクキャリア上での送信タイミングを決定するために使用され、第１の上りリンクキャリアは、第１の無線アクセス技術の上りリンクキャリアであり、第２の上りリンクキャリアは、第２の無線アクセス技術の上りリンクキャリアである、受信することと、端末デバイスによって、指示情報に基づいて、タイミング調整パラメータを決定することと、を含む。
【０００８】
端末デバイスは、ネットワークデバイスによって送信される１つのタイミング調整パラメータに基づいて、複数の上りリンクキャリア上での送信タイミングを決定する。従って、端末デバイスは、複数の上りリンクキャリア上で同じ送信タイミングを維持し、上りリンクリソースを効果的に利用することができ、かつ、上りリンクリソースの無駄を回避することが保証される。
【０００９】
可能な設計では、第２の上りリンクキャリアは、少なくとも２つの第２の上りリンクキャリアを含み、少なくとも２つの第２の上りリンクキャリアは、同一セルに属し、タイミング調整パラメータは、端末デバイスによって第１の上りリンクキャリアおよび少なくとも２つの第２の上りリンクキャリア上での送信タイミングを決定するために使用される。
【００１０】
端末デバイスは、ネットワークデバイスによって１つのメッセージで送信される指示情報に基づいて、同一セル内の同一の無線アクセス技術の複数の上りリンクキャリアに対応するタイミングを送信し、上りリンクリソースを有効に利用できるようにする。
【００１１】
可能な設計では、少なくとも２つの第２の上りリンクキャリアは、少なくとも１つのＴＤＤキャリアおよび少なくとも１つのＳＵＬキャリアを含む。
【００１２】
可能な設計では、第１の上りリンクキャリアは、一次セル内のキャリアであり、第２の上りリンクキャリアは、二次セル内のキャリアであり、端末デバイスによって、ネットワークデバイスからの指示情報を受信することは、端末デバイスによって、ネットワークデバイスから第１の下りリンクキャリア上で指示情報を受信することを含み、第１の下りリンクキャリアと第１の上りリンクキャリアは、同一セルに属し、第１の下りリンクキャリアと第１の上りリンクキャリアは、同一の無線アクセス技術に属する。
【００１３】
端末デバイスは、一次セル内の下りリンクキャリアを使用することにより、ネットワークデバイスによって送信された指示情報を受信する。従って、同一の無線アクセス技術に属する複数の上りリンクキャリア上での送信タイミングは、１つの指示情報に基づいて決定され得る。
【００１４】
可能な設計では、第１の無線アクセス技術はＬＴＥであり、第２の無線アクセス技術はＮＲである。
【００１５】
可能な設計では、第１の上りリンクキャリアは、一次セル内の上りリンクキャリアであり、第２の上りリンクキャリアは、二次セル内の上りリンクキャリアであり、本方法は、さらに、端末デバイスによって、ネットワークデバイスから第１の下りリンクキャリア上の下りリンク基準信号を受信することであって、第１の下りリンクキャリアと第１の上りリンクキャリアは、同一セルに属する、受信することと、端末デバイスによって、下りリンク基準信号に基づいて、第２の上りリンクキャリア上で上りリンク信号をネットワークデバイスに送信するための電力を決定することを含む。
【００１６】
端末デバイスは、一次セル内の下りリンクキャリアを使用することによって、ネットワークデバイスによって送信された下りリンク基準信号を受信する。したがって、二次セル内の上りリンクキャリア上で上りリンク信号をネットワークデバイスに送信するための電力は、一次セルの下りリンク基準信号に基づいて決定することができ、端末デバイスが、二次セルの下りリンク基準信号に基づいて、二次セル内の上りリンクキャリア上で上りリンク信号をネットワークデバイスに送信するための電力を決定できない場合が回避される。
【００１７】
可能な設計では、本方法は、さらに、端末デバイスによって、ネットワークデバイスから第１の下りリンクキャリア上で下りリンク基準信号を受信することであって、第１の下りリンクキャリアが第１の無線アクセス技術の下りリンクキャリアであり、第１の下りリンクキャリアと第１の上りリンクキャリアが同一セルに属する、受信することと、端末デバイスによって、下りリンク基準信号に基づいて、第２の上りリンクキャリア上で上りリンク信号をネットワークデバイスに送信するための電力を決定することと、を含む。
【００１８】
端末デバイスは、第１の無線アクセス技術の下りリンクキャリアを使用することによって、ネットワークデバイスによって送信された下りリンク基準信号を受信する。従って、第２の第１の無線アクセス技術の上りリンクキャリア上で上りリンク信号を送信するための電力は、第１の無線アクセス技術の下りリンク基準信号に基づいて決定することができ、端末デバイスが、第２の無線アクセス技術の下りリンク基準信号に基づいて、第２の無線アクセス技術の上りリンクキャリア上で上りリンク信号をネットワークデバイスに送信するための電力を決定できない場合が回避される。
【００１９】
可能な設計では、本方法は、さらに、端末デバイスによって、ネットワークデバイスから第１の下りリンクキャリア上で下りリンク基準信号を受信することであって、第１の下りリンクキャリアは、第１の無線アクセス技術の下りリンクキャリアであり、第１の下りリンクキャリアおよび第１の上りリンクキャリアが異なるセルに属する、受信することと、端末デバイスによって、下りリンク基準信号に基づいて、第２の上りリンクキャリア上で上りリンク信号をネットワークデバイスに送信するための電力を決定することと、を含む。
【００２０】
第２の態様によれば、この出願は、情報を送信するための方法を提供し、本方法は、
ネットワークデバイスによって、指示情報を決定することであって、指示情報がタイミング調整パラメータを示し、タイミング調整パラメータは、端末デバイスによって、第１の上りリンクキャリアおよび第２の上りリンクキャリア上での送信タイミングを決定するために使用されるものであり、第１の上りリンクキャリアが第１の無線アクセス技術の上りリンクキャリアであり、第２の上りリンクキャリアが第２の無線アクセス技術の上りリンクキャリアである、決定することと、
ネットワークデバイスによって、端末デバイスへ指示情報を送信することと、を含む。
【００２１】
可能な設計では、第２の上りリンクキャリアは、少なくとも２つの第２の上りリンクキャリアを含み、
少なくとも２つの第２の上りリンクキャリアは、同一セルに属し、タイミング調整パラメータは、端末デバイスによって、第１の上りリンクキャリアおよび少なくとも２つの第２の上りリンクキャリア上での送信タイミングを決定するために使用されるものである。
【００２２】
可能な設計では、少なくとも２つの第２の上りリンクキャリアは、少なくとも１つのＴＤＤキャリアおよび少なくとも１つのＳＵＬキャリアを含む。
【００２３】
可能な設計では、第１の上りリンクキャリアは、一次セル内のキャリアであり、
第２の上りリンクキャリアは、二次セル内のキャリアである。ネットワークデバイスによって、端末デバイスに指示情報を送信することは、
ネットワークデバイスによって、第１の下りリンクキャリア上の指示情報を端末デバイスに送信することであって、第１の下りリンクキャリアおよび第１の上りリンクキャリアは、同一セルに属するか、または第１の下りリンクキャリアおよび第１の上りリンクキャリアは、同一の無線アクセス技術に属する、送信することを含む。
【００２４】
可能な設計では、第１の無線アクセス技術はＬＴＥであり、第２の無線アクセス技術はＮＲである。
【００２５】
可能な設計では、第１の上りリンクキャリアは、一次セル内の上りリンクキャリアであり、第２の上りリンクキャリアは、二次セル内の上りリンクキャリアであり、本方法は、さらに、
ネットワークデバイスによって、第１の下りリンクキャリア上で下りリンク基準信号を端末デバイスに送信することであって、第１の下りリンクキャリアおよび第１の上りリンクキャリアは同一セルに属する、送信することと、を含む。
【００２６】
可能な設計では、本方法は、さらに、
ネットワークデバイスによって、第１の下りリンクキャリア上で下りリンク基準信号を端末デバイスに送信することであって、第１の下りリンクキャリアは、第１の無線アクセス技術の下りリンクキャリアであり、第１の下りリンクキャリアと第１の上りリンクキャリアは同一セルに属する、送信することを含む。
【００２７】
可能な設計では、本方法は、さらに、
ネットワークデバイスによって、第１の下りリンクキャリア上で下りリンク基準信号をネットワークデバイスに送信することであって、第１の下りリンクキャリアは、第１の無線アクセス技術の下りリンクキャリアであり、第１の下りリンクキャリアと第１の上りリンクキャリアは異なるセルに属する、送信することを含む。
【００２８】
第３の態様によれば、この出願は、情報を送信するための方法を提供し、本方法は、
ネットワークデバイスによって、下りリンク基準信号を決定することであって、下りリンク基準信号が、端末デバイスによって、第１の上りリンクキャリア上で上りリンク信号をネットワークデバイスに送信するための電力を決定するために使用される、決定することと、
ネットワークデバイスによって、第１の下りリンクキャリア上で下りリンク基準信号を端末デバイスに送信することであって、第１の下りリンクキャリアおよび第１の上りリンクキャリアは異なるセルに属する、送信することと、を含む。
【００２９】
可能な設計では、第１の下りリンクキャリアは、一次セル内の下りリンクキャリアであり、第１の上りリンクキャリアは、二次セル内の上りリンクキャリアである。
【００３０】
可能な設計では、第１の下りリンクキャリアは、第１の無線アクセス技術の下りリンクキャリアであり、第１の上りリンクキャリアは、第２の無線アクセス技術の上りリンクキャリアである。
【００３１】
可能な設計では、第１の無線アクセス技術はＬＴＥであり、第２の無線アクセス技術はＮＲである。
【００３２】
可能な設計では、第１の上りリンクキャリア、第２の上りリンクキャリア、および第２の下りリンクキャリアは、同一セルに属する。
【００３３】
可能な設計では、ネットワークデバイスは、端末デバイスに指示情報を送信し、指示情報は、端末デバイスが、下りリンク基準信号に基づいて、第１の上りリンクキャリア上で上りリンク信号をネットワークデバイスに送信するための電力を決定することを示すか、指示情報は、端末デバイスが、下りリンク基準信号に基づいて、第１の上りリンクキャリア上で上りリンク信号をネットワークデバイスに送信するための電力を決定しないことを示す。
【００３４】
可能な設計では、ネットワークデバイスは、第２の指示情報を端末デバイスに送信し、第２の指示情報は、端末デバイスによって下りリンク基準信号を決定するために使用される。
【００３５】
可能な設計では、第２の指示情報は、下りリンク基準信号に対応するリソース情報、シーケンス情報、および電力情報のうちの少なくとも１つを含む。
【００３６】
第４の態様によれば、この出願は、情報を受信するための方法を提供し、本方法は、
端末デバイスによって、ネットワークデバイスから第１の下りリンクキャリア上で下りリンク基準信号を受信することであって、下りリンク基準信号は、端末デバイスによって第１の上りリンクキャリア上で上りリンク信号をネットワークデバイスに送信するための電力を決定するために使用される、受信することと、
端末デバイスによって、下りリンク基準信号に基づいて第１の上りリンクキャリア上で上りリンク信号をネットワークデバイスに送信するための電力を決定することと、を含む。
【００３７】
可能な設計では、第１の下りリンクキャリアおよび第１の上りリンクキャリアは、異なるセルに属する。
【００３８】
可能な設計では、第１の下りリンクキャリアは、一次セル内の下りリンクキャリアであり、第１の上りリンクキャリアは、二次セル内の上りリンクキャリアである。
【００３９】
可能な設計では、第１の下りリンクキャリアは、第１の無線アクセス技術の下りリンクキャリアであり、第１の上りリンクキャリアは、第２の無線アクセス技術の上りリンクキャリアである。
【００４０】
可能な設計では、第１の無線アクセス技術はＬＴＥであり、第２の無線アクセス技術はＮＲである。
【００４１】
可能な設計では、第１の上りリンクキャリア、第２の上りリンクキャリア、および第２の下りリンクキャリアは、同一セルに属する。
【００４２】
可能な設計では、端末デバイスは、ネットワークデバイスから第１の指示情報を受信し、第１の指示情報は、端末デバイスが、下りリンク基準信号に基づいて、第１の上りリンクキャリア上で上りリンク信号をネットワークデバイスに送信するための電力を決定することを示すか、または第１の指示情報は、端末デバイスが、下りリンク基準信号に基づいて、第１の上りリンクキャリア上で上りリンク信号をネットワークデバイスに送信するための電力を決定しないことを示す。
【００４３】
可能な設計では、端末デバイスは、ネットワークデバイスから第２の指示情報を受信し、第２の指示情報は、端末デバイスによって下りリンク基準信号を決定するために使用される。
【００４４】
可能な設計では、第２の指示情報は、下りリンク基準信号に対応するリソース情報、シーケンス情報、または電力情報のうちの少なくとも１つを含む。
【００４５】
第５の態様によれば、この出願は、情報を受信するための方法を提供し、本方法は、
端末デバイスによって、ネットワークデバイスによって送信された指示情報を受信することであって、指示情報は、タイミング調整パラメータを含み、タイミング調整パラメータは、端末デバイスによって、第１の上りリンクキャリアおよび第２の上りリンクキャリア上での送信タイミングを決定するために使用されるものである、受信することと、
端末デバイスによって、指示情報に基づいてタイミング調整パラメータを決定することと、を含む。
【００４６】
可能な設計では、第１の上りリンクキャリアおよび第２の上りリンクキャリアは、同一セル内の上りリンクキャリアである。
【００４７】
可能な設計では、第１の上りリンクキャリアはＴＤＤキャリアであり、第２の上りリンクキャリアはＳＵＬキャリアであり、
タイミング調整パラメータは、端末デバイスによってＴＤＤキャリアおよびＳＵＬキャリア上での送信タイミングを決定するために使用される。
【００４８】
可能な設計では、端末デバイスによって、第１の上りリンクキャリア上でランダムアクセス信号をネットワークデバイスに送信するための第１のタイミングは、端末デバイスによって、第２の上りリンクキャリア上でランダムアクセス信号をネットワークデバイスに送信するための第２のタイミングと等しい。
【００４９】
可能な設計では、端末デバイスによって、第１の上りリンクキャリア上でランダムアクセス信号をネットワークデバイスに送信するための第１のタイミングと、ネットワークデバイスから第１の下りリンクキャリア上で下りリンク信号を受信するための第３のタイミングとの間の第１のタイミングオフセットは、端末デバイスによって、第２の上りリンクキャリア上でランダムアクセス信号をネットワークデバイスに送信するための第２のタイミングと、ネットワークデバイスから第１の下りリンクキャリア上で下りリンク信号を受信するための第３のタイミングとの間の第２のタイミングオフセットに等しく、第１の下りリンクキャリアおよび第１の上りリンクキャリアはＴＤＤキャリアであり、第１の下りリンクキャリアおよび第１の上りリンクキャリアは関連付けられる。
【００５０】
可能な設計では、端末デバイスによって、第１の上りリンクキャリア上でランダムアクセス信号をネットワークデバイスに送信するための第１のタイミングは、端末デバイスによって、第２の上りリンクキャリア上でランダムアクセス信号をネットワークデバイスに送信するための第２のタイミングと等しくない。
【００５１】
可能な設計では、端末デバイスによって、第１の上りリンクキャリア上でランダムアクセス信号をネットワークデバイスに送信するための第１のタイミングと、ネットワークデバイスから第１の下りリンクキャリア上で下りリンク信号を受信するための第３のタイミングとの間の第１のタイミングオフセットは、端末デバイスによって、第２の上りリンクキャリア上でランダムアクセス信号をネットワークデバイスに送信するための第２のタイミングと、ネットワークデバイスから第１の下りリンクキャリア上で下りリンク信号を受信するための第３のタイミングとの間の第２のタイミングオフセットと等しくなく、第１の下りリンクキャリアおよび第１の上りリンクキャリアはＴＤＤキャリアであり、第１の下りリンクキャリアおよび第１の上りリンクキャリアは関連付けられる。
【００５２】
可能な設計では、第１のオフセットは０より大きく、第２のオフセットは０に等しい。
【００５３】
第６の態様によれば、この出願は、情報を送信するための方法を提供し、本方法は、
ネットワークデバイスによって、指示情報を決定することであって、指示情報は、タイミング調整パラメータを含み、タイミング調整パラメータは、端末デバイスによって、第１の上りリンクキャリアおよび第２の上りリンクキャリア上での送信タイミングを決定するために使用されるものである、決定することと、
ネットワークデバイスによって、端末デバイスに指示情報を送信することと、を含む。
【００５４】
可能な設計では、第１の上りリンクキャリアおよび第２の上りリンクキャリアは、同一セル内の上りリンクキャリアである。
【００５５】
可能な設計では、第１の上りリンクキャリアはＴＤＤキャリアであり、第２の上りリンクキャリアはＳＵＬキャリアであり、
タイミング調整パラメータは、端末デバイスが、ＴＤＤキャリアおよびＳＵＬキャリア上での送信タイミングを決定することを示すために使用される。
【００５６】
第７の態様によれば、この出願は、情報を送信するための方法を提供し、本方法は、
端末デバイスによって、ターゲット上りリンクキャリアに対応する電力情報を決定することであって、ターゲット上りリンクキャリアは、第１の上りリンクキャリアまたは第２の上りリンクキャリアのうちの１つである、決定することと、
端末デバイスによって、電力情報および指示情報をネットワークデバイスに送信することであって、指示情報は、ターゲット上りリンクキャリアを示す、送信することと、を含む。
【００５７】
可能な設計では、電力情報は、第１の電力と第２の電力との間の差を含み、第１の電力は、端末デバイスの最大送信電力を含み、第２の電力は、端末デバイスによって推定される上りリンク信号送信電力を含む。
【００５８】
可能な設計では、第１の上りリンクキャリアと第２の上りリンクキャリアは同一セルに属する。
【００５９】
可能な設計では、端末デバイスは、電力情報および指示情報を同一のメッセージに追加し、そのメッセージをネットワークデバイスに送信する。
【００６０】
可能な設計では、指示情報は、１ビットを含み、ビットが０である場合、指示情報は、第１の上りリンクキャリアを示し、ビットが１である場合、指示情報は、第２の上りリンクキャリアを示す。
【００６１】
可能な設計では、指示情報は暗黙的に電力情報に含まれる。
【００６２】
第８の態様によれば、この出願は、情報を受信するための方法を提供し、本方法は、
ネットワークデバイスによって、電力情報および指示情報を受信することであって、指示情報は、ターゲット上りリンクキャリアを示し、ターゲット上りリンクキャリアは、第１の上りリンクキャリアまたは第２上りリンクキャリアのうちの１つである、受信することと、
ネットワークデバイスによって、指示情報に基づいて、電力情報に対応するターゲット上りリンクキャリアを決定することと、を含む。
【００６３】
可能な設計では、電力情報は、第１の電力と第２の電力との間の差を含み、第１の電力は、端末デバイスの最大送信電力を含み、第２の電力は、端末デバイスによって推定される上りリンク信号送信電力を含む。
【００６４】
可能な設計では、第１の電力は、ターゲット上りリンクキャリアに対応する端末デバイスの最大送信電力を含み、第２の電力は、ターゲット上りリンクキャリア上にあり、端末デバイスによって推定される信号送信電力を含む。
【００６５】
可能な設計では、第１の上りリンクキャリアと第２の上りリンクキャリアは同一セルに属する。
【００６６】
可能な設計では、ネットワークデバイスは、端末デバイスからの同一メッセージ内の電力情報および指示情報を受信する。
【００６７】
可能な設計では、指示情報は、１ビットを含み、ビットが０である場合、指示情報は、第１の上りリンクキャリアを示し、ビットが１である場合、指示情報は、第２の上りリンクキャリアを示す。
【００６８】
可能な設計では、指示情報は暗黙的に電力情報に含まれる。
【００６９】
第９の態様によれば、この出願は、情報を送信するための方法を提供し、本方法は、
ネットワークデバイスによって、第１の端末デバイスに対応する電力制御情報および第１の端末デバイスに対応する指示情報を決定することであって、電力制御情報は、端末デバイスによって、上りリンク送信電力を決定するために使用され、指示情報は、ターゲット上りリンクキャリアを示し、ターゲット上りリンクキャリアは、第１の上りリンクキャリアまたは第２の上りリンクキャリアのうちの１つである、決定することと、
ネットワークデバイスによって、電力制御情報および指示情報を下りリンク制御情報に追加することと、下りリンク制御情報を第１の端末デバイスに送信することと、を含む。
【００７０】
可能な設計では、下りリンク制御情報は、第２の端末デバイスに対応する電力制御情報をさらに含み、ネットワークデバイスは、下りリンク制御情報を第２の端末デバイスに送信する。
【００７１】
第１０の態様によれば、この出願は、情報を受信するための方法を提供し、本方法は、
端末デバイスによって、ネットワークデバイスから電力制御情報および指示情報を受信することであって、電力制御情報は、端末デバイスによって、ターゲット上りリンクキャリア上での送信電力を決定するために使用され、ターゲット上りリンクキャリアは、第１上りリンクキャリアまたは第２上りリンクキャリアのうちの１つであり、指示情報はターゲット上りリンクキャリアを示す、受信することと、
端末デバイスによって、指示情報に基づいて、電力制御情報に対応するターゲット上りリンクキャリアを決定することと、を含む。
【００７２】
第１１の態様によれば、この出願の実施形態は、情報を受信するための装置を提供し、本装置は、端末デバイスであってもよく、端末デバイス内のチップであってもよい。装置は、第１の態様、第４の態様、第５の態様、第７の態様、および第１０の態様の各実施形態を実装するための機能を有する。この機能は、ハードウェアによって実装されてもよく、ハードウェアによって実行される対応するソフトウェアによって実装されてもよい。ハードウェアまたはソフトウェアは、前述の機能に対応する１つ以上のモジュールを含む。
【００７３】
可能な設計では、装置が端末デバイスである場合、端末デバイスは、処理ユニットおよび通信ユニットを含み、処理ユニットは、例えば、プロセッサであってもよく、通信ユニットは、例えば、トランシーバであってもよく、トランシーバは、無線周波数回路を含む。任意に、端末デバイスは、記憶ユニットをさらに含み、記憶ユニットは、例えばメモリであってもよい。端末デバイスが記憶ユニットを有する場合、記憶ユニットは、コンピュータ実行可能命令を記憶し、処理ユニットが記憶ユニットに接続され、処理ユニットは、記憶ユニットに記憶されたコンピュータ実行可能命令を実行して、端末デバイスが、第１の態様、第４の態様、第５の態様、第７の態様、および第１０の態様のいずれか１つによる情報を受信するための方法を行うようにする。
【００７４】
別の可能な設計では、装置が端末デバイス内のチップである場合、チップは、処理ユニットおよび通信ユニットを含み、処理ユニットは、例えば、プロセッサであってもよく、通信ユニットは、例えば、入出力インターフェース、ピン、または回路であってもよい。処理ユニットは、記憶ユニットに記憶されたコンピュータ実行可能命令を実行することができ、第１の態様、第４の態様、第５の態様、第７の態様、および第１０の態様のいずれか１つによる情報を受信するための方法が行われ得るようにする。任意に、記憶ユニットは、チップ内の記憶ユニット、例えば、レジスタもしくはキャッシュであるか、または記憶ユニットは、端末デバイス内のチップ外に配置された記憶ユニット、例えば、読み出し専用メモリ、もしくは静的情報および命令を記憶することができる他のタイプの静的記憶デバイス、もしくはランダムアクセスメモリであってもよい。
【００７５】
第１２の態様によれば、この出願は、情報を送信するための装置を提供し、装置はネットワークデバイスであってもよく、またはネットワークデバイス内のチップであってもよい。装置は、第２の態様、第３の態様、第６の態様、第８の態様、および第９の態様の各実施形態を実装するための機能を有する。本機能は、ハードウェアによって実現されてもよく、ハードウェアによって実行される対応するソフトウェアによって実現されてもよい。ハードウェアまたはソフトウェアは、前述の機能に対応する１つ以上のモジュールを含む。
【００７６】
可能な設計では、装置がネットワークデバイスである場合、ネットワークデバイスは、処理ユニットおよび通信ユニットを含み、処理ユニットは、例えば、プロセッサであってもよく、通信ユニットは、例えば、トランシーバであってもよく、トランシーバは、無線周波数回路を含む。任意に、ネットワークデバイスは、記憶ユニットをさらに含み、記憶ユニットは、例えばメモリであってもよい。ネットワークデバイスが記憶ユニットを有する場合、記憶ユニットは、コンピュータ実行可能命令を記憶し、処理ユニットが記憶ユニットに接続され、処理ユニットは、記憶ユニットに記憶されたコンピュータ実行可能命令を実行して、ネットワークデバイスが、第２の態様、第３の態様、第６の態様、第８の態様、および第９の態様のいずれかによる情報を送信するための方法を実行するようにする。
【００７７】
別の可能な設計では、装置がネットワークデバイス内のチップである場合、チップは、処理ユニットおよび通信ユニットを含み、処理ユニットは、例えばプロセッサであってもよく、通信ユニットは、例えば、入出力インターフェース、ピン、または回路であってもよい。処理ユニットは、記憶ユニットに記憶されたコンピュータ実行可能命令を実行して、第２の態様、第３の態様、第６の態様、第８の態様、および第９の態様のいずれか１つによる情報を送信するための方法が実行され得るようにする。任意に、記憶ユニットは、チップ内の記憶ユニット、例えば、レジスタもしくはキャッシュであるか、または記憶ユニットは、ネットワークデバイス内のチップ外に配置された記憶ユニット、例えば、読み出し専用メモリ（read-only  memory、ＲＯＭ）もしくは静的情報および命令を記憶することができる別のタイプの静的記憶デバイス、もしくはランダムアクセスメモリ（random  access  memory、ＲＡＭ）であってもよい。
【００７８】
前述のプロセッサのうちのいずれか１つは、第１の態様、第４の態様、第５の態様、第７の態様、および第１０の態様における情報を受信するための方法の手順実行を制御するように構成されている汎用中央処理装置（central  processing  unit、ＣＰＵ）、マイクロプロセッサ、特定用途向け集積回路（(application-specific  integrated  circuit、ＡＳＩＣ）、または１つ以上の集積回路であってもよい。
【００７９】
前述のプロセッサのうちのいずれか１つは、第２の態様、第３の態様、第６の態様、第８の態様、および第９の態様における情報を送信するための方法の手順実行を制御するように構成されている汎用中央処理装置、マイクロプロセッサ、特定用途向け集積回路、または１つ以上の集積回路であってもよい。
【００８０】
第１３の態様によれば、この出願の一実施形態は、さらに、コンピュータ読取可能記憶媒体を提供し、コンピュータ読取可能記憶媒体は命令を記憶し、命令がコンピュータ上で実行されると、コンピュータが前述の態様の各々における方法を行うことを可能にされる。
【００８１】
第１４の態様によれば、この出願の一実施形態は、さらに、命令を含むコンピュータプログラム製品をさらに提供し、命令がコンピュータ上で実行されると、コンピュータが前述の態様の各々における方法を行うことを可能にされる。
【図面の簡単な説明】
【００８２】
【図１】この出願による通信ネットワークシステムの概略構造図である。
【図２ａ】この出願による情報を送信および受信するための方法の適用シナリオの概略図である。
【図２ｂ】この出願による情報を送信および受信するための方法の適用シナリオの概略図である。
【図２ｃ】この出願による情報を送信および受信するための方法の適用シナリオの概略図である。
【図２ｄ】この出願による情報を送信および受信するための方法の適用シナリオの概略図である。
【図３】この出願による下りリンク受信に使用される無線フレームと上りリンク送信に使用される無線フレームの概略図である。
【図４】この出願による送信タイミングが整列されるシナリオの概略図である。
【図５】この出願による送信タイミングが整列されていないシナリオの概略図である。
【図６】この出願による情報を送信および受信するための方法の概略フローチャートである。
【図７】この出願による情報を送信および受信するための方法の概略フローチャートである。
【図８】この出願による電力制御方法の概略フローチャートである。
【図９】この出願による電力制御方法の概略フローチャートである。
【図１０】この出願による電力制御方法の概略フローチャートである。
【図１１】この出願による電力制御方法の概略フローチャートである。
【図１２】この出願による電力制御方法の概略フローチャートである。
【図１３】この出願による情報を送信するための装置の概略構造図である。
【図１４】この出願による情報を送信するための装置の概略構造図である。
【図１５】この出願による情報を受信するための装置の概略構造図である。
【図１６】この出願による情報を受信するための装置の概略構造図である。
【発明を実施するための形態】
【００８３】
この出願は、情報を送新および受信するための方法を提供し、この方法は通信ネットワークシステムに適用され得る。図１は、この出願の実施形態による可能な通信ネットワークシステムの構造図である。図１に示すように、通信ネットワークシステムは、ネットワークデバイス１０１および複数の端末デバイス１０２を含む。ネットワークデバイス１０１は、エア・インターフェース・プロトコルを使用して複数の端末デバイス１０２と通信し得る。
【００８４】
この出願で言及されるネットワークデバイス１０１は、端末を無線ネットワークに接続する装置である。ネットワークデバイスは、発展型ノードＢ（evolved  node  B、ｅＮＢ）、無線ネットワークコントローラ（radio  network  controller、ＲＮＣ）、ノードＢ（node  B、ＮＢ）、基地局コントローラ（base  station  controller、ＢＳＣ）、ベーストランシーバステーション（base  transceiver  station、ＢＴＳ）、ホームノードＢ（例えば、home  evolved  nodeB、またはhome  node  B、ＨＮＢ）、ベースバンドユニット（baseband  unit、ＢＢＵ）、ｇノードＢ（g  nodeB、ｇＮＢ）、送信ポイント（transmitting  and  receiving  point、ＴＲＰ）、送信ポイント（transmitting  point、ＴＰ）、および移動交換センタを含むが、これらに限定されない。さらに、ネットワークデバイスは、Ｗｉ−Ｆｉアクセスポイント（access  point、ＡＰ）などをさらに含み得る。
【００８５】
この出願で言及される端末デバイス１０２は、無線送受信機能を有するデバイスであり得る。端末デバイスは、陸上、例えば、屋内、屋外、ハンドヘルド、ウェアラブル、または車両搭載に配備されてもよく、水上（例えば、船上）に配備されてもよく、または空中（例えば、飛行機、風船、および衛星）に配備されてもよい。端末デバイスは、携帯電話（mobile  phone）、モノのインターネット（IoT）端末デバイス、タブレットコンピュータ（Pad）、無線の送信および受信機能を有するコンピュータ、仮想現実（virtual  Reality、ＶＲ）端末デバイス、拡張現実（augmented  Reality、ＡＲ）、産業用制御無線端末（industrial  control）、自走（self  driving）無線端末、遠隔医療無線端末（remote  medical）、スマートグリッド（smart  grid）無線端末、輸送安全（transportation  safety）無線端末、スマートシティ（smart  city）無線端末、スマートホーム（smart  home）無線端末等であり得る。適用シナリオは、この出願のこの実施形態では限定されない。ときどき、端末デバイスはまた、ユーザ機器（user  equipment、ＵＥ）、アクセス端末デバイス、加入者ユニット、加入者ステーション、移動局、移動局、遠隔局、遠隔端末デバイス、移動デバイス、ＵＥ端末デバイス、端末デバイス、無線通信デバイス、ＵＥエージェント、ＵＥ装置などと呼ばれることがある。言い換えると、ネットワークデバイスとのデータ通信を行うことができる任意のデバイスが、この出願における端末デバイスとして使用され得る。説明を容易にするために、ＵＥが説明のために使用され得る。
【００８６】
この出願においては、図１に示すシステムアーキテクチャが主に説明のための例として使用されるが、本願はこれに限定されない。例えば、この出願はまた、マクロ基地局とマイクロ基地局が通信を行うシステムアーキテクチャにも適用可能であり得る。これは特に限定されない。
【００８７】
システムアーキテクチャが適用可能な通信システムは、ロング・ターム・エボリューション時分割複信（time  division  duplexing-long  term  evolution、ＴＤＤ  ＬＴＥ）システム、ロング・ターム・エボリューション周波数複信（frequency  division  duplexing-long  term  evolution、ＦＤＤ  ＬＴＥ）システム、ロング・ターム・エボリューション・アドバンスト（long  term  evolution-advanced、ＬＴＥ−Ａ）システム、および将来進化する様々な無線通信システム（例えば、ニューラジオ（new  rat、ＮＲ）システム）を含むが、これらに限定されない。
【００８８】
例として、ＮＲシステムを使用すると、端末デバイスは、補助上りリンク（supplementary  uplink、ＳＵＬ）キャリアを使用して、上りリンク信号をネットワークデバイスに送信し得る。ＳＵＬキャリアは、現在の無線アクセス技術において、上りリンクリソースのみが送信に使用されるキャリアである。例えば、ＮＲシステムでは、キャリアＡはＮＲ上りリンク送信のみに使用され、そのキャリアは下りリンク送信に使用されないか、キャリアＡはＬＴＥ通信システムにおいて上りリンク送信に使用されてもよいが、ＮＲ下りリンク送信には使用されない。この場合、キャリアＡはＳＵＬキャリアである。
【００８９】
可能なシナリオでは、図２ａを参照すると、ネットワークデバイス１０１は、ＮＲネットワークデバイスである。ネットワークデバイス１０１に信号を送信するために端末デバイス１０２によって使用される２つの上りリンクキャリア、すなわち、ＴＤＤキャリア（キャリアｂ１）およびＳＵＬキャリア（キャリアｂ２）が、ネットワークデバイス１０１のために配備される。２つのキャリアの両方とも、端末デバイスとネットワークデバイスとの間の上りリンク通信に使用され得る。この場合、ＴＤＤキャリアとＳＵＬキャリアは同一セルに属する。
【００９０】
別の可能なシナリオでは、図２ｂを参照すると、ネットワークデバイス１０１ａおよびネットワークデバイス１０１ｂは、２つの異なる無線アクセス技術のネットワークデバイスであり、ネットワークデバイス１０１ａおよびネットワークデバイス１０１ｂは、共存する。端末デバイス１０２は、２つのネットワークデバイスに同時にアクセスし得る。上りリンクキャリア（ｂ１）は、ネットワークデバイス１０１に対して配備され、上りリンクキャリア（ｂ２）は、ネットワークデバイス１０１ｂに対して配備される。例えば、ＮＲネットワークデバイスとＬＴＥネットワークデバイスが共存する。端末デバイス１０２は、ＮＲネットワークデバイスとＬＴＥネットワークデバイスに同時にアクセスすることができる。端末デバイス１０２は、ＮＲ上りリンクキャリアを使用して上りリンク信号をＮＲネットワークデバイスに送信し、ＬＴＥ上りリンクキャリアを使用してＬＴＥネットワークデバイスに上りリンク信号を送信する。可能な実装は、端末デバイスが時分割複信モードでＮＲネットワークデバイスにアクセスし、周波数分割複信モードでＬＴＥネットワークデバイスにアクセスすることである。端末デバイスは、デュアル・コネクティビティＤＣモードでＮＲネットワークデバイスおよびＬＴＥネットワークデバイスにアクセスしてもよく、キャリアアグリゲーションＣＡモードでＮＲネットワークデバイスおよびＬＴＥネットワークデバイスにアクセスしてもよいことに留意されたい。従来技術におけるＤＣとＣＡの大きな違いは、端末デバイスがＤＣモードを使用するときには、端末デバイスがアクセスする複数のキャリアはそれぞれ独立したメディアアクセス制御ＭＡＣ層プロトコルスタックを有しているが、端末デバイスがＣＡモードを使用するときには、端末デバイスの複数のキャリアは、固有のＭＡＣ層プロトコルスタックを共有することである。無線通信技術の進化に伴い、ＤＣおよびＣＡの定義および相違は、従来技術のものと同じであってもよく、または異なってもよい。
【００９１】
別の可能なシナリオでは、図２ｃを参照すると、ネットワークデバイス１０１ａおよびネットワークデバイス１０１ｂは、２つの異なる無線アクセス技術のネットワークデバイスであり、ネットワークデバイス１０１ａおよびネットワークデバイス１０１ｂは、共存する。端末デバイス１０２は、２つのネットワークデバイスに同時にアクセスすることができる。１つの上りリンクキャリアがネットワークデバイス１０１ａのために配備され、２つの上りリンクキャリアがネットワークデバイス１０１ｂのために配備される。例えば、ネットワークデバイス１０１ａはＬＴＥネットワークデバイスであってもよく、ネットワークデバイス１０１ｂはＮＲネットワークデバイスであってもよい。ＬＴＥ  ＵＬキャリア（ｃ１）がＬＴＥネットワークデバイスに配備され、ＴＤＤキャリア（ｃ２）とＳＵＬキャリア（ｃ３）がＮＲネットワークデバイスに配備される。このシナリオでは、ＮＲ  ＳＵＬキャリアおよびＬＴＥ  ＵＬキャリアは、同じ周波数の上りリンクキャリアであってもよいことに留意されたい。具体的には、ＮＲ  ＳＵＬキャリアとＬＴＥ  ＵＬキャリアは同じ周波数を共有する。例えば、ＮＲ  ＵＬキャリアとＮＲ  ＤＬキャリアの周波数は３．５ＧＨｚ、ＬＴＥ  ＵＬキャリアの周波数は１．７５ＧＨｚ、ＬＴＥ  ＤＬキャリアの周波数は１．８５ＧＨｚ、ＮＲ  ＳＵＬキャリアの周波数は１．７５ＧＨｚである。確かに、ＮＲ  ＳＵＬキャリアおよびＬＴＥ  ＵＬキャリアは、異なる周波数の上りリンクキャリアであってもよい。例えば、ＮＲ  ＳＵＬキャリアの周波数は７００ＭＨｚであり、ＬＴＥ  ＵＬキャリアの周波数は１．８ＧＨｚである。
【００９２】
別の可能なシナリオでは、図２ｄを参照すると、ネットワークデバイス１０１ａおよびネットワークデバイス１０１ｂは、異なる無線アクセス技術のネットワークデバイスであり、ネットワークデバイス１０１ａおよびネットワークデバイス１０１ｂは、共存しない。具体的には、ネットワークデバイス１０１ａはＬＴＥネットワークデバイスであってもよく、ネットワークデバイス１０１ｂはＮＲネットワークデバイスであってもよい。ＬＴＥネットワークデバイスとＮＲネットワークデバイスは、物理的位置の異なる２つのネットワークデバイスであり、ＮＲネットワークデバイスは、上りリンク送信に使用されるＮＲ  ＵＬキャリア（ｄ２）とＮＲ  ＳＵＬキャリア（ｄ１）を配備しているが、ＬＴＥ上りリンクキャリアとＮＲ  ＳＵＬキャリアは共存しており、ＮＲ  ＵＬキャリアとＮＲ  ＳＵＬキャリアまたはＬＴＥは共存していない。このシナリオでは、ＮＲ  ＳＵＬキャリアおよびＬＴＥ  ＵＬキャリアは、同じ周波数の上りリンクキャリアであってもよいことに留意されたい。具体的には、ＮＲ  ＳＵＬキャリアとＬＴＥ  ＵＬキャリアは同じ周波数である。例えば、ＮＲ  ＵＬキャリアとＮＲ  ＤＬキャリアの周波数は３．５ＧＨｚ、ＬＴＥ  ＵＬキャリアの周波数は１．７５ＧＨｚ、ＬＴＥ  ＤＬキャリアの周波数は１．８５ＧＨｚ、ＮＲ  ＳＵＬキャリアの周波数は１．７５ＧＨｚである。確かに、ＮＲ  ＳＵＬキャリアおよびＬＴＥ  ＵＬキャリアは、代替的には、異なる周波数の上りリンクキャリアであってもよい。例えば、ＮＲ  ＳＵＬキャリアの周波数は７００ＭＨｚであり、ＬＴＥ  ＵＬキャリアの周波数は１．７５ＧＨｚである。
【００９３】
この出願におけるタイミングは、送信デバイスによって信号を送信するための開始モーメント（または終了モーメント）または受信デバイスによって信号を受信するための開始モーメント（または終了モーメント）として理解され得る。説明を簡単にするために、以下では例として無線フレームを使用する。確かに、スロットまたはシンボルのような別のタイプの時間単位を使用してもよい。
【００９４】
信号送信のために使用されるタイミングは、一般に絶対モーメントとして理解され得る。端末デバイスが上りリンク信号を送信する場合、端末デバイスは、受信した同期信号に基づいて、下りリンク受信に使用される無線フレームの開始モーメントを決定し、下りリンク受信に使用される無線フレームの開始モーメントを基準点としてもよいし、端末デバイスはさらに、上りリンク送信に使用される無線フレームの開始モーメントを無線フレームの開始モーメントに基づいて決定する。この場合、上りリンク送信に使用される無線フレームの開始モーメントは、タイミングと見なされてもよく、タイミングは絶対モーメントである。次いで、端末デバイスは、タイミングに基づいて上りリンク信号を送信する。
【００９５】
タイミングは、複数の時点として理解され得ると理解されたい。言い換えると、１つのタイミングは、複数の時点（複数のモーメント）を含み得る。複数のモーメントが少なくとも３つのモーメントを含む場合、少なくとも３つのモーメントは等間隔に配置される。例えば、端末デバイスによって下りリンク受信に使用される無線フレームの開始モーメントを基準モーメントとし、０ミリ秒（millisecond、ｍｓ）と示され、１つの無線フレームの継続時間が１０ミリ秒と示されると仮定すると、端末デバイスによって下りリンク受信に使用される無線フレームのタイミングは、０ｍｓ、１０ｍｓ、２０ｍｓ、・・・などの複数のモーメントを含み得る。具体的には、端末デバイスは、０ｍｓ、１０ｍｓ、２０ｍｓ、・・・などの複数の時点のいくつかまたは全てにおいて下りリンク信号を受信することができる。端末デバイスによって上りリンク送信に使用される無線フレームの開始モーメントは、下りリンク受信に使用される無線フレームの開始モーメントと比較してｘ  ｍｓだけ進み、端末デバイスによって上りリンク送信に使用されるタイミングは、（０−ｘ）ｍｓ、（１０−ｘ）ｍｓ、（２０−ｘ）ｍｓ、・・・などの複数のモーメントを含み得る。確かに、複数のモーメントは、不均等な間隔で交互に配置されてもよい。これは、本明細書に限定されない。
【００９６】
タイミングアドバンスは、相対的モーメントの観点から理解され得る。通信プロトコルで特定される各タイミングは相対モーメントである。一般に、通信プロトコルでは時間基準点が定義されており、通信プロトコルのタイミングと時間基準点との間には、通常、特定のオフセットが存在する。図３は、下りリンク受信に使用される無線フレームと上りリンク送信に使用される無線フレームの概略図である。プロトコルでは、下りリンク受信に使用される無線フレームの開始モーメントが、一般的に時間基準点として使用される。図３に示すように、端末デバイスによって上りリンク送信に使用される無線フレームの開始モーメントは、下りリンク受信に使用される無線フレームの開始モーメントと比べてｘ  ｍｓだけ進むことが特定されており、ｘ  ｍｓは、タイミングアドバンスとみなすことができる。２つの無線フレームの数は同じであってもよい。
【００９７】
従来技術では、ネットワークデバイスがタイミング調整指示情報を端末デバイスに送信し、タイミング調整指示情報はタイミング調整パラメータを搬送し、タイミング調整パラメータはＴＡ値である。例えば、ＴＡ値は１０に等しくてもよい。この場合、端末デバイスは、端末デバイスの上りリンク送信タイミングが下りリンク受信タイミングに比べて１０×Ｔｓ秒進むことを理解すべきであり、Ｔｓはタイミング調整粒度である。
【００９８】
ＮＲシステムは、ＬＴＥ−ＮＲデュアル・コネクティビティ（dual  connectivity、ＤＣ）モードで動作する端末をサポートする。具体的には、端末がＬＴＥシステムとＮＲシステムで同時に動作することがある。図２ｃに示されたシナリオを参照すると、ＴＤＤキャリアおよびＳＵＬキャリアは、ＮＲネットワークデバイスのために配備されてもよく、ＦＤＤキャリアは、ＬＴＥネットワークデバイスのために配備されてもよい。ＬＴＥ−ＮＲ  ＤＣモードの端末デバイスの場合、ＬＴＥ上りリンクキャリア、ＮＲ  ＴＤＤキャリア、およびＮＲ  ＳＵＬキャリアを含む少なくとも３つの上りリンクキャリアが端末デバイスのために構成される。端末デバイスの上りリンクスペクトル効率を最大限に確保するために、３つの上りリンクキャリア上の端末デバイスによる上りリンク信号を送信するためのタイミングが等しくなければならない。そうでなければ、上りリンクリソースの無駄が生じる。図４にタイミングが整列したシナリオで示されているように、端末デバイスが異なる上りリンクキャリア間でスイッチングすることにより上りリンク信号を送信する場合、各上りリンク時間において信号が送信される。
【００９９】
現在、ＬＴＥタイミング調整パラメータとＮＲタイミング調整パラメータは別々に送信されるため、異なる上りリンクキャリア上での端末デバイスのタイミングが等しくならないケースが発生している。３つの上りリンクキャリア上で端末デバイスによって上りリンク信号を送信するタイミングが等しくない場合、いくつかの時間セグメントにおいて、図５に示すように、端末デバイスは上りリンク信号を送信することができず、上りリンクリソースの無駄を生じる。
【０１００】
技術的問題を解決するために、例えば、図６は、本出願による情報を送信および受信するプロセスを示す。以下は、情報を送信および受信するプロセスを説明するために、ネットワークデバイスと端末デバイスとの間の対話の方法を使用する。
【０１０１】
図６に示すように、このプロセスは以下のステップを含む。
【０１０２】
ステップ６０１：ネットワークデバイスが、指示情報を決定する。
【０１０３】
この出願では、指示情報はタイミング調整パラメータを示す。タイミング調整パラメータは、端末デバイスによって第１の上りリンクキャリアおよび第２の上りリンクキャリア上での送信タイミングを決定するために使用され、第１の上りリンクキャリアは第１の無線アクセス技術の上りリンクキャリアであり、第２の上りリンクキャリアは第２の無線アクセス技術の上りリンクキャリアである。
【０１０４】
第１の無線アクセス技術はＬＴＥであってもよく、第２の無線アクセス技術はＮＲであってもよいことに留意されたい。これに対応して、ネットワークデバイスは、ＬＴＥネットワークデバイスであってもよく、またはＮＲネットワークデバイスであってもよい。ＬＴＥネットワークデバイスとＮＲネットワークデバイスは、同じサイトに配備されてもよいことを理解されたい。この場合、ＬＴＥネットワークデバイスとＮＲネットワークデバイスは、物理的には同一のネットワークデバイスであるが、論理的には、１つのＬＴＥネットワークデバイスと１つのＮＲネットワークデバイスの２つのネットワークデバイスが存在すると理解されてもよく、または、１つのＬＴＥセルと１つのＮＲセルの２つのサービングセルが存在するものと理解され得る。ＬＴＥセルとＮＲセルは、同じタイミング調整グループに属すると理解されたい。
【０１０５】
ＮＲ上りリンクキャリアは、ＳＵＬキャリアをさらに含むことができるので、第２上りリンクキャリアは、少なくとも２つの上りリンクキャリアを含むことができ、少なくとも２つの上りリンクキャリアは、同一セルに属する。この場合、タイミング調整パラメータは、第１の上りリンクキャリアおよび少なくとも２つの第２の上りリンクキャリア上の送信タイミングを決定するために、端末デバイスによって使用されるものである。確かに、第２の上りリンクキャリアがＮＲ上りリンクキャリアである場合、少なくとも２つの第２の上りリンクキャリアは、少なくとも１つのＴＤＤキャリアおよび少なくとも１つのＳＵＬキャリアを含むことができ、ＴＤＤキャリアはまた、ＮＲ  ＵＬキャリアと呼ばれてもよく、または直接的にＵＬキャリアと呼ばれてもよく、または確かに別の名称を有してもよい。これは、本明細書に限定されない。例えば、３つの第２の上りリンクキャリアが存在する場合、第２の上りリンクキャリアは、２つのＴＤＤキャリアと１つのＳＵＬキャリアの組み合わせであってもよく、１つのＴＤＤキャリアと２つのＳＵＬキャリアの組み合わせであってもよい。この場合、対応して、タイミング調整パラメータは、端末デバイスによって、第１の上りリンクキャリア、少なくとも１つのＴＤＤキャリア、および少なくとも１つのＳＵＬキャリア上での送信タイミングを決定するために使用されるものである。第１の上りリンクキャリア、少なくとも１つのＴＤＤキャリア、および少なくとも１つのＳＵＬキャリアは、同じタイミング調整グループに属すると理解されたい。
【０１０６】
ステップ６０２：ネットワークデバイスが、指示情報を端末デバイスに送信する。
【０１０７】
ネットワークデバイスのカバー範囲内には、２つのサービングセルが存在し、一方はＬＴＥセルであり、他方はＮＲセルであり、指示情報は、ＬＴＥセルによって端末デバイスに送信されてもよく、またはＮＲセルによって端末デバイスに送信されてもよい。１つのタイミング調整パラメータの指示情報を送信することによって、ネットワークデバイスは、端末デバイスが複数の上りリンクキャリア上で同じ送信タイミングを維持できることを保証するために、複数の上りリンクキャリアを決定するために使用されるタイミング調整パラメータを端末デバイスに指示することができる。
【０１０８】
第１の上りリンクキャリアは、一次セル内のキャリアであってもよく、第２の上りリンクキャリアは、二次セル内のキャリアであってもよいことに留意されたい。言い換えると、第１の上りリンクキャリアはＬＴＥキャリアであってもよく、第２の上りリンクキャリアはＮＲキャリアであってもよく、ＬＴＥセルは一次セルであって、ＮＲセルは二次セルであってもよい。ネットワークデバイスは、第１の下りリンクキャリア上の指示情報を端末デバイスに送信することができ、端末デバイスは、ネットワークデバイスから第１の下りリンクキャリア上の指示情報を受信することができる。第１の下りリンクキャリアおよび第１の上りリンクキャリアは、同一セルに属してもよい。例えば、第１の下りリンクキャリアおよび第１の上りリンクキャリアは、同一のＬＴＥセルに属する。
【０１０９】
ステップ６０３：端末デバイスが、ネットワークデバイスからの指示情報を受信し、指示情報に基づいてタイミング調整パラメータを決定する。
【０１１０】
端末デバイスは、指示情報を受信した後、指示情報に基づいてタイミング調整パラメータを決定してもよい。この場合、端末デバイスは、タイミング調整パラメータに基づいて、第１の上りリンクキャリアおよび第２の上りリンクキャリア上の送信タイミングを決定することができる。具体的には、同じタイミング調整パラメータを使用して端末デバイスにＬＴＥ  ＵＬキャリアおよびＮＲ  ＵＬキャリア上でのタイミング調整を行うように指示する場合、端末デバイスは、タイミング調整パラメータに基づいてＬＴＥ  ＵＬキャリアおよびＮＲ  ＵＬキャリア上での送信タイミングを決定する。ネットワークデバイスが、同じタイミング調整パラメータを使用して端末デバイスに、ＬＴＥ  ＵＬキャリア、ＮＲ  ＵＬキャリア、ＮＲ  ＳＵＬキャリア上でのタイミング調整を行うように指示する場合、端末デバイスは、タイミング調整パラメータに基づいて、ＬＴＥ  ＵＬキャリア、ＮＲ  ＵＬキャリア、ＮＲ  ＳＵＬキャリア上での送信タイミングを決定する。ネットワークデバイスが、同じタイミング調整パラメータを使用して端末デバイスに、ＬＴＥ  ＵＬキャリアおよびＮＲ  ＳＵＬキャリア上でのタイミング調整を行うように指示する場合、端末デバイスは、タイミング調整パラメータに基づいて、ＬＴＥ  ＵＬキャリアおよびＮＲ  ＳＵＬキャリア上での送信タイミングを決定する。
【０１１１】
ネットワークデバイスによって端末デバイスに送信されるタイミング調整パラメータは、正の数又は０でもよいし、負の数でもよいことに留意されたい。具体的には、ネットワークデバイスによって端末デバイスに送信されるタイミング調整パラメータが負の数である場合、端末デバイスは、端末デバイスの上りリンク送信タイミングが下りリンク受信タイミングより遅いと決定する。例えば、タイミング調整パラメータＴＡの値が−２０である場合、端末デバイスは、上りリンク送信タイミングが下りリンク受信タイミングよりも２０×Ｔｓ遅いと決定し、Ｔｓはタイミング調整粒度である。別の例では、タイミング調整パラメータＴＡの値が１０である場合、端末デバイスは、上りリンク送信タイミングが下りリンク受信タイミングより１０×Ｔｓ早いと決定する。別の例では、タイミング調整パラメータＴＡの値が０である場合、端末デバイスは、上りリンク送信タイミングが下りリンク受信タイミングと比べて変化しないままであると決定する。この出願のこの実施態様は、単なる一例に過ぎず、これに限定されるものではない。
【０１１２】
この出願は、さらに、情報を送信および受信するプロセスを提供し、このプロセスは、図２ａに示されたシナリオに適用され得る。
【０１１３】
図７に示すように、このプロセスは以下のステップを含む。
【０１１４】
ステップ７０１：ネットワークデバイスが、指示情報を決定する。
【０１１５】
指示情報は、タイミング調整パラメータを含み、タイミング調整パラメータは、端末デバイスによって第１の上りリンクキャリアおよび第２の上りリンクキャリア上での送信タイミングを決定するために使用される。第１の上りリンクキャリアおよび第２の上りリンクキャリアは、同一セル内の上りリンクキャリアである。例えば、第１の上りリンクキャリアおよび第２の上りリンクキャリアは２つのＮＲ上りリンクキャリアであり、第１の上りリンクキャリアはＴＤＤキャリアであり、第２の上りリンクキャリアはＳＵＬキャリアである。タイミング調整パラメータは、ＴＤＤキャリアおよびＳＵＬキャリア上での送信タイミングを決定するために端末デバイスによって使用されるものである。
【０１１６】
ステップ７０２：ネットワークデバイスが、指示情報を端末デバイスに送信する。
【０１１７】
ステップ７０３：端末デバイスが、ネットワークデバイスから送信された指示情報を受信し、指示情報に基づいて、タイミング調整パラメータを決定する。
【０１１８】
端末デバイスは、ネットワークデバイスによって送信された指示情報を受信した後、指示情報に基づいてタイミング調整パラメータを決定してもよい。これに対応して、端末デバイスによってＮＲ  ＴＤＤキャリア上で上りリンク送信を行うための第１のサブキャリア間隔は、端末デバイスによってＮＲ  ＳＵＬキャリア上で上りリンク送信を行うための第２のサブキャリア間隔と同じか、または異なっていてもよい。
【０１１９】
第１のサブキャリア間隔が第２のサブキャリア間隔と異なる場合、タイミング調整パラメータに対応するタイミング調整粒度は、端末デバイスによる上りリンク送信を行うためのサブキャリア間隔に関連する。例えば、１５ＫＨｚサブキャリア間隔に対応するタイミング調整粒度Ｔ１は０．２５Ｔｓであり、３０ＫＨｚサブキャリア間隔に対応するタイミング調整粒度Ｔ２は０．５Ｔｓである。具体的には、異なるサブキャリア間隔に対応するタイミング調整粒度は異なる。したがって、ネットワークデバイスによって端末デバイスに送信されるタイミング調整パラメータがＴＡである場合、端末デバイスは、タイミング調整パラメータＴＡに対応するタイミング調整の粒度を決定する必要がある。
【０１２０】
可能な方法で、端末デバイスは、タイミング調整粒度が、第１のサブキャリア間隔および第２のサブキャリア間隔ののうちのより大きなものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度がＴｓであると決定することができる。
【０１２１】
別の可能な方法では、端末デバイスは、タイミング調整粒度が、第１のサブキャリア間隔および第２のサブキャリア間隔のうちのより小さいものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．２５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。
【０１２２】
さらに別の可能な方法では、端末デバイスは、タイミング調整粒度がＮＲ  ＵＬキャリアの第１サブキャリア間隔に対応するタイミング調整粒度であると決定する。例えば、ＮＲ  ＵＬキャリアの第１サブキャリア間隔に対応するタイミング調整粒度が０．４Ｔｓである場合、端末デバイスは、タイミング調整粒度が０．４Ｔｓであると決定する。
【０１２３】
さらに、別の可能な方法では、ネットワークデバイスは、タイミング調整パラメータを搬送するメッセージにタイミング調整粒度を示す指示情報を追加し、端末デバイスは、その指示情報に基づいて対応するタイミング調整粒度を決定する。例えば、ネットワークデバイスは、明示的な指示方法、すなわち、指示情報が、タイミング調整粒度値またはインデックスを直接示すことを使用してもよい。例えば、指示情報は、状態０が調整粒度値Ｔｓを示し、状態１が調整粒度値０．５Ｔｓを示す１ビット情報であってもよく、詳細は表１に示される。代替的には、ネットワークデバイスは、暗黙的な指示方法、すなわち、指示情報は、上りリンクキャリアのインデックス、値、またはサブキャリア間隔のインデックスを示し得ることを使用してもよい。この場合、端末デバイスは、まず、指示情報に基づいて対応する上りリンクキャリアまたはサブキャリア間隔を決定し、次いで、上りリンクキャリアまたはサブキャリア間隔に基づいて対応するタイミング調整粒度値を決定する。本出願のこの実施態様は、単なる一例に過ぎず、これに限定されるものではない。
【表１】
2021503786.tif 000023
【０１２４】
端末デバイスが、ネットワークデバイスによって送信された指示情報を受信する前に、端末デバイスは、ネットワークデバイスにランダムアクセス信号を送信する必要があり、ネットワークデバイスがタイミング調整パラメータを決定するようにする。端末デバイスは、第１の上りリンクキャリア上でランダムアクセス信号をネットワークデバイスに送信してもよく、または、第２の上りリンクキャリア上でランダムアクセス信号をネットワークデバイスに送信してもよく、ランダムアクセス信号はランダム・アクセス・プリアンブル（Preamble）であってもよい。
【０１２５】
任意に、第１のタイミングオフセットは、端末デバイスによって第１の上りリンクキャリア上でランダムアクセス信号をネットワークデバイスに送信するための第１のタイミングと、端末デバイスによってネットワークデバイスから第１の下りリンクキャリア上で下りリンク信号を受信するための受信タイミングとの間に存在し、第１のタイミングオフセットは、端末デバイスによって第２の上りリンクキャリア上でランダムアクセス信号をネットワークデバイスに送信する第２のタイミングと、端末デバイスによってネットワークデバイスから第１の下りリンクキャリア上で下りリンク信号を受信する第１のタイミングとの間にも存在する。例えば、第１のタイミングオフセットは、プロトコルにおいて予め決定されたパラメータであってもよい。例えば、第１のタイミングオフセットは、ＬＴＥまたはＮＲにおけるＮＴＡｏｆｆｓｅｔであってもよい。具体的には、端末デバイスが第１の上りリンクキャリア上でランダムアクセス信号を送信するときに使用されるＮＴＡｏｆｆｓｅｔの値と、端末デバイスが第２の上りリンクキャリア上でランダムアクセス信号を送信するときに使用されるＮＴＡｏｆｆｓｅｔの値は、等しいか、または同じＮＴＡｏｆｆｓｅｔが使用されると理解され得る。別の例では、第１のタイミングオフセットは、ネットワークデバイスによって端末デバイスに送信されてもよい。具体的には、第１のタイミングオフセットは、第１の値または第２の値であってもよい。この場合、ネットワークデバイスは、端末デバイスに、第１のタイミングオフセットが第１の値または第２の値であることを示すために使用される指示情報を送信する。第１の上りリンクキャリアはＴＤＤキャリアであってもよく、第２の上りリンクキャリアはＳＵＬキャリアであってもよく、第１の下りリンクキャリアは第１の上りリンクキャリアに関連するＴＤＤキャリアであってもよい。第１の下りリンクキャリアおよび第２の上りリンクキャリアは、それぞれＴＤＤキャリアの上りリンクキャリアおよび下りリンクキャリアであると理解されたい。端末デバイスによって第１の上りリンクキャリア上でランダムアクセス信号をネットワークデバイスに送信するための第１のタイミングは、第２の上りリンクキャリア上でランダムアクセス信号をネットワークデバイスに送信するための第２のタイミングと等しい。従って、端末デバイスは、第１の上りリンクキャリアおよび第２の上りリンクキャリアのための１つのタイミングまたは１つのタイミングオフセットのみを決定する必要がある。これは、第１の上りリンクキャリアおよび第２の上りリンクキャリアのための２つの異なるタイミングまたは２つの異なるタイミングオフセットを決定するよりも単純であり、端末デバイスの複雑さを低減することができる。
【０１２６】
前述の実施形態では、第１の上りリンクキャリアおよび第２の上りリンクキャリアは、同じ第１のタイミング調整グループに属する。第３の上りリンクキャリアおよび第４の上りリンクキャリアは、端末デバイスのためにさらに構成されてもよく、第３の上りリンクキャリアおよび第４の上りリンクキャリアは、第１のタイミング調整グループとは異なる第２のタイミング調整グループに属している。この場合、ネットワークデバイスは、２つの指示情報を端末デバイスに送信することができ、一方の指示情報は、第１のタイミング調整グループにおける端末デバイスの第１のタイミングオフセットを示し、他方の指示情報は、第２のタイミング調整グループにおける端末デバイスの第２のタイミングオフセットを示す。具体的には、端末デバイスは、ネットワークデバイスから第１の指示情報を受信し、第１の指示情報は、第１のタイミング調整グループに対応する端末デバイスの第１のタイミングオフセットを示す。任意に、端末デバイスは、さらに、ネットワークデバイスから第２の指示情報を受信し、第２の指示情報は、第２のタイミング調整グループに対応する端末デバイスの第２のタイミングオフセットを示し、第１のタイミングオフセットと第２のタイミングオフセットは、同じであってもよく、または異なってもよい。具体的には、異なるタイミング調整グループに対して、ネットワークデバイスは、各タイミング調整グループに対して別々にタイミングオフセットを設定することができ、異なるタイミング調整グループに対応するタイミングオフセットは、同一であってもよく、または異なってもよい。例えば、異なるタイミング調整グループに対して例としてタイミングオフセットＮＴＡｏｆｆｓｅｔを使用することにより、ネットワークデバイスは、端末デバイスの各タイミング調整グループに対して別々にＮＴＡｏｆｆｓｅｔを設定することができ、異なるタイミング調整グループに対応するＮＴＡｏｆｆｓｅｔは、同一であってもよく、または異なってもよい。任意に、同じタイミング調整グループ内の上りリンクキャリアは、同じ周波数帯域に属していてもよく、または異なる周波数帯域に属していてもよい。例えば、第１のタイミング調整グループの第１の上りリンクキャリアは第１の周波数帯域に属し、第１のタイミング調整グループの第２の上りリンクキャリアは第２の周波数帯域に属する。任意に、第１の周波数帯域は６ＧＨｚより低い周波数帯域であり、第２の周波数帯域は６ＧＨｚより高い周波数帯域である。本方法は、前述の実施形態のものに限定されるものではなく、他のシナリオにも適用することができることに留意されたい。タイミング調整グループ内の上りリンクキャリアの数は、２つに限定されず、１つまたは３つ以上であってもよい。追加的に、端末デバイスの複数の上りリンクキャリアが属することができるタイミング調整の数は、１つまたは２つのいずれかに限定されるものではなく、確かに３つ以上であってもよい。
【０１２７】
任意に、第１のタイミングオフセットは、端末デバイスによって第１の上りリンクキャリア上でランダムアクセス信号をネットワークデバイスに送信するための第１のタイミングと、端末デバイスによってネットワークデバイスから第１の下りリンクキャリア上で下りリンク信号を受信するための受信タイミングとの間に存在し、第２のタイミングオフセットは、端末デバイスによって第２の上りリンクキャリア上でランダムアクセス信号をネットワークデバイスに送信するための第２のタイミングと、端末デバイスによってネットワークデバイスから第１の下りリンクキャリア上で下りリンク信号を受信するための受信タイミングとの間にも存在し、第１のタイミングオフセットと第２のタイミングオフセットとは等しくない。具体的には、第１／第２タイミングオフセットは、プロトコルにおいて予め決定されたパラメータであってもよい。例えば、第１のタイミングオフセットは、ＬＴＥまたはＮＲにおけるＮＴＡｏｆｆｓｅｔであってもよい。具体的には、端末デバイスが第１の上りリンクキャリア上でランダムアクセス信号を送信するときに使用されるＮＴＡｏｆｆｓｅｔ１の値は、端末デバイスが第２の上りリンクキャリア上でランダムアクセス信号を送信するときに使用されるＮＴＡｏｆｆｓｅｔ２の値と等しくない。第１の上りリンクキャリアはＴＤＤキャリアであってもよく、第２の上りリンクキャリアはＳＵＬキャリアであってもよく、第１の下りリンクキャリアは第１の上りリンクキャリアに関連するＴＤＤキャリアであってもよい。好ましくは、ＮＴＡｏｆｆｓｅｔ２は０に等しく、ＮＴＡｏｆｆｓｅｔ１は０より大きい。これは、ＳＵＬキャリアがＬＴＥおよびＮＲによって共有される場合、ネットワークデバイスによって端末デバイスからのランダムアクセス信号を受信する性能を向上させるのに役立ち、ＬＴＥ端末デバイスおよびＮＲ端末デバイスによって送信されるランダムアクセス信号間の干渉を回避することができる。
【０１２８】
任意に、第１のタイミングオフセットは、端末デバイスによって第１の上りリンクキャリア上でランダムアクセス信号をネットワークデバイスに送信するための第１のタイミングと、端末デバイスによってネットワークデバイスから第１の下りリンクキャリア上で下りリンク信号を受信するための受信タイミングとの間に存在し、第２のタイミングオフセットは、端末デバイスによって第２の上りリンクキャリア上でランダムアクセス信号をネットワークデバイスに送信するための第２のタイミングと、端末デバイスによって第１の下りリンクキャリア上でネットワークデバイスから下りリンク信号を受信するための第２のタイミングとの間にも存在し、第１のタイミングオフセットと第２のタイミングオフセットとは等しくてもよく、または等しくなくてもよい。具体的には、第１／第２タイミングオフセットは、プロトコルにおいて予め決定されたパラメータであってもよい。例えば、第１のタイミングオフセットは、ＬＴＥまたはＮＲにおけるＮＴＡｏｆｆｓｅｔであってもよい。例えば、少なくとも２つの値、例えば、第１の値と第２の値が、プロトコルで事前に定義されている。この場合、端末デバイスは、第１のタイミングオフセットが第１の値に等しいと決定する。端末デバイスは、ネットワークデバイスから、第２のタイミングオフセットが第１の値または第２の値であることを示すために使用される指示情報を受信し、指示情報に基づいて、第２のタイミングオフセットが第１の値または第２の値と等しいと決定する。別の例では、少なくとも２つの値、例えば、第１の値および第２の値が、プロトコルで事前に定義されている。この場合、端末デバイスは、第１のタイミングオフセットが第１の値に等しいと決定し、端末デバイスは、事前に定義された規則に従って、第２のオフセットが第１の値または第２の値に等しいと決定する。第１の上りリンクキャリアはＴＤＤキャリアであってもよく、第２の上りリンクキャリアはＳＵＬキャリアであってもよく、第１の下りリンクキャリアは第１の上りリンクキャリアに関連するＴＤＤキャリアであってもよい。好ましくは、第２の値は０に等しくてもよく、第１の値は０より大きい。端末デバイスによってランダムアクセス信号を送信するためのタイミングオフセットは、指示情報を用いて通知されるため、端末デバイスの送信タイミングが柔軟に調整され得る。
【０１２９】
端末デバイスによってランダムアクセス信号を送信するためのタイミングおよびタイミングオフセットを決定するための上述の方法は、この出願のこの実施形態に限定されるものではなく、他の場合にも適用可能であり、確かに独立した方法としても使用され得ると留意されたい。これは、本明細書に限定されない。
【０１３０】
任意に、図２ｂに示されたシナリオを参照すると、この出願では、端末デバイスによってＮＲ  ＵＬキャリア上で上りリンク送信を行うための第１のサブキャリア間隔は、端末デバイスによってＬＴＥ  ＵＬキャリア上で上りリンク送信を行うための第２のサブキャリア間隔と同じか、または異なってもよい。第１のサブキャリア間隔が第２のサブキャリア間隔と異なり、ネットワークデバイスによって端末デバイスに送信されるタイミング調整パラメータがＴＡである場合、端末デバイスは、タイミング調整パラメータＴＡに対応するタイミング調整粒度を決定する必要がある。端末デバイスは、タイミング調整粒度が、第１のサブキャリア間隔および第２のサブキャリア間隔のうちのより大きなものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度がＴｓであると決定することができる。
【０１３１】
別の可能な方法では、端末デバイスは、タイミング調整粒度が、第１のサブキャリア間隔および第２のサブキャリア間隔のうちのより小さいものに対応するタイミング調整粒度であると決定する。例えば、１５ＫＨｚサブキャリア間隔に対応するタイミング調整粒度Ｔ１が０．２５Ｔｓであり、３０ＫＨｚサブキャリア間隔に対応するタイミング調整粒度Ｔ２が０．５Ｔｓである場合、端末デバイスは、タイミング調整粒度が０．２５Ｔｓであると決定することができる。１５ＫＨｚサブキャリア間隔に対応するタイミング調整粒度Ｔ１がＴｓであり、３０ＫＨｚサブキャリア間隔に対応するタイミング調整粒度Ｔ２が０．５Ｔｓである場合、端末デバイスは、タイミング調整粒度が０．５Ｔｓであると決定することができる。
【０１３２】
さらに別の可能な方法では、端末デバイスは、タイミング調整粒度がＮＲ  ＵＬキャリアの第１サブキャリア間隔に対応するタイミング調整粒度であると決定する。例えば、ＮＲ  ＵＬキャリアの第１サブキャリア間隔に対応するタイミング調整粒度が０．４Ｔｓである場合、端末デバイスは、タイミング調整粒度が０．４Ｔｓであることを決定する。
【０１３３】
さらに別の可能な方法では、ネットワークデバイスは、タイミング調整パラメータを搬送するメッセージにタイミング調整粒度を示す指示情報を追加し、端末デバイスは、その指示情報に基づいて対応するタイミング調整粒度を決定する。例えば、ネットワークデバイスは、明示的な指示方法、すなわち、指示情報が、タイミング調整粒度値またはインデックスを直接示すことを使用してもよい。例えば、指示情報は、状態０が調整粒度値Ｔｓを示し、状態１が調整粒度値０．５Ｔｓを示す１ビット情報であってもよく、詳細は表１に示される。代替的には、ネットワークデバイスは、暗黙的な指示方法、すなわち、指示情報が、上りリンクのインデックス、値、またはサブキャリア間隔のインデックスを示し得ることを使用してもよい。したがって、端末デバイスは、まず、指示情報に基づいて対応する上りリンクキャリアまたはサブキャリアの間隔を決定し、次いで、上りリンクキャリアまたはサブキャリア間隔に基づいて対応するタイミング調整粒度値を決定する。
【０１３４】
別の実装では、端末デバイスがＣＡモードでＬＴＥおよびＮＲにアクセスする場合、ＬＴＥセルは一次セルであり、ＮＲセルは二次セルである。この場合、端末デバイスは、一次セル内のタイミング調整パラメータを受信し、端末デバイスは、タイミング調整粒度が一次セルに対応するタイミング調整粒度であると決定してもよい。この例の実装は、ＣＡモードにおける２つの異なる無線アクセス技術のネットワークデバイスへの端末デバイスのアクセスに限定されるものではなく、ＣＡモードにおける同一の無線アクセス技術の複数のネットワークデバイスへの端末デバイスのアクセスにも適用されると留意されたい。確かに、端末デバイスは、ＤＣモードでアクセスを行うこともできる。これは、本明細書に限定されない。
【０１３５】
この出願において、端末デバイスは、ネットワークデバイスによってＮＲ  ＤＬキャリア上で送信された下りリンク基準信号に基づいて測定を行い、測定結果を取得し、次いで、測定結果（パスロスを含む）に基づいて上りリンク送信中に電力制御を行うことができる。具体的には、端末デバイスは、パスロスに基づいて、ＮＲ  ＵＬキャリア上で信号を送信するための端末デバイスの電力を調整することができる。しかし、端末デバイスがＮＲ  ＳＵＬキャリア上で上りリンク送信を行うときに行われる電力制御には、パスロスは適用されない。ＮＲ  ＳＵＬキャリア上での上りリンク送信中に端末デバイスが電力制御を行うことを可能にするために、この出願は上りリンク送信中の電力制御のための方法を提案する。図８に示すように、このプロセスは、具体的には以下のステップを含む。
【０１３６】
ステップ８０１：ネットワークデバイスが、下りリンク基準信号を端末デバイスに送信する。
【０１３７】
この出願では、第１の上りリンクキャリアは、一次セル内のキャリアであってもよく、第２の上りリンクキャリアは、二次セル内のキャリアであってもよい。言い換えると、第１の上りリンクキャリアはＬＴＥキャリアであってもよく、第２の上りリンクキャリアはＮＲキャリアであってもよく、ＬＴＥセルは一次セルであって、ＮＲセルは二次セルである。
【０１３８】
この場合、ネットワークデバイスは、第１の下りリンクキャリア上で下りリンク基準信号を端末デバイスに送信することができ、第１の下りリンクキャリアおよび第１の上りリンクキャリアは、同一セルに属することができる。例えば、第１の下りリンクキャリアと第１の上りリンクキャリアは同じＬＴＥセルに属し、第１の下りリンクキャリアはＬＴＥ下りリンクキャリアであり、第１の上りリンクキャリアはＬＴＥ上りリンクキャリアである。任意に、第１の下りリンクキャリアおよび第１の上りリンクキャリアは、代替的には別のセルに属してもよい。例えば、第１の下りリンクキャリアはＬＴＥ下りリンクキャリアであり、第１の上りリンクキャリアはＮＲ上りリンクキャリアであってもよい。
【０１３９】
ステップ８０２：端末デバイスが、ネットワークデバイスから下りリンク基準信号を受信し、下りリンク基準信号に基づいて、第２の上りリンクキャリア上で上りリンク信号を送信するための電力を決定する。
【０１４０】
端末デバイスは、第１の下りリンクキャリアから下りリンク基準信号を受信することができ、第１の下りリンクキャリアはＬＴＥ下りリンクキャリアである。端末デバイスは、ＬＴＥ下りリンクキャリアで受信した下りリンク基準信号に基づいて、ＮＲ  ＳＵＬキャリア上で上りリンク信号をネットワークデバイスに送信するための電力を決定することができる。
【０１４１】
任意に、この出願は、電力制御のための別の方法をさらに提供する。図９に示すように、電力制御のプロセスは以下のステップを含む。
【０１４２】
ステップ９０１：ネットワークデバイスが、下りリンク基準信号を決定する。
【０１４３】
この出願では、下りリンク基準信号は、端末デバイスによって、第１の上りリンクキャリア上で上りリンク信号をネットワークデバイスに送信するための電力を決定するために使用されてもよい。
【０１４４】
ステップ９０２：ネットワークデバイスが、第１の下りリンクキャリア上で下りリンク基準信号を端末デバイスに送信する。
【０１４５】
第１の下りリンクキャリアおよび第１の上りリンクキャリアは、異なるセルに属してもよい。第１の下りリンクキャリアは、一次セル内の下りリンクキャリアであり、第１の上りリンクキャリアは、二次セル内の上りリンクキャリアである。代替的には、第１の下りリンクキャリアは、第１の無線アクセス技術の下りリンクキャリアであり、第１の上りリンクキャリアは、第２の無線アクセス技術の上りリンクキャリアである。第１の無線アクセス技術はＬＴＥであり、第２の無線アクセス技術はＮＲである。第１の上りリンクキャリア、第２の上りリンクキャリア、および第２の下りリンクキャリアは、同一セルに属する。
【０１４６】
任意に、ネットワークデバイスは、さらに、指示情報を端末デバイスに送信することができ、指示情報は、端末デバイスが、下りリンク基準信号に基づいて、第１の上りリンクキャリア上で上りリンク信号をネットワークデバイスに送信するための電力を決定することを示してもよく、または、指示情報は、端末デバイスが、下りリンク基準信号を使用することによって、第１の上りリンクキャリア上で上りリンク信号をネットワークデバイスに送信するための電力を決定しないことを示す。指示情報は、ネットワークデバイスから端末デバイスへ明示的に送信されてもよいことに留意されたい。例えば、指示情報は２つの状態を含んでもよく、第１の状態は、端末デバイスが、下りリンク基準信号に基づいて、第１の上りリンクキャリア上で上りリンク信号をネットワークデバイスに送信するための電力を決定することを示し、第２の状態は、端末デバイスが、下りリンク基準信号を使用することによって、第１の上りリンクキャリア上で上りリンク信号をネットワークデバイスに送信するための電力を決定しないことを示す。確かに、指示情報は、代替的には他の情報において暗黙的に搬送されてもよい。例えば、ネットワークデバイスは、第１の上りリンクキャリアの周波数を示す情報を端末デバイスに送信し、指示情報は、第１の上りリンクキャリアの周波数を示す情報内で搬送され得る。具体的には、ネットワークデバイスが、端末デバイスに対して、第１の上りリンクキャリアの周波数が第１の周波数であることを示す場合には、端末デバイスは、下りリンク基準信号に基づいて、第１の上りリンクキャリア上で上りリンク信号をネットワークデバイスに送信するための電力を決定することを暗黙的に指示されるか、または、ネットワークデバイスが、端末デバイスに対して、第１の上りリンクキャリアの周波数が第２の周波数であることを示す場合には、端末デバイスは、下りリンク基準信号に基づいて、第１の上りリンクキャリア上の上りリンク信号をネットワークデバイスに送信するための電力を決定しないことを暗黙的に指示される。第１の周波数および／または第２の周波数は、複数の周波数値を含み得る。
【０１４７】
任意に、ネットワークデバイスは、さらに、第２の指示情報を端末デバイスに送信してもよく、第２の指示情報は、端末デバイスによって下りリンク基準信号を決定するために使用される。第２の指示情報は、下りリンク基準信号に対応するリソース情報、シーケンス情報、および電力情報のうちの少なくとも１つを含む。
【０１４８】
ステップ９０３：端末デバイスが、ネットワークデバイスから第１の下りリンクキャリア上で下りリンク基準信号を受信し、下りリンク基準信号に基づいて、第１の上りリンクキャリア上で上りリンク信号をネットワークデバイスに送信するための電力を決定する。
【０１４９】
端末デバイスは、第１の下りリンクキャリア上で下りリンク基準信号を受信し、第１の下りリンクキャリアは、ＬＴＥ下りリンクキャリアであってもよい。端末デバイスは、ＬＴＥ下りリンクキャリアで受信した下りリンク基準信号に基づいて、第１上りリンクキャリア上で上りリンク信号をネットワークデバイスに送信するための電力を決定する。第１の上りリンクキャリア、第２の上りリンクキャリア、および第２の下りリンクキャリアは、同一セルに属する。端末デバイスがＬＴＥおよびＮＲに同時にアクセスすることができる場合には、端末デバイスは、下りリンク基準信号がＬＴＥ下りリンク基準信号であると決定してもよいと理解されたい。端末デバイスがＮＲのみにアクセスできる場合、端末デバイスは、ＬＴＥ下りリンクキャリア上で下りリンク基準信号を代替的に受信することができる。この場合、端末デバイスは、下りリンク基準信号が受信されたことのみを決定することができ、下りリンク基準信号がＬＴＥ下りリンク基準信号であると決定する必要はない。具体的には、ＬＴＥは端末デバイスに対して透過的である。言い換えると、端末デバイスはＬＴＥの存在を知らない。
【０１５０】
任意に、この出願は、電力制御のための別の方法をさらに提供する。図１０に示すように、電力制御のプロセスは以下のステップを含む。
【０１５１】
ステップ１００１：端末デバイスが、ターゲット上りリンクキャリアに対応する電力情報を決定する。
【０１５２】
例えば、ターゲット上りリンクキャリアは、第１の上りリンクキャリアまたは第２の上りリンクキャリアのうちの一方であってもよい。端末デバイスは、少なくともターゲット上りリンクキャリアの電力情報を決定すると理解されたい。端末デバイスは、ターゲット上りリンクキャリアよりも、第１の上りリンクキャリアおよび第２の上りリンクキャリアのうちの他方の電力情報を決定してもよく、他方の上りリンクキャリアの電力情報を決定しなくてもよい。これは、本明細書に限定されない。
【０１５３】
別の例では、ターゲット上りリンクキャリアは、第１の上りリンクキャリアと第２の上りリンクキャリアの両方を含むことができる。端末デバイスは、第１の上りリンクキャリアの電力情報と第２の上りリンクキャリアの電力情報の両方を決定すると理解されたい。
【０１５４】
例えば、電力情報は、第１電力と第２電力との間の差を含み得る。第１の電力は、端末デバイスの最大送信電力であってもよく、最大送信電力は、端末デバイスの公称／定格最大送信電力であってもよく、公称／定格最大送信電力は、公称（nominal）最大送信電力とも呼ばれることがある。代替的には、第１の電力は、端末デバイスの実際の最大送信電力であってもよい。最大送信電力のタイプは、本明細書では限定されない。第２の電力は、端末デバイスによって推定された（estimated）上りリンク信号送信電力であってもよく、推定された上りリンク信号送信電力は、事前に定義された規則に従って端末デバイスによって決定されてもよく、または別の方法によって端末デバイスによって決定されてもよい。端末デバイスによって電力を決定するための方法は、本明細書では限定されない。具体的には、推定された上りリンク信号送信電力は、上りリンクデータ／共有チャネルの推定送信電力であってもよく、上りリンク制御チャネルの推定送信電力であってもよく、上りリンク測定信号の推定送信電力であってもよく、上りリンクデータ／共有チャネルおよび上りリンク制御チャネルの推定送信電力であってもよく、または、確かに、別の上りリンク信号の推定送信電力であってもよい。
【０１５５】
別の例では、電力情報は、端末デバイスの最大送信電力をさらに含むことができる。最大送信電力は、端末デバイスの公称／定格最大送信電力であってもよく、公称／定格最大送信電力は、公称（nominal）最大送信電力とも呼ばれることがある。第１の電力は、代替的には端末デバイスの実際の最大送信電力であってもよい。最大送信電力のタイプは、本明細書では限定されない。
【０１５６】
ステップ１００２：端末デバイスは、電力情報および指示情報をネットワークデバイスに送信する。
【０１５７】
指示情報は、電力情報に対応する上りリンクキャリアを示す。
【０１５８】
例えば、ターゲット上りリンクキャリアが第１の上りリンクキャリアまたは第２の上りリンクキャリアのうちの１つである場合、ターゲット上りリンクキャリアは上りリンクキャリアであり、電力情報はターゲット上りリンクキャリアのみに対応し、指示情報はターゲット上りリンクキャリアを示す。
【０１５９】
任意に、指示情報は明示的な情報であってもよい。例えば、指示情報は、１ビットを含み、ビットが状態０である場合には、ターゲット上りリンクキャリアが第１の上りリンクキャリアであることを示すか、またはビットが状態１である場合には、ターゲット上りリンクキャリアが第２の上りリンクキャリアであることを示す。なお、指示情報と電力情報とは、同一のメッセージで搬送され、端末デバイスによってネットワークデバイスに送信されると理解されたい。
【０１６０】
任意に、指示情報は、代替的には暗黙的な情報であってもよい。例えば、ターゲット上りリンクキャリアが第１の上りリンクキャリアである場合、端末デバイスは、第１の上りリンクキャリア上で、電力情報を搬送するメッセージをネットワークデバイスに送信するか、ターゲット上りリンクキャリアが第２の上りリンクキャリアである場合、端末デバイスは、第２の上りリンクキャリア上で、電力情報を搬送するメッセージをネットワークデバイスに送信する。指示情報は、電力情報を搬送するメッセージを搬送し、端末デバイスによってネットワークデバイスに送信される上りリンクキャリア内で暗黙的に搬送されると理解されたい。
【０１６１】
別の例では、ターゲット上りリンクキャリアが第１の上りリンクキャリアおよび第２の上りリンクキャリアを含む場合、すなわち、ターゲット上りリンクキャリアが２つの上りリンクキャリアを含む場合、電力情報は、第１の上りリンクキャリアに対応する第１の電力情報および第２の上りリンクキャリアに対応する第２の電力情報を含む。第１の電力情報および第２の電力情報は、同一のメッセージ内で搬送され、端末デバイスによってネットワークデバイスに送信されてもよく、または異なるメッセージ内で搬送され、端末デバイスによってネットワークデバイスに送信されてもよい。
【０１６２】
任意に、指示情報は明示的な情報であってもよい。例えば、指示情報は２ビットを含み、２ビットのうちの一方のビットは第１の電力情報を示し、他方のビットは第２の電力情報を示す。具体的には、一方のビットが０の場合、指示情報は、第１の電力情報を含まないか、一方のビットが１の場合、指示情報は、第１の電力情報を含む。なお、指示情報のビット数および状態とビットの意味との対応は、上記の例に限定されるものではない。
【０１６３】
任意で、指示情報は暗黙的な情報であってもよい。例えば、指示情報は、第１の電力情報および第２の電力情報が電力情報を搬送するメッセージ内で搬送される位置またはシーケンス内で搬送される。例えば、第１の電力情報はメッセージ内の第１のフィールドで搬送され、第２の電力情報はメッセージ内の第２のフィールドで搬送され、第１のフィールドは第１の電力情報に対応する第１の上りリンクキャリアに対応し、第２のフィールドは第２の電力情報に対応する第２の上りリンクキャリアに対応する。別の例では、第１の電力情報はメッセージ内の第１のフィールドで搬送され、第２の電力情報はメッセージ内の第２のフィールドで搬送され、メッセージ内の第１のフィールドの番号はメッセージ内の第２のフィールドの番号より小さい。より小さい番号を有する第１のフィールドは、第１の電力情報に対応する第１の上りリンクキャリアに対応し、より大きな番号を有する第２のフィールドは、第２の電力情報に対応する第２の上りリンクキャリアに対応すると理解されたい。上記の説明は全て特定の実装の例であり、本方法を限定するものではないことに留意されたい。
【０１６４】
ステップ１００３：ネットワークデバイスは、端末デバイスから電力情報および指示情報を受信し、指示情報に基づいて、電力情報に対応するターゲット上りリンクキャリアを決定する。
【０１６５】
ネットワークデバイスは、端末デバイスから電力情報および指示情報を受信することができる。ネットワークデバイスは、指示情報に基づいて、電力情報に対応するターゲット上りリンクキャリアを決定する。
【０１６６】
ターゲット上りリンクキャリアが第１の上りリンクキャリアまたは第２の上りリンクキャリアのうちの１つである場合、ネットワークデバイスによって受信される電力情報は、第１の上りリンクキャリアまたは第２の上りリンクキャリアの電力であってもよい。ネットワークデバイスによって受信される指示情報は、明示的な情報であってもよい。例えば、指示情報は、１ビットを含み、ビットが状態０である場合、指示情報は、ターゲット上りリンクキャリアが第１の上りリンクキャリアであることを示し、ネットワークデバイスは、指示情報に基づいて、第１の上りリンクキャリアの第１の電力情報に対応する第１の上りリンクキャリアを決定することができる。ビットが状態１である場合、指示情報は、ターゲット上りリンクキャリアが第２の上りリンクキャリアであることを示し、ネットワークデバイスは、指示情報に基づいて、第２の上りリンクキャリアの第２の電力情報に対応する第２の上りリンクキャリアを決定することができる。
【０１６７】
別の例では、指示情報が暗黙的な情報であり、ターゲット上りリンクキャリアが第１の上りリンクキャリアである場合、ネットワークデバイスは、第１の上りリンクキャリア上で、電力情報を搬送し端末デバイスによって送信されるメッセージを受信し、ネットワークデバイスは、電力情報が第１の上りリンクキャリアの電力情報であると決定する、すなわち、第１の上りリンクキャリアがターゲット上りリンクキャリアであると決定することができるようにする。これに対応して、ネットワークデバイスが、第２の上りリンクキャリア上で、電力情報を搬送し端末デバイスによって送信されるメッセージを受信する場合、ネットワークデバイスは、受信した電力情報が第２の上りリンクキャリアの電力情報であると決定する、すなわち、第２の上りリンクキャリアがターゲット上りリンクキャリアであると決定することができる。
【０１６８】
代替的には、ターゲット上りリンクキャリアは、第１の上りリンクキャリアおよび第２の上りリンクキャリアを含んでもよく、すなわち、ターゲット上りリンクキャリアは、２つの上りリンクキャリアを含み、電力情報は、第１の上りリンクキャリアに対応する第１の電力情報および第２の上りリンクキャリアに対応する第２の電力情報を含む。
【０１６９】
任意に、指示情報が明示的な情報である場合、例えば、指示情報が２ビットである場合、２ビットのうちの一方は第１の電力情報を示し、他方のビットは第２の電力情報を示す。一方のビットが０である場合、指示情報は、第１の電力情報を含まず、または、一方のビットが１である場合、指示情報は、第１の電力情報を含む。例えば、ネットワークデバイスによって受信された指示情報が０１である場合、受信された電力情報は第２の電力情報であり、第１の電力情報を含まないことを示す。従って、ネットワークデバイスは、第２の電力情報に対応する第２の上りリンクキャリアを決定することができる。具体的には、第２の上りリンクキャリアは、ターゲット上りリンクキャリアである。別の例では、ネットワークデバイスによって受信された指示情報が１０である場合、受信された電力情報は第１の電力情報であり、第２の電力情報を含まないことを示す。従って、ネットワークデバイスは、第１の電力情報に対応する第１の上りリンクキャリアを決定することができる。具体的には、第１の上りリンクキャリアは、ターゲット上りリンクキャリアである。別の例では、ネットワークデバイスによって受信された指示情報が１１である場合、受信された電力情報が第１の電力情報および第２の電力情報であることを示す。従って、ネットワークデバイスは、第１の電力情報に対応する第１の上りリンクキャリアと、第２の電力情報に対応する第２の上りリンクキャリアとを決定することができる。具体的には、第１の上りリンクキャリアおよび第２の上りリンクキャリアは、ターゲット上りリンクキャリアである。
【０１７０】
任意に、指示情報が暗黙的な情報である場合、例えば、第１の電力情報および第２の電力情報が、電力情報を搬送するメッセージ内で搬送される位置またはシーケンスで搬送される場合、例えば、第１の電力情報が、メッセージ内の第１のフィールドで搬送され、第２の電力情報が、メッセージ内の第２のフィールドで搬送される場合、第１のフィールドは、第１の電力情報に対応する第１の上りリンクキャリアに対応し、第２のフィールドは、第２の電力情報に対応する第２の上りリンクキャリアに対応する。例えば、ネットワークデバイスが受信されたメッセージ内の第１のフィールドで電力情報を受信した場合、ネットワークデバイスは、第１の電力情報に対応する第１の上りリンクキャリアを決定するために、電力情報が第１の上りリンクキャリアの第１の電力情報であると決定することができる。具体的には、第１の上りリンクキャリアは、ターゲット上りリンクキャリアである。別の例では、ネットワークデバイスが受信されたメッセージ内の第２のフィールドで電力情報を受信した場合、ネットワークデバイスは、第２の電力情報に対応する第２の上りリンクキャリアを決定するために、電力情報が第２の上りリンクキャリアの第２の電力情報であると決定することができる。具体的には、第２の上りリンクキャリアは、ターゲット上りリンクキャリアである。
【０１７１】
別の例では、第１の電力情報はメッセージ内の第１のフィールドで搬送され、第２の電力情報はメッセージ内の第２のフィールドで搬送され、メッセージ内の第１のフィールドの番号はメッセージ内の第２のフィールドの番号より小さい。この場合、ネットワークデバイスがメッセージ内のより小さい番号を有する第１のフィールドで電力情報を受信する場合、電力情報が第１の上りリンクキャリアの第１の電力情報であることを示し、この場合、ネットワークデバイスは、第１の電力情報に対応する第１の上りリンクキャリアを決定することができる。具体的には、第１の上りリンクキャリアは、ターゲット上りリンクキャリアである。上記の説明は全て特定の実装の例であり、本方法を限定するものではないことに留意されたい。
【０１７２】
任意に、電力制御のプロセスが図１１に示され、このプロセスは具体的に以下のステップを含む。
【０１７３】
ステップ１１０１：端末デバイスは、電力ヘッドルームをネットワークデバイスに報告する。
【０１７４】
電力ヘッドルーム（power  headroom）は、端末デバイスの最大送信電力と、上りリンク信号を送信するために端末デバイスによって決定される電力との差であり、最大送信電力は、公称（nominal）最大送信電力であってもよく、または実際の最大送信電力であってもよい。上りリンク信号を送信するための端末デバイスによって決定される電力は、端末デバイスによって決定される電力の正確な値であってもよく、または端末デバイスによって推定される値であってもよい。
【０１７５】
電力ヘッドルームは、端末デバイスの最大送信電力と、端末デバイスによって推定されたデータ信号またはデータチャネルの送信電力との差であってもよく、端末デバイスの最大送信電力と、端末デバイスによって推定された測定信号の送信電力との差であってもよく、端末デバイスの最大送信電力と、端末デバイスによって推定された制御信号または制御チャネルの送信電力との差であってもよく、端末デバイスの最大送信電力と、端末デバイスによって推定されたデータ信号またはデータチャネルおよび制御信号または制御チャネルの送信電力との差であってもよい。
【０１７６】
端末デバイスが、第１の上りリンクキャリア上で上りリンク信号を送信することがあるか、第２の上りリンクキャリア上で上りリンク信号を送信することがあり、および、第１の上りリンクキャリア上での端末デバイスの最大送信電力が、第２の上りリンクキャリア上での端末デバイスの最大送信電力と異なることがあることを考慮すると、第１の上りリンクキャリア上で端末デバイスの上りリンク信号を送信するために決定された電力は、第２の上りリンクキャリア上で端末デバイスの上りリンク信号を送信するために決定された電力と異なることがある。従って、端末デバイスに対して、第１の上りリンクキャリアに対応する電力ヘッドルームの値は、第２の上りリンクキャリアに対応する電力ヘッドルームの値とは異なることがある。従って、端末デバイスは、第１の上りリンクキャリアの電力ヘッドルームと第２の上りリンクキャリアの電力ヘッドルームとを別々に報告する必要がある。
【０１７７】
ターゲット上りリンクキャリアは、第１の上りリンクキャリアまたは第２の上りリンクキャリアのうちの一方であってもよい。端末デバイスは、少なくともターゲット上りリンクキャリアの電力ヘッドルームを決定する。代替的には、ターゲット上りリンクキャリアよりも、第１の上りリンクキャリアおよび第２の上りリンクキャリアのうちの他方の電力ヘッドルームを決定してもよく、他方の上りリンクキャリアの電力ヘッドルームを決定しなくてもよい。これは、本明細書に限定されない。
【０１７８】
代替的には、ターゲット上りリンクキャリアは、第１の上りリンクキャリアおよび第２の上りリンクキャリアの両方を含み得る。具体的には、端末デバイスは、第１の上りリンクキャリアの電力ヘッドルームだけでなく、第２の上りリンクキャリアの電力ヘッドルームも決定する。
【０１７９】
ステップ１１０２：ネットワークデバイスは、端末デバイスから電力ヘッドルームを受信し、電力ヘッドルームに対応するターゲット上りリンクキャリアを決定する。
【０１８０】
端末デバイスが電力ヘッドルームをネットワークデバイスに報告する場合、端末デバイスは、電力ヘッドルームを搬送するメッセージに、電力ヘッドルームに対応する上りリンクキャリアを示すために使用される指示情報を追加する必要があり、指示情報は、第１の上りリンクキャリアまたは第２の上りリンクキャリアのうちの１つを示す。この場合、ネットワークデバイスは、指示情報に基づいて、受信した電力ヘッドルームに対応する上りリンクキャリアが第１の上りリンクキャリアであるのか、第２の上りリンクキャリアであるのかを決定することができる。そうでなければ、ネットワークデバイスは、電力ヘッドルームに対応する上りリンクキャリアを決定できない。
【０１８１】
指示情報は明示的な情報であってもよい。例えば、指示情報は、１ビットを含み、ビットが状態０である場合、指示情報は、ターゲット上りリンクキャリアが第１の上りリンクキャリアであることを示し、ビットが状態０である場合、指示情報は、ターゲット上りリンクキャリアが第２の上りリンクキャリアであることを示す。指示情報および電力ヘッドルームは、同じメッセージで搬送され、端末デバイスによってネットワークデバイスに送信されてもよいと理解されたい。
【０１８２】
任意に、指示情報は、代替的に、暗黙的な情報であってもよい。例えば、ターゲット上りリンクキャリアが第１の上りリンクキャリアである場合、端末デバイスは、第１の上りリンクキャリア上でネットワークデバイスに、電力ヘッドルームを搬送するメッセージを送信するか、またはターゲット上りリンクキャリアが第２の上りリンクキャリアである場合、端末デバイスは、第２の上りリンクキャリア上でネットワークデバイスに、電力ヘッドルームを搬送するメッセージを送信する。指示情報は、電力ヘッドルームを搬送するメッセージを搬送し、端末デバイスによってネットワークデバイスに送信される上りリンクキャリアで暗黙的に搬送されると理解されたい。
【０１８３】
別の例として、ターゲット上りリンクキャリアが第１の上りリンクキャリアおよび第２の上りリンクキャリアを含む場合、すなわち、ターゲット上りリンクキャリアが２つの上りリンクキャリアを含む場合、電力ヘッドルームは、第１の上りリンクキャリアの電力ヘッドルームおよび第２の上りリンクキャリアの電力ヘッドルームを含む。第１の上りリンクキャリアの電力ヘッドルームおよび第２の上りリンクキャリアの電力ヘッドルームは、同一のメッセージ内で搬送され、端末デバイスによってネットワークデバイスに送信されてもよく、異なるメッセージ内で搬送され、端末デバイスによってネットワークデバイスに送信されてもよい。
【０１８４】
任意に、指示情報は明示的な情報であってもよい。例えば、指示情報は２ビットを含み、２ビットうちの一方は第１の上りリンクキャリアの電力ヘッドルームを示し、他方のビットは第２の上りリンクキャリアの電力ヘッドルームを示す。具体的には、一方のビットが０である場合、指示情報は、第１の上りリンクキャリアの電力ヘッドルームを含まず、一方のビットが１である場合、指示情報は、第１の上りリンクキャリアの電力ヘッドルームを含む。指示情報のビット数および状態とビットの意味との対応は、上記の例に限定されない。
【０１８５】
任意で、指示情報は暗黙的な情報であってもよい。例えば、指示情報は、第１の上りリンクキャリアの電力ヘッドルームおよび第２の上りリンクキャリアの電力ヘッドルームが電力ヘッドルームを搬送するメッセージ内で搬送される位置またはシーケンスで搬送される。例えば、第１の上りリンクキャリアの電力ヘッドルームは、メッセージ内の第１のフィールドで搬送され、第２の上りリンクキャリアの電力ヘッドルームは、メッセージ内の第２のフィールドで搬送され、第１のフィールドは、第１の上りリンクキャリアの電力ヘッドルームに対応する第１の上りリンクキャリアに対応し、第２のフィールドは、第２の上りリンクキャリアの電力ヘッドルームに対応する第２の上りリンクキャリアに対応する。別の例では、第１の上りリンクキャリアの電力ヘッドルームは、メッセージ内の第１のフィールドで搬送され、第２の上りリンクキャリアの電力ヘッドルームは、メッセージ内の第２のフィールドで搬送され、メッセージ内の第１のフィールドの番号は、メッセージ内の第２のフィールドの番号より小さい。より小さい番号を有する第１のフィールドは、第１の上りリンクキャリアの電力ヘッドルームに対応する第１の上りリンクキャリアに対応し、より大きな番号を有する第２のフィールドは、第２の上りリンクキャリアの電力ヘッドルームに対応する第２の上りリンクキャリアに対応すると理解されたい。上記の説明は全て特定の実装の例であり、本方法を限定するものではないことに留意されたい。
【０１８６】
ターゲット上りリンクキャリアが第１の上りリンクキャリアまたは第２の上りリンクキャリアのうちの一方である場合、ネットワークデバイスによって受信される電力ヘッドルームは、第１の上りリンクキャリアまたは第２の上りリンクキャリアの電力ヘッドルームであってもよい。ネットワークデバイスによって受信される指示情報は、明示的な情報であってもよい。例えば、指示情報は、１ビットを含み、ビットが状態０である場合、指示情報は、ターゲット上りリンクキャリアが第１上りリンクキャリアであることを示し、ネットワークデバイスは、指示情報に基づいて、第１上りリンクキャリアの電力ヘッドルームに対応する第１上りリンクキャリアを決定することができる。ビットが状態１である場合、指示情報は、ターゲット上りリンクキャリアが第２の上りリンクキャリアであることを示し、ネットワークデバイスは、指示情報に基づいて、第２の上りリンクキャリアの電力ヘッドルームに対応する第２の上りリンクキャリアを決定することができる。
【０１８７】
別の例では、指示情報が暗黙的な情報であり、ターゲット上りリンクキャリアが第１の上りリンクキャリアである場合、ネットワークデバイスは、第１の上りリンクキャリア上で、電力ヘッドルームを搬送し、端末デバイスによって送信されるメッセージを受信する。この場合、ネットワークデバイスは、電力ヘッドルームが第１の上りリンクキャリアの電力ヘッドルームであると決定することができ、すなわち、第１の上りリンクキャリアがターゲット上りリンクキャリアであると決定することができる。従って、ネットワークデバイスが、第２の上りリンクキャリア上で、電力ヘッドルームを搬送し、端末デバイスによって送信されるメッセージを受信する場合、ネットワークデバイスは、受信した電力ヘッドルームが第２の上りリンクキャリアの電力ヘッドルームであると決定する、すなわち、第２の上りリンクキャリアがターゲット上りリンクキャリアであると決定することができる。
【０１８８】
代替的には、ターゲット上りリンクキャリアは、第１の上りリンクキャリアと第２の上りリンクキャリアとを含んでもよく、すなわち、ターゲット上りリンクキャリアは、２つの上りリンクキャリアを含み、電力ヘッドルームは、第１の上りリンクキャリアに対応する電力ヘッドルームと、第２の上りリンクキャリアに対応する電力ヘッドルームとを含む。
【０１８９】
任意に、指示情報が明示的な情報である場合、例えば、指示情報が２ビットである場合、２ビットの一方は第１の上りリンクキャリアの電力ヘッドルームを示し、他方のビットは第２の上りリンクキャリアの電力ヘッドルームを示す。一方のビットが０である場合、指示情報は、第１の上りリンクキャリアの電力ヘッドルームを含まず、または、一方のビットが１である場合、指示情報は、第１の上りリンクキャリアの電力ヘッドルームを含む。例えば、ネットワークデバイスによって受信された指示情報が０１である場合、受信された電力ヘッドルームは第２の上りリンクキャリアの電力ヘッドルームであり、第１の上りリンクキャリアの電力ヘッドルームを含まないことを示す。この場合、ネットワークデバイスは、第２の上りリンクキャリアの電力ヘッドルームに対応する第２の上りリンクキャリアを決定することができる。具体的には、第２の上りリンクキャリアは、ターゲット上りリンクキャリアである。別の例では、ネットワークデバイスによって受信された指示情報が１０の場合、受信された電力ヘッドルームは第１の上りリンクキャリアの電力ヘッドルームであり、第２の上りリンクキャリアの電力ヘッドルームを含まないことを示す。この場合、ネットワークデバイスは、第１の上りリンクキャリアの電力ヘッドルームに対応する第１の上りリンクキャリアを決定することができる。具体的には、第１の上りリンクキャリアは、ターゲット上りリンクキャリアである。別の例では、ネットワークデバイスによって受信された指示情報が１１の場合、受信された電力ヘッドルームは、第１の上りリンクキャリアの電力ヘッドルームおよび第２の上りリンクキャリアの電力ヘッドルームであることを示す。この場合、ネットワークデバイスは、第１の上りリンクキャリアの電力ヘッドルームに対応する第１の上りリンクキャリアおよび第２の上りリンクキャリアの電力ヘッドルームに対応する第２の上りリンクキャリアを決定することができる。具体的には、第１の上りリンクキャリアおよび第２の上りリンクキャリアは、ターゲット上りリンクキャリアである。
【０１９０】
任意に、指示情報が暗黙的な情報である場合、例えば、指示情報が、電力ヘッドルームを搬送するメッセージ内で第１の上りリンクキャリアの電力ヘッドルームおよび第２の上りリンクキャリアの電力ヘッドルームが搬送される位置またはシーケンスで搬送される場合、例えば、第１の上りリンクキャリアの電力ヘッドルームがメッセージ内の第１のフィールドで搬送され、第２の上りリンクキャリアの電力ヘッドルームがメッセージ内の第２のフィールドで搬送される場合、第１のフィールドは、第１の上りリンクキャリアの電力ヘッドルームに対応する第１の上りリンクキャリアに対応し、第２のフィールドは、第２の上りリンクキャリアの電力ヘッドルームに対応する第２の上りリンクキャリアに対応する。例えば、ネットワークデバイスが受信されたメッセージ内の第１のフィールドで電力ヘッドルームを受信した場合、ネットワークデバイスは、第１の上りリンクキャリアの電力ヘッドルームに対応する第１の上りリンクキャリアを決定するために、電力ヘッドルームが第１の上りリンクキャリアの電力ヘッドルームであると決定することができる。具体的には、第１の上りリンクキャリアは、ターゲット上りリンクキャリアである。別の例では、ネットワークデバイスが受信されたメッセージ内の第２のフィールドで電力ヘッドルームを受信した場合、ネットワークデバイスは、第２の上りリンクキャリアの電力ヘッドルームに対応する第２の上りリンクキャリアを決定するために、電力ヘッドルームが第２の上りリンクキャリアの電力ヘッドルームであると決定する。具体的には、第２の上りリンクキャリアは、ターゲット上りリンクキャリアである。
【０１９１】
別の例では、第１の上りリンクキャリアの電力ヘッドルームはメッセージ内の第１のフィールドで搬送され、第２の上りリンクキャリアの電力ヘッドルームはメッセージ内の第２のフィールドで搬送され、メッセージ内の第１のフィールドの番号はメッセージ内の第２のフィールドの番号よりも小さい。この場合、ネットワークデバイスが、メッセージ内のより小さい番号を有する第１のフィールドで電力ヘッドルームを受信した場合、電力ヘッドルームが第１の上りリンクキャリアの電力ヘッドルームであることを示し、ネットワークデバイスは、第１の上りリンクキャリアの電力ヘッドルームに対応する第１の上りリンクキャリアを決定することができる。具体的には、第１の上りリンクキャリアは、ターゲット上りリンクキャリアである。上記の説明は全て特定の実装の例であり、本方法を限定するものではないことに留意されたい。
【０１９２】
任意に、この出願は、電力制御の別のプロセスをさらに提供する。図１２のように、このプロセスは以下のステップを含む。
【０１９３】
ステップ１２０１：ネットワークデバイスが、電力制御情報および指示情報を決定し、電力制御情報は、第１の端末デバイスによって、ターゲット上りリンクキャリア上で上りリンク信号をネットワークデバイスに送信するための電力を決定するために使用され、指示情報は、電力制御情報に対応するターゲット上りリンクキャリアを示す。
【０１９４】
任意に、ターゲット上りリンクキャリアが第１の上りリンクキャリアまたは第２の上りリンクキャリアのうちの１つを含む場合、電力制御情報は、第１の端末デバイスによって、第１の上りリンクキャリアまたは第２の上りリンクキャリアのうちの１つで上りリンク信号をネットワークデバイスに送信するための電力を決定するために使用され、指示情報は、電力制御情報に対応する第１の上りリンクキャリアまたは第２の上りリンクキャリアのうちの１つを示す。
【０１９５】
任意に、ターゲット上りリンクキャリアが第１の上りリンクキャリアおよび第２の上りリンクキャリアを含む場合、電力制御情報は、第１の端末デバイスが第１の上りリンクキャリア上で上りリンク信号をネットワークデバイスに送信するための電力を決定することを示すために使用される第１の電力制御情報を含み、また第１の端末デバイスが第２の上りリンクキャリア上で上りリンク信号をネットワークデバイスに送信するための電力を決定することを示すために使用される第２の電力制御情報を含み、指示情報は、第１の電力制御情報に対応する第１の上りリンクキャリアを示すために使用される第１の指示情報と、第２の電力制御情報に対応する第２の上りリンクキャリアを示すために使用される第２の指示情報とを含む。
【０１９６】
ステップ１２０２：ネットワークデバイスは、電力制御情報および指示情報を第１の端末デバイスに送信する。
【０１９７】
任意に、ターゲット上りリンクキャリアが第１の上りリンクキャリアまたは第２の上りリンクキャリアのうちの１つを含む場合、ネットワークデバイスは、電力制御情報および指示情報を、同一の下りリンク制御情報（downlink  control  information、ＤＣＩ）に追加することができる。
【０１９８】
例えば、電力制御情報はＤＣＩ内の第１のフィールドに含まれ、指示情報はＤＣＩ内の第２のフィールドに含まれる。例えば、第１のフィールドは２ビットであってもよく、１ビットであってもよく、第２のフィールドは１ビットであってもよい。具体的には、第２のフィールドは、ＳＣ＿ＵＬ＿Ｉｎｄｅｘと呼ばれるキャリア・インジケータ・フィールドとして理解されてもよく、確かに、別の名前を有してもよい。これは本明細書では限定されない。第２のフィールドが０である場合、ＴＤＤキャリア（ＮＲ  ＵＬ）を示し、第２のフィールドが１である場合、ＳＵＬキャリアを示す。第２のフィールドの値と指示されたキャリアとの間の対応は、プロトコルにおいて事前に定義されてもよいことに留意されたい。具体的には、プロトコルにおいて、キャリア・インジケータ・フィールドが０である場合、ＴＤＤキャリア（ＮＲ  ＵＬ）を示し、キャリア・インジケータ・フィールドが１である場合、ＳＵＬキャリアを示すことが予め決められている。確かに、対応は、代替的に設定されてもよい。追加的に、第２フィールドの実装は、この出願のものに限定されず、特にＳＵＬキャリアが設定されているＮＲシステム、すなわち、１つのＴＤＤキャリアと１つのＳＵＬキャリアがＮＲのために設定されているシナリオにおいて、２つのキャリアのうちの少なくとも１つが示される必要がある別の場合にも適用可能であり得る。例えば、上りリンクスケジューリングに使用されるＤＣＩはまた、第２のフィールドを含んでもよく、上りリンクスケジューリングに使用されるＤＣＩは、バックオフＤＣＩであってもよく、端末デバイス専用のＤＣＩであってもよく、または確かに、別のタイプのＤＣＩであってもよい。
【０１９９】
別の例では、電力制御情報および指示情報は両方ともＤＣＩ内の第３のフィールドに含まれる。電力制御情報および指示情報は、結合符号化モードにおいて第３のフィールドに含まれ、第３のフィールドは３ビットであってもよく、２ビットであってもよいと理解されたい。ＤＣＩは、さらに、複数の３ビットの第３のフィールド、例えば、フィールド１、フィールド２、フィールド３、．．．を含み得る。各フィールドは、１つの端末デバイスに対応する電力制御情報および指示情報を含む。
【０２００】
ＤＣＩは、第１の端末デバイスに対応する電力制御情報および指示情報に加えて、第２の端末デバイスに対応する電力制御情報および／または指示情報をさらに含んでもよく、第２の端末デバイスは複数の第２の端末デバイスであってもよい。例えば、ＤＣＩは、任意の第２の端末デバイスの電力制御情報および指示情報を含み得る。ＤＣＩは第１のタイプのフィールドのみを含んでもよいと理解されたい。具体的には、各フィールドは、電力制御情報と指示情報の両方を含む。別の例では、ＤＣＩは２つのタイプのフィールドを含んでもよく、第１のタイプのフィールドは電力制御情報および指示情報を含むフィールドであり、第２のタイプのフィールドは電力制御情報のみを含むフィールドである。この場合、第１のタイプのフィールドと第２のタイプのフィールドのビット長は同じであってもよく、異なっていてもよい。例えば、第１のタイプのフィールドは３ビットを含み、第２のタイプのフィールドも３ビットを含むが、第２のタイプのフィールドでは２ビットのみが電力制御情報に使用され、残りの１ビットは予約ビットまたはパディングビットである。代替的には、第１のタイプのフィールドは３ビットを含み、３ビットは電力制御情報および指示情報を含み、第２のタイプのフィールドは２ビットを含み、２ビットは電力制御情報のみを含む。
【０２０１】
別の例では、ＤＣＩは、複数の電力制御情報を含み、各電力制御情報は、１つの端末デバイスに対応する。追加的に、ＤＣＩは、指示情報をさらに含み、指示情報は、複数の電力制御情報に対応するターゲット上りリンクキャリアを示す。この場合、ＤＣＩを受信する複数の端末デバイスに対して、指示情報に基づいて端末デバイスによって決定されるターゲット上りリンクキャリアは、同一の上りリンクキャリアである。
【０２０２】
別の例として、指示情報は、暗黙的にＤＣＩ内で搬送されてもよい。例えば、ネットワークデバイスは、２つの異なる識別子を使用することによってＤＣＩをスクランブルすることができ、２つの異なる識別子の第１の識別子は第１の上りリンクキャリアに対応し、２つの異なる識別子の第２の識別子は第２の上りリンクキャリアに対応する。この場合、端末デバイスは、ＤＣＩのスクランブル識別子に基づいてターゲットキャリアを決定することができる。具体的には、識別子は、無線ネットワーク一時識別子（radio  network  temporary  identity、ＲＮＴＩ）であってもよく、または別の識別子であってもよいが、これは本明細書では限定されない。
【０２０３】
任意に、ターゲット上りリンクキャリアが第１の上りリンクキャリアまたは第２の上りリンクキャリアのうちの１つを含む場合、ネットワークデバイスは、電力制御情報をＤＣＩに追加し、ＤＣＩを端末デバイスに送信し、指示情報を他のシグナリングに追加し、他のシグナリングを端末デバイスに送信することができる。他のシグナリングは、例えば、無線リソース制御ＲＲＣ層シグナリングである上位層シグナリングであってもよい。
【０２０４】
例えば、ネットワークデバイスは、電力制御情報をＤＣＩ内の第１のビットと第２のビットに追加する。この場合、ネットワークデバイスは、端末デバイスにＤＣＩを送信するだけでなく、指示情報を端末デバイスに送信し、指示情報は、ターゲットキャリアに対応する電力制御情報がＤＣＩ内に位置するビット位置を示す。この例では、指示情報はＤＣＩ内の第１のビットと第２のビットを示す。具体的には、指示情報は、第１のビットおよび第２のビットを直接示すことができ、または、指示情報は、第１のビットを示すことができる。追加的に、ネットワークデバイスおよび端末デバイスの両方は、電力制御情報がＤＣＩ内の連続した２ビットで搬送されることを予め学習する。
【０２０５】
例えば、ＤＣＩ内の第１のビットは第１の上りリンクキャリアの電力制御情報に対応し、ＤＣＩ内の第２のビットは第２の上りリンクキャリアの電力制御情報に対応する。指示情報がＤＣＩ内の第１ビットを示す場合、ネットワークデバイスは、ＤＣＩ内の第１ビットに第１上りリンクキャリアの電力制御情報を追加し、端末デバイスは、指示情報に基づいて、第１ビットで搬送される電力制御情報に対応するターゲット上りリンクキャリアが第１上りリンクキャリアであると決定することができる。
【０２０６】
任意に、ターゲット上りリンクキャリアが第１の上りリンクキャリアおよび第２の上りリンクキャリアを含む場合、ネットワークデバイスは、第１の電力制御情報および第２の電力制御情報を同じ部分のＤＣＩに追加し、ＤＣＩを端末デバイスに送信する。ネットワークデバイスは、第１の指示情報および第２の指示情報を他のシグナリングに追加し、他のシグナリングを端末デバイスに送信する。他のシグナリングは、例えば、無線リソース制御ＲＲＣ層シグナリングである上位層シグナリングであってもよい。
【０２０７】
例えば、ネットワークデバイスは、ＤＣＩ内の第１のビットおよび第２のビットに第１の電力制御情報を追加し、ＤＣＩ内の第３のビットおよび第４のビットに第２の電力制御情報を追加する。この場合、ネットワークデバイスは、端末デバイスにＤＣＩを送信するだけでなく、端末デバイスに第１の指示情報および第２の指示情報を送信し、第１の指示情報および第２の指示情報はそれぞれ、端末デバイスに、第１の上りリンクキャリアに対応する第１の電力制御情報および第２の上りリンクキャリアに対応する第２の電力制御情報がＤＣＩ内に位置するビット位置を示す。この例では、第１の指示情報はＤＣＩ内の第１のビットおよび第２のビットを示す。具体的には、指示情報は、第１のビットおよび第２のビットを直接示してもよく、指示情報は、第１のビットを示してもよい。追加的に、ネットワークデバイスと端末デバイスは、電力制御情報がＤＣＩ内の連続した２ビットで搬送されることを予め学習する。第２の指示情報は、ＤＣＩ内の第３のビットおよび第４のビットを示す。特定の指示方法は、第１の指示情報のものと同様であり、本明細書では再度説明しない。ＤＣＩ内の第１の電力制御情報および／または第２の電力制御情報のビット位置およびビット長は、この例に限定されず、代替的には別の値であってもよいことに留意されたい。
【０２０８】
例えば、指示情報が第１のビットおよび第２のビットを示す場合、ＤＣＩにネットワークデバイスによって追加された電力制御情報は、第１の上りリンクキャリアの第１の電力制御情報であり、端末デバイスは、指示情報に基づいて、第１の電力制御情報に対応するターゲット上りリンクキャリアが第１の上りリンクキャリアであると決定することができる。別の例では、指示情報が第３のビットおよび第４のビットを示す場合、ＤＣＩにネットワークデバイスによって追加された電力制御情報は、第２の上りリンクキャリアの第２の電力制御情報であり、端末デバイスは、指示情報に基づいて、第２の電力制御情報に対応するターゲット上りリンクキャリアが第２の上りリンクキャリアであると決定することができる。
【０２０９】
前述の実施形態において、ネットワークデバイスによって第１の端末デバイスに送信される下りリンク制御情報（downlink  control  information、ＤＣＩ）は、複数の端末デバイスに対して送信されるＤＣＩ、すなわち、グループ共通（group  common）ＤＣＩであってもよく、または、確かに、第１の端末デバイス専用のＤＣＩであってもよい。
【０２１０】
本明細書でのフィールドはＤＣＩ内の１つ以上のビットを説明するためにのみ使用され、ＤＣＩのいくつかのビットの名前を制限しないことに留意されたい。たとえば、ＤＣＩは合計３０ビットを含む。３０ビットは１つのフィールドとして理解されてもよく、確かに、３０ビットのうちの1つ以上が１つのフィールドとして理解されてもよい。これは、本明細書に限定されない。ＤＣＩは、予約ビットまたはパディングビットを含んでもよいことにも留意されたい。
【０２１１】
ステップ１２０３：端末デバイスは、ネットワークデバイスから電力制御情報および指示情報を受信する。端末デバイスは、指示情報に基づいて、電力制御情報に対応するターゲット上りリンクキャリアを決定することができる。
【０２１２】
指示情報は、端末デバイスが電力パラメータを決定することを示すため使用される。例えば、指示情報は、端末デバイスが電力パラメータを調整することを示す情報である。例えば、指示情報が−１ｄＢ（ｄＢはデシベルを示す）を示す場合、端末デバイスは、前の値に基づいて電力パラメータの値を１ｄＢだけ減少させることを決定する。別の例では、指示情報は、端末デバイスが電力パラメータを決定することを示す。例えば、指示情報が４ｄＢを示す場合、端末デバイスは電力パラメータの値が４ｄＢであると決定する。
【０２１３】
任意に、ターゲット上りリンクキャリアが第１の上りリンクキャリアまたは第２の上りリンクキャリアうちの一方を含む場合、端末デバイスは、ＤＣＩ内の電力制御情報および指示情報を受信する。指示情報は、暗黙的にＤＣＩ内で搬送されることがある。例えば、ＤＣＩは、２つの異なる識別子を使用することによってスクランブルされてもよく、第１の識別子は第１の上りリンクキャリアに対応し、第２の識別子は第２の上りリンクキャリアに対応する。例えば、端末デバイスが受信したＤＣＩ内の第１の識別子を取得した場合、端末デバイスは、受信した電力制御情報が第１の上りリンクキャリアの電力制御情報であると決定してもよく、この場合、端末デバイスは、第１の上りリンクキャリアの受信した電力制御情報に対応する第１の上りリンクキャリアを決定することができる。具体的には、第１の上りリンクキャリアは、ターゲット上りリンクキャリアである。別の例では、端末デバイスが、受信されたＤＣＩ内の第２の識別子を取得した場合、受信した電力制御情報が第２の上りリンクキャリアの電力制御情報であると決定してもよく、この場合、端末デバイスは、第２の上りリンクキャリアの受信した電力制御情報に対応する第２の上りリンクキャリアを決定することができる。具体的には、第２の上りリンクキャリアは、ターゲット上りリンクキャリアである。
【０２１４】
任意に、指示情報は、代替的には他のシグナリングにおいて搬送され、端末デバイスに送信されてもよく、他のシグナリングは、上位層シグナリング、例えば、無線リソース制御ＲＲＣ層シグナリングであってもよい。指示情報は、ターゲットキャリアに対応する電力制御情報がＤＣＩ内で位置するビット位置を端末デバイスに示すことができる。この場合、上位層シグナリングにおいて端末デバイスによって受信した指示情報がＤＣＩ内の第１のビットである場合、端末デバイスは、ＤＣＩ内で搬送される電力制御情報が第１の上りリンクキャリアの電力制御情報であると決定してもよく、この場合、端末デバイスは、第１の上りリンクキャリアの受信した電力制御情報に対応する第１の上りリンクキャリアを決定してもよい。具体的には、第１の上りリンクキャリアは、ターゲット上りリンクキャリアである。別の例では、上位層シグナリングにおいて端末デバイスによって受信した指示情報がＤＣＩ内の第２のビットである場合、端末デバイスは、ＤＣＩ内で搬送される電力制御情報が第２の上りリンクキャリアの電力制御情報であると決定してもよく、この場合、端末デバイスは、第２の上りリンクキャリアの受信した電力制御情報に対応する第２の上りリンクキャリアを決定してもよい。具体的には、第２の上りリンクキャリアは、ターゲット上りリンクキャリアである。
【０２１５】
任意に、ターゲット上りリンクキャリアは、代替的には第１上りリンクキャリアと第２上りリンクキャリアの両方を含み得る。第１の上りリンクキャリアの第１の電力制御情報と、第２の上りリンクキャリアの第２の電力制御情報とは、同じＤＣＩ内で搬送されてもよい。例えば、第１の電力制御情報は、ＤＣＩ内の第１のビットおよび第２のビットで搬送され、第２の電力制御情報は、ＤＣＩ内の第３のビットおよび第４のビットで搬送される。指示情報は、上位層シグナリングで搬送されてもよい。指示情報は、第１の上りリンクキャリアに対応する第１の指示情報と、第２の上りリンクキャリアに対応する第２の指示情報とを含む。第１の指示情報および第２の指示情報は、それぞれ、端末デバイスに対して、第１の上りリンクキャリアに対応する第１の電力制御情報および第２の上りリンクキャリアに対応する第２の電力制御情報がＤＣＩ内で位置するビット位置を示す。
【０２１６】
例えば、端末デバイスによって受信した指示情報が第１のビットである場合、端末デバイスは、ＤＣＩ内で搬送される電力制御情報が第１の電力制御情報であると決定してもよく、この場合、端末デバイスは、受信した第１の電力制御情報に対応する第１の上りリンクキャリアを決定してもよい。具体的には、第１の上りリンクキャリアは、ターゲット上りリンクキャリアである。別の例では、上位層の信号において端末デバイスが受信した指示情報がＤＣＩ内の第２のビットである場合、端末デバイスは、ＤＣＩ内で搬送される電力制御情報が第１の電力制御情報であると決定してもよく、この場合、端末デバイスは、受信した第１の電力制御情報に対応する第１の上りリンクキャリアを決定してもよい。具体的には、第１の上りリンクキャリアは、ターゲット上りリンクキャリアである。他の例では、上位層シグナリングにおいて端末デバイスが受信した指示情報がＤＣＩ内の第３のビットである場合、端末デバイスは、ＤＣＩ内で搬送される電力制御情報が第２の電力制御情報であると決定してもよく、この場合、端末デバイスは、受信した第２の電力制御情報に対応する第２の上りリンクキャリアを決定してもよい。具体的には、第２の上りリンクキャリアは、ターゲット上りリンクキャリアである。
【０２１７】
ＤＣＩ内の第１の電力制御情報および／または第２の電力制御情報のビット位置およびビット量は、この例に限定されず、代替的には別の値であってもよいことに留意されたい。
【０２１８】
図１３は、同じ発明の概念に基づいた、この出願による装置の概略図である。装置は、端末デバイスであってもよく、上記実施形態のいずれかにおいて端末デバイスによって行われる方法を行うことができる。
【０２１９】
端末デバイス１３００は、少なくとも１つのプロセッサ１３０１およびトランシーバ１３０２を含み、任意に、メモリ１３０３をさらに含む。プロセッサ１３０１、トランシーバ１３０２、およびメモリ１３０３は相互接続される。
【０２２０】
プロセッサ１３０１は、汎用中央処理装置、マイクロプロセッサ、特定用途向け集積回路、またはこの出願の実施形態においてプログラム実行を制御するための１つ以上の集積回路であってもよい。
【０２２１】
トランシーバ１３０２は、別の装置または通信ネットワークと通信するように構成されている。トランシーバは、無線周波数回路を含む。
【０２２２】
メモリ１３０３は、静的情報および命令を記憶することができる読取専用メモリもしくは別のタイプの静的記憶デバイス、もしくは情報および命令を記憶することができるランダムアクセスメモリもしくは別のタイプの動的記憶装置、もしくは電気的に消去可能な書込可能な読取専用メモリ、コンパクトディスク読取専用メモリもしくは別のコンパクトディスクストレージ、光ディスクストレージ（コンパクトディスク、レーザディスク、光ディスク、デジタル汎用ディスク、ブルーレイ（登録商標）ディスク等を含む）、磁気ディスク記憶媒体もしくは他の磁気記憶装置、または命令またはデータ構造の形態で予期されるプログラムコードを搬送または記憶するために使用することができ、コンピュータによってアクセスすることができる他の任意の媒体であってもよい。ただし、制限はそれには設定されない。メモリ１３０３は、独立して存在してもよく、プロセッサ１３０１に接続される。メモリ１３０３は、代替的にはプロセッサと一体化されてもよい。メモリ１３０３は、この出願の実施形態を実行するために使用されるアプリケーション・プログラム・コードを記憶するように構成されており、アプリケーション・プログラム・コードはプロセッサ１３０１の制御下で実行される。プロセッサ１３０１は、メモリ１３０３に記憶されたアプリケーション・プログラム・コードを実行するように構成されている。
【０２２３】
特定の実装では、実施形態においては、プロセッサ１３０１は、１つ以上のＣＰＵ、例えば、図１３のＣＰＵ０およびＣＰＵ１を含み得る。
【０２２４】
特定の実装では、一実施形態では、端末デバイス１３００は、複数のプロセッサ、例えば、図１３のプロセッサ１３０１およびプロセッサ１３０８を含み得る。各プロセッサは、シングルコア（single-CPU）プロセッサであってもよく、マルチコア（multi-CPU）プロセッサであってもよい。本明細書のプロセッサは、データ（例えば、コンピュータプログラム命令）を処理するように構成された１つ以上のデバイス、回路、および／または処理コアであってもよい。
【０２２５】
端末デバイスは、この出願による情報を送信および受信するための方法において、端末デバイスによって行われるステップを実装するように構成され得ると理解されたい。関連する機能については、前述の説明を参照のこと。詳細は、本明細書では再度説明しない。
【０２２６】
この出願では、前述の方法例に基づき、端末デバイスに対して機能モジュールが定義されてもよい。例えば、各関数モジュールは、各関数に対応して定義されてもよい。代替的には、２つ以上の機能が１つの処理モジュールに統合されてもよい。統合モジュールは、ハードウェアの形態で実装されてもよいし、ソフトウェア機能モジュールの形態で実装されてもよい。この出願においては、モジュール分割は一例であり、単なる論理関数分割に過ぎないことに留意されたい。実際の実装においては、別の分割方法が使用されてもよい。例えば、各機能モジュールが各機能に対応して定義される場合、図１４は、装置の概略図である。装置は、前述の実施形態では端末デバイスであってもよい。装置は、処理ユニット１４０１および通信ユニット１４０２を含む。
【０２２７】
通信ユニット１４０２は、ネットワークデバイスからの指示情報を受信するように構成されており、指示情報はタイミング調整パラメータを示し、タイミング調整パラメータは、第１の上りリンクキャリアおよび第２の上りリンクキャリア上での送信タイミングを決定するために使用され、第１の上りリンクキャリアは、第１の無線アクセス技術の上りリンクキャリアであり、第２の上りリンクキャリアは、第２の無線アクセス技術の上りリンクキャリアである。
【０２２８】
処理ユニット１４０１は、通信ユニット１４０２によって受信した指示情報に基づいてタイミング調整パラメータを決定するように構成されている。
【０２２９】
任意で、第２の上りリンクキャリアは、少なくとも２つの第２の上りリンクキャリアを含み、少なくとも２つの第２の上りリンクキャリアは、同一セルに属し、
タイミング調整パラメータは、処理ユニット１４０１によって、第１の上りリンクキャリアおよび少なくとも２つの第２の上りリンクキャリア上での送信タイミングを決定するために使用されるものである。
【０２３０】
任意に、少なくとも２つの第２の上りリンクキャリアは、少なくとも１つのＴＤＤキャリアおよび少なくとも１つのＳＵＬキャリアを含む。
【０２３１】
任意に、第１の上りリンクキャリアは、一次セル内のキャリアであり、第２の上りリンクキャリアは、二次セル内のキャリアであり、
通信ユニット１４０２は、ネットワークデバイスからの指示情報を受信する場合、具体的には、ネットワークデバイスから第１の下りリンクキャリア上で指示情報を受信するように構成されており、第１の下りリンクキャリアおよび第１の上りリンクキャリアは同一セルに属するか、または第１の下りリンクキャリアおよび第１の上りリンクキャリアは同一の無線アクセス技術に属する。
【０２３２】
任意に、第１の無線アクセス技術はＬＴＥであり、第２の無線アクセス技術はＮＲである。
【０２３３】
任意に、第１の上りリンクキャリアは、一次セル内の上りリンクキャリアであり、第２の上りリンクキャリアは、二次セル内の上りリンクキャリアであり、
処理ユニット１４０１は、さらに、通信ユニット１４０２が、ネットワークデバイスから第１の下りリンクキャリア上で下りリンク基準信号を受信するように制御することであって、第１の下りリンクキャリアおよび第１の上りリンクキャリアが同一セルに属する、制御することと、
通信ユニット１４０２によって受信した下りリンク基準信号に基づいて、第２の上りリンクキャリア上で上りリンク信号をネットワークデバイスに送信するための電力を決定することと、をするように構成されている。
【０２３４】
任意に、処理ユニット１４０１は、さらに、
通信ユニット１４０２が、ネットワークデバイスから第１の下りリンクキャリア上で下りリンク基準信号を受信するように制御することであって、第１の下りリンクキャリアが第１の無線アクセス技術の下りリンクキャリアであり、第１の下りリンクキャリアおよび第１の上りリンクキャリアが同一セルに属する、制御することと、
通信ユニット１４０２によって受信した下りリンク基準信号に基づいて、第２の上りリンクキャリア上で上りリンク信号をネットワークデバイスに送信するための電力を決定することと、をするように構成されている。
【０２３５】
任意に、処理ユニット１４０１は、さらに、
通信ユニット１４０２が、第１の下りリンクキャリア上で下りリンク基準信号を受信するように制御することであって、第１の下りリンクキャリアが第１の無線アクセス技術の下りリンクキャリアであり、第１の下りリンクキャリアおよび第１の上りリンクキャリアが異なるセルに属する、制御することと、
通信ユニット１４０２によって受信した下りリンク基準信号に基づいて、第２の上りリンクキャリア上で上りリンク信号をネットワークデバイスに送信するための電力を決定することと、をするように構成されている。
【０２３６】
端末デバイスは、この出願により情報を送信および受信方法において、端末デバイスにより行われるステップを実装するように構成されてもよいと理解されたい。関連する機能については、前述の説明を参照のこと。詳細は、本明細書では再度説明しない。
【０２３７】
同じ発明概念に基づいて、図１５は、この出願の一実施形態による装置の概略図である。装置は、ネットワークデバイスであってもよく、前述の実施形態のいずれかにおいてネットワークデバイスによって行われる方法を実行してもよい。
【０２３８】
ネットワークデバイス１５００は、少なくとも１つのプロセッサ１５０１およびトランシーバ１５０２を含み、任意にメモリ１５０３をさらに含む。
【０２３９】
プロセッサ１５０１、トランシーバ１５０２、およびメモリ１５０３は相互接続される。プロセッサ１５０１は、汎用中央処理装置、マイクロプロセッサ、特定用途向け集積回路（application-specific  integrated  circuit、ＡＳＩＣ）、またはこの出願の実施形態におけるプログラム実行を制御するための１つ以上の集積回路であってもよい。
【０２４０】
トランシーバ１５０２は、別の装置または通信ネットワークと通信するように構成される。トランシーバは、無線周波数回路を含む。
【０２４１】
メモリ１５０３は、静的情報および命令を記憶することができる読取専用メモリ（read-only  memory、ＲＯＭ）もしくは別のタイプの静的記憶デバイス、もしくは情報および命令を記憶することができるランダムアクセスメモリ（random  access  memory、ＲＡＭ）もしくは別のタイプの動的記憶装置、もしくは電気的に消去可能な書込可能な読取専用メモリ（electrically  erasable  programmable  read-only  memory、ＥＥＰＲＯＭ）、コンパクトディスク読取専用メモリ（compact  disc  read-only  memory、ＣＤ−ＲＯＭ）もしくは別のコンパクトディスクストレージ、光ディスクストレージ（コンパクトディスク、レーザディスク、光ディスク、デジタル汎用ディスク、ブルーレイディスク等を含む）、磁気ディスク記憶媒体もしくは他の磁気記憶装置、または命令またはデータ構造の形態で予期されるプログラムコードを搬送または記憶するために使用することができ、コンピュータによってアクセスすることができる他の任意の媒体であってもよい。ただし、制限はそれには設定されない。メモリ１５０３は、独立して存在してもよく、プロセッサ１５０１に接続される。メモリ１５０３は、代替的にはプロセッサと一体化されてもよい。メモリ１５０３は、この出願の実施形態を実行するために使用されるアプリケーション・プログラム・コードを記憶するように構成されており、アプリケーション・プログラム・コードはプロセッサ１５０１の制御下で実行される。プロセッサ１５０１は、メモリ１５０３に記憶されたアプリケーション・プログラム・コードを実行するように構成されている。
【０２４２】
特定の実装では、実施形態においては、プロセッサ１５０１は、１つ以上のＣＰＵ、例えば、図１５のＣＰＵ０およびＣＰＵ１を含み得る。
【０２４３】
特定の実装では、一実施形態では、ネットワークデバイス１５００は、複数のプロセッサ、例えば、図１５のプロセッサ１５０１およびプロセッサ１５０８を含み得る。各プロセッサは、シングルコア（single-CPU）プロセッサであってもよく、マルチコア（multi-CPU）プロセッサであってもよい。本明細書のプロセッサは、データ（例えば、コンピュータプログラム命令）を処理するように構成された１つ以上のデバイス、回路、および／または処理コアであってもよい。
【０２４４】
ネットワークデバイスは、この出願による情報を送信および受信するための方法において、ネットワークデバイスによって行われるステップを実装するように構成され得ると理解されたい。関連する機能については、前述の説明を参照のこと。詳細は、本明細書では再度説明しない。
【０２４５】
この出願では、前述の方法例に基づき、ネットワークデバイスに対して機能モジュールが定義されてもよい。例えば、各関数モジュールは、各関数に対応して定義されてもよい。代替的には、２つ以上の機能が１つの処理モジュールに統合されてもよい。統合モジュールは、ハードウェアの形態で実装されてもよいし、ソフトウェア機能モジュールの形態で実装されてもよい。この出願においては、モジュール分割は一例であり、単なる論理関数分割に過ぎないことに留意されたい。実際の実施においては、別の分割方法が使用されてもよい。例えば、各機能モジュールが各機能に対応して定義される場合、図１６は、装置の概略図である。装置は、前述の実施形態ではネットワークデバイスであってもよい。装置は、処理ユニット１６０１および通信ユニット１６０２を含む。
【０２４６】
処理ユニット１６０１は、指示情報を決定するように構成されており、指示情報は、タイミング調整パラメータを示し、タイミング調整パラメータは、端末デバイスによって、第１の上りリンクキャリアおよび第２の上りリンクキャリア上での送信タイミングを決定するために使用されるものであり、第１の上りリンクキャリアは、第１の無線アクセス技術の上りリンクキャリアであり、第２の上りリンクキャリアは、第２の無線アクセス技術の上りリンクキャリアである。
【０２４７】
通信ユニット１６０２は、処理ユニット１６０１によって決定された指示情報を端末デバイスに送信するように構成されている。
【０２４８】
任意で、第２の上りリンクキャリアは、少なくとも２つの第２の上りリンクキャリアを含み、少なくとも２つの第２の上りリンクキャリアは、同一セルに属し、タイミング調整パラメータは、端末デバイスによって、第１の上りリンクキャリアおよび少なくとも２つの第２の上りリンクキャリア上での送信タイミングを決定するために使用されるものである。
【０２４９】
任意に、少なくとも２つの第２の上りリンクキャリアは、少なくとも１つのＴＤＤキャリアおよび少なくとも１つのＳＵＬキャリアを含む。
【０２５０】
任意に、第１の上りリンクキャリアは、一次セル内のキャリアであり、第２の上りリンクキャリアは、二次セル内のキャリアであり、
通信ユニット１６０２は、端末デバイスへの指示情報の送信する場合、具体的には、
第１の下りリンクキャリア上で指示情報を端末デバイスに送信するように構成されており、第１の下りリンクキャリアおよび第１の上りリンクキャリアが同一セルに属するか、または第１の下りリンクキャリアおよび第１の上りリンクキャリアが同一の無線アクセス技術に属する。
【０２５１】
任意に、第１の無線アクセス技術はＬＴＥであり、第２の無線アクセス技術はＮＲである。
【０２５２】
任意に、第１の上りリンクキャリアは、一次セル内の上りリンクキャリアであり、第２の上りリンクキャリアは、二次セル内の上りリンクキャリアであり、
処理ユニット１６０１は、さらに、
通信ユニット１６０２が、第１の下りリンクキャリア上で下りリンク基準信号を端末デバイスに送信するように制御することであって、第１の下りリンクキャリアと第１の上りリンクキャリアは同一セルに属する、制御することとをするように構成されている。
【０２５３】
任意に、処理ユニット１６０１は、さらに、
通信ユニット１６０２が、第１の下りリンクキャリア上で下りリンク基準信号を端末デバイスに送信するように制御することであって、第１の下りリンクキャリアが第１の無線アクセス技術の下りリンクキャリアであり、第１の下りリンクキャリアおよび第１の上りリンクキャリアが同一セルに属する、制御することをするようにさらに構成されている。
【０２５４】
任意に、処理ユニット１６０１は、さらに、
通信ユニット１６０２が、第１の下りリンクキャリア上で下りリンク基準信号を端末デバイスに送信するように制御することであって、第１の下りリンクキャリアが第１の無線アクセス技術の下りリンクキャリアであり、第１の下りリンクキャリアおよび第１の上りリンクキャリアが異なるセルに属する、制御することをするように構成されている。
【０２５５】
ネットワークデバイスは、この出願の実施形態により情報を送信および受信するための方法において、ネットワークデバイスによって行われるステップを実装するように構成されてもよいと理解されたい。関連する機能については、前述の説明を参照のこと。詳細は、本明細書では再度説明しない。
【０２５６】
この出願の一実施形態は、さらに、ネットワークデバイスまたは端末デバイスによって使用されるコンピュータソフトウェア命令を記憶するように構成されているコンピュータ記憶媒体を提供する。コンピュータソフトウェア命令は、前述の方法の実施形態を行うために設計されたプログラムコードを含む。
【０２５７】
当業者は、この出願が方法、システムまたはコンピュータプログラム製品として提供され得ると理解すべきである。従って、この出願は、ハードウェアのみの実施形態、ソフトウェアのみの実施形態、またはソフトウェアとハードウェアの組み合わせを有する実施形態の形態を使用することができる。さらに、この出願は、コンピュータ使用可能プログラムコードを含む、１つ以上のコンピュータ使用可能記憶媒体（ディスクストレージ、ＣＤ−ＲＯＭ、光学ストレージなどを含むが、これらに限定されない）上に実装されるコンピュータプログラム製品の形態を使用することができる。
【０２５８】
この出願は、この出願による方法、デバイス（システム）およびコンピュータプログラム製品のフローチャートおよび／またはブロック図を参照して説明されている。コンピュータプログラム命令は、フローチャートおよび／またはブロック図の各プロセスおよび／または各ブロック、およびフローチャートおよび／またはブロック図のプロセスおよび／またはブロックの組み合わせを実施するために使用され得ると理解されたい。これらのコンピュータプログラム命令は、汎用コンピュータ、専用コンピュータ、埋め込みプロセッサ、またはマシンを生成するための他の任意のプログラマブルデータ処理デバイスのプロセッサに対して提供されてもよく、他の任意のプログラマブルデータ処理デバイスのコンピュータまたはプロセッサによって実行される命令は、フローチャートの１つ以上のプロセスおよび／またはブロック図の１つ以上のブロックにおいて、特定の機能を実装するための装置を生成するようにする。
【０２５９】
これらのコンピュータプログラム命令は、コンピュータまたは他の任意のプログラマブルデータ処理デバイスに特定の方法で動作するように命令することができるコンピュータ読取可能メモリに記憶されてもよく、コンピュータ読取可能メモリに記憶された命令は、命令装置を含むアーチファクトを生成する。命令装置は、フローチャート中の１つ以上のプロセスおよび／またはブロック図中の１つ以上のブロック中の特定の機能を実装する。
【０２６０】
これらのコンピュータプログラム命令は、コンピュータまたは別のプログラマブルデータ処理デバイスにロードされてもよく、一連の動作およびステップがコンピュータまたは別のプログラマブルデバイス上で行われ、それによって、コンピュータに実装された処理を生成する。従って、コンピュータまたは別のプログラマブルデバイス上で実行される命令は、フローチャートの１つ以上のプロセスおよび／またはブロック図の１つ以上のブロックにおける特定の機能を実装するためのステップを提供する。
【０２６１】
明らかに、当業者は、この出願の精神および範囲から逸脱することなく、この出願に種々の修正および変更を加えることができる。したがって、この出願は、この出願の以下の特許請求の範囲およびそれらの同等の技術によって定義される保護の範囲内にあることを条件として、この出願のこれらの修正および変形をカバーすることを意図している。
【手続補正２】
【補正対象書類名】特許請求の範囲
【補正対象項目名】全文
【補正方法】変更
【補正の内容】
【特許請求の範囲】
【請求項１】
情報を受信するための方法であって、
端末デバイスによって、ネットワークデバイスによって送信された指示情報を受信することであって、前記指示情報は、タイミング調整パラメータを含み、前記タイミング調整パラメータは、前記端末デバイスによって、複数の上りリンクキャリアを含むタイミング調整グループ内の上りリンクキャリアの送信タイミングを決定するために使用されるものであり、前記タイミング調整グループ内の前記複数の上りリンクキャリアは、同一セル内である、受信することと、
前記端末デバイスによって、前記指示情報に基づいて、前記タイミング調整グループ内の前記複数の上りリンクキャリア上で上りリンク信号を送信することと、を含む方法。
【請求項２】
前記タイミング調整グループは、第１の上りリンクキャリアおよび第２の上りリンクキャリアを含み、前記第１の上りリンクキャリア上のランダムアクセス信号に対応するタイミングオフセットは、前記第２の上りリンクキャリア上でランダムアクセス信号を送信することに対応するタイミングオフセットに等しい、請求項１に記載の方法。
【請求項３】
前記タイミング調整グループ内の前記複数の上りリンクキャリアに対応するサブキャリア間隔が異なる値を有する場合、前記タイミング調整パラメータに対応するタイミング調整粒度は、最も大きいサブキャリア間隔を有する上りリンクキャリア対応するタイミング調整粒度である、請求項１に記載の方法。
【請求項４】
前記タイミング調整グループは、第１の上りリンクキャリアおよび第２の上りリンクキャリアを含み、前記第１の上りリンクキャリアは、時分割複信ＴＤＤキャリアであり、前記第２の上りリンクキャリアは、補助上りリンクＳＵＬキャリアである、請求項１〜３のいずれか一項に記載の方法。
【請求項５】
情報を送信するための方法であって、
ネットワークデバイスによって、指示情報を決定することであって、前記指示情報は、タイミング調整パラメータを含み、前記タイミング調整パラメータは、端末デバイスによって、複数の上りリンクキャリアを含むタイミング調整グループ内の上りリンクキャリアの送信タイミングを決定するために使用されるものであり、前記タイミング調整グループ内の前記複数の上りリンクキャリアは、同一セル内である、決定することと、
前記ネットワークデバイスによって、前記端末デバイスへ前記指示情報を送信することと、を含む方法。
【請求項６】
前記タイミング調整グループは、第１の上りリンクキャリアおよび第２の上りリンクキャリアを含み、前記第１の上りリンクキャリア上のランダムアクセス信号に対応するタイミングオフセットは、前記第２の上りリンクキャリア上でランダムアクセス信号を送信することに対応するタイミングオフセットに等しい、請求項５に記載の方法。
【請求項７】
前記タイミング調整グループ内の前記複数の上りリンクキャリアに対応する第１のサブキャリア間隔が異なる値を有する場合、前記タイミング調整パラメータに対応するタイミング調整粒度は、最も大きいサブキャリア間隔を有する上りリンクキャリアに対応するタイミング調整粒度である、請求項５または６に記載の方法。
【請求項８】
前記タイミング調整グループは、第１の上りリンクキャリアおよび第２の上りリンクキャリアを含み、前記第１の上りリンクキャリアは、時分割複信ＴＤＤキャリアであり、前記第２の上りリンクキャリアは、補助上りリンクＳＵＬキャリアである、請求項５〜７のいずれか一項に記載の方法。
【請求項９】
情報を受信するための装置であって、
ネットワークデバイスによって送信された指示情報を受信するように構成された通信ユニットであって、前記指示情報は、タイミング調整パラメータを含み、前記タイミング調整パラメータは、当該装置によって、複数の上りリンクキャリアを含むタイミング調整グループ内の上りリンクキャリアの送信タイミングを決定するために使用されるものであり、前記タイミング調整グループ内の前記複数の上りリンクキャリアは、同一セル内である、通信ユニットと、
前記指示情報に基づいて、前記タイミング調整パラメータを決定するように構成された処理ユニットと、を含む装置。
【請求項１０】
前記タイミング調整グループは、第１の上りリンクキャリアおよび第２の上りリンクキャリアを含み、前記第１の上りリンクキャリア上のランダムアクセス信号に対応するタイミングオフセットは、前記第２の上りリンクキャリア上でランダムアクセス信号を送信することに対応するタイミングオフセットに等しい、請求項９に記載の装置。
【請求項１１】
前記タイミング調整グループ内の前記複数の上りリンクキャリアに対応する第１のサブキャリア間隔が異なる値を有する場合、前記タイミング調整パラメータに対応するタイミング調整粒度は、最も大きいサブキャリア間隔を有する上りリンクキャリアに対応するタイミング調整粒度である、請求項９または１０に記載の装置。
【請求項１２】
前記タイミング調整グループは、第１の上りリンクキャリアおよび第２の上りリンクキャリアを含み、前記第１の上りリンクキャリアは、時分割複信ＴＤＤキャリアであり、前記第２の上りリンクキャリアは、補助上りリンクＳＵＬキャリアである、請求項９〜１１のいずれか一項に記載の装置。
【請求項１３】
情報を送信するための装置であって、
指示情報を決定するように構成された処理ユニットであって、前記指示情報は、タイミング調整パラメータを含み、前記タイミング調整パラメータは、端末デバイスによって、複数の上りリンクキャリアを含むタイミング調整グループ内の上りリンクキャリアの送信タイミングを決定するために使用されるものであり、前記タイミング調整グループ内の前記複数の上りリンクキャリアは、同一セル内である、処理ユニットと、
前記端末デバイスに前記指示情報を送信するように構成された通信ユニットと、を含む装置。
【請求項１４】
前記タイミング調整グループは、第１の上りリンクキャリアおよび第２の上りリンクキャリアを含み、前記第１の上りリンクキャリア上のランダムアクセス信号に対応するタイミングオフセットは、前記第２の上りリンクキャリア上でランダムアクセス信号を送信することに対応するタイミングオフセットに等しい、請求項１３に記載の装置。
【請求項１５】
前記タイミング調整グループ内の前記複数の上りリンクキャリアに対応する第１のサブキャリア間隔が異なる値を有する場合、前記タイミング調整パラメータに対応するタイミング調整粒度は、最も大きいサブキャリア間隔を有する上りリンクキャリアに対応するタイミング調整粒度である、請求項１３または１４に記載の装置。
【請求項１６】
前記タイミング調整グループは、第１の上りリンクキャリアおよび第２の上りリンクキャリアを含み、前記第１の上りリンクキャリアは、時分割複信ＴＤＤキャリアであり、前記第２の上りリンクキャリアは、補助上りリンクＳＵＬキャリアである、請求項１３〜１５のいずれか一項に記載の装置。
【請求項１７】
メモリに接続され、前記メモリに記憶されたソフトウェアプログラムを読み出して実行するように構成され、請求項１〜８のいずれか一項に記載の方法を実装する、チップ。
【請求項１８】
コンピュータ読み出し可能な命令を含むコンピュータ記憶媒体であって、コンピュータが前記コンピュータ読み出し可能な命令を読み取り実行するとき、前記コンピュータは、請求項１〜８のいずれか一項に記載の方法を実行することを可能にされる、コンピュータ記憶媒体。
【請求項１９】
命令を含むコンピュータプログラムであって、前記命令がコンピュータ上で実行されるときに、前記コンピュータは、請求項１〜８のいずれか一項に記載の方法を実行することを可能にされる、コンピュータプログラム。
【請求項２０】
情報を受信するための装置であって、プロセッサと、トランシーバと、メモリとを含み、前記メモリは、命令を記憶し、前記プロセッサが前記命令を読み出して実行するときに、前記プロセッサは、請求項１〜４のいずれか一項に記載の方法を実行する、装置。
【請求項２１】
情報を送信するための装置であって、プロセッサと、トランシーバと、メモリとを含み、前記メモリは、命令を記憶し、前記プロセッサが前記命令を読み出して実行するときに、前記プロセッサは、請求項５〜８のいずれか一項に記載の方法を実行する、装置。
【請求項２２】
請求項９〜１２のいずれか一項による、情報を受信するための装置と、請求項１３〜１６のいずれか一項による、情報を送信するための装置と、含む通信ネットワークシステム。
【手続補正３】
【補正対象書類名】図面
【補正対象項目名】図４
【補正方法】変更
【補正の内容】
【図４】
2021503786.tif 000024
【手続補正４】
【補正対象書類名】図面
【補正対象項目名】図５
【補正方法】変更
【補正の内容】
【図５】
2021503786.tif 000025
【手続補正５】
【補正対象書類名】図面
【補正対象項目名】図９
【補正方法】変更
【補正の内容】
【図９】
2021503786.tif 000026
【国際調査報告】
2021503786.tif 000027
2021503786.tif 000028
2021503786.tif 000029
2021503786.tif 000030